(57)【要約】  本発明の実施形態は、信号送信モード切替方法に関する。本方法は、端末デバイスとの間の信号送信が異常であることが検出されたときに、信号送信モードを設定するために使用される制御命令情報を端末デバイスに送信するステップと、現在の信号送信モードを切り替え先の信号送信モードに切り替えるステップとを含む。端末デバイスは、切り替え先の信号送信モードに対応するブロードキャストを複数の方法で取得し、ブロードキャスト情報に基づいて切り替え先の信号送信モードの設定情報を決定し、設定情報に基づいて切り替え先の信号送信モードを設定し、次に、現在の信号送信モードを切り替え先の信号送信モードに切り替える。基地局および端末デバイスは、送信モードに関する、基地局と端末デバイスとの間の認識の整合性の問題を回避するために、合意された期間に現在の信号送信モードを切り替え先の信号送信モードに別々に切り替える。
2019528006.tif 000002
【特許請求の範囲】
【請求項１】
信号送信モード切替方法であって、前記方法が、
端末デバイスとの間の信号送信が異常であることが検出されたときに、信号送信モードを設定するために使用される制御命令情報を前記端末デバイスに送信するステップであって、前記制御命令情報が、前記端末デバイスに、前記端末デバイス側の現在の信号送信モードを切り替え先の信号送信モードに切り替えるよう命令するために使用される、ステップと、
前記現在の信号送信モードを前記切り替え先の信号送信モードに切り替えるステップであって、前記切り替え先の信号送信モードが、前記現在の信号送信モード以外の第2の信号送信モードである、ステップと
を含む、信号送信モード切替方法。
【請求項２】
前記端末デバイスとの間の前記信号送信が異常であることが、
前記端末デバイスの受信信号強度値が第1の所定の閾値よりも小さいことが検出されること、または
前記端末デバイスがアップリンク信号を送信する速度が第2の所定の閾値よりも小さいことが検出されること
を含む、請求項1に記載の方法。
【請求項３】
前記制御命令情報が、新たに追加されるブロードキャスト情報要素を含み、これにより、前記端末デバイスが、前記新たに追加されるブロードキャスト情報要素および第1のブロードキャストに基づいて、前記切り替え先の信号送信モードに対応する設定情報を決定し、前記第1のブロードキャストが、前記現在の信号送信モードに対応するブロードキャストである、請求項1または2に記載の方法。
【請求項４】
前記現在の信号送信モードを前記切り替え先の信号送信モードに切り替える前記ステップの前に、前記方法が、
前記現在の信号送信モードに対応する第1のブロードキャストに新たに追加されるブロードキャスト情報要素を追加／から新たに追加されるブロードキャスト情報要素を削除し、取得したブロードキャストを第2のブロードキャストとして使用するステップであって、これにより、前記端末デバイスが、前記第2のブロードキャストに基づいて、前記切り替え先の信号送信モードに対応する設定情報を決定し、前記第1のブロードキャストが、前記現在の信号送信モードに対応するブロードキャストである、ステップをさらに含む、請求項1または2に記載の方法。
【請求項５】
前記現在の信号送信モードを前記切り替え先の信号送信モードに切り替える前記ステップの前に、前記方法が、
アップリンク送信リソース指示情報を前記端末デバイスに送信するステップであって、前記アップリンク送信リソース指示情報が、前記端末デバイスに、前記アップリンク送信リソースを決定し、前記アップリンク送信リソースを使用して、前記切り替え先の信号送信モードの設定に成功したことを示す前記応答メッセージを前記基地局に送信するよう命令するために使用される、ステップをさらに含む、請求項1から4のいずれか一項に記載の方法。
【請求項６】
前記方法が、
前記端末デバイスによって送信された、前記切り替え先の信号送信モードの設定に成功したことを示す前記応答メッセージを受信するステップと、
前記応答メッセージに基づいて前記現在の信号送信モードを前記切り替え先の信号送信モードに切り替えるステップと
をさらに含む、請求項5に記載の方法。
【請求項７】
前記現在の信号送信モードを前記切り替え先の信号送信モードに切り替える前記ステップの具体的な時点が以下の通りであり、
前記端末デバイスによって送信された、前記切り替え先の信号送信モードの設定に成功したことを示す前記応答メッセージを受信した時点が、開始時点として使用され、X番目のサブフレーム信号を受信した時点で前記現在の信号送信モードが、前記切り替え先の信号送信モードに切り替えられ、Xが、1以上の正の整数である、請求項6に記載の方法。
【請求項８】
前記現在の信号送信モードを前記切り替え先の信号送信モードに切り替える前記ステップの具体的な時点が以下の通りであり、
前記端末デバイスによって送信された、前記切り替え先の信号送信モードの設定に成功したことを示す前記応答メッセージが、第1の所定の期間内に受信された場合、前記第1の所定の期間の終了時点からN番目のサブフレーム信号を受信した時点で前記現在の信号送信モードが、前記切り替え先の信号送信モードに切り替えられ、Nが、1以上の正の整数であり、前記第1の所定の期間が、信号送信モードを設定するために使用される前記制御命令情報を前記端末デバイスに送信した前記時点から開始され、
前記端末デバイスによって送信された、前記切り替え先の信号送信モードの設定に成功したことを示す前記応答メッセージが前記第1の所定の期間内に受信されなかった場合、前記現在の信号送信モードが維持される、請求項6に記載の方法。
【請求項９】
前記現在の信号送信モードを前記切り替え先の信号送信モードに切り替える前記ステップの後に、前記方法が、
アップリンク送信リソース指示情報を前記端末デバイスに送信するステップであって、前記アップリンク送信リソース指示情報が、前記端末デバイスに、前記アップリンク送信リソースを決定し、前記アップリンク送信リソースを使用して、前記切り替え先の信号送信モードの設定に成功したことを示す前記応答メッセージを前記基地局に送信するよう命令するために使用される、ステップをさらに含む、請求項1から4のいずれか一項に記載の方法。
【請求項１０】
前記方法が
前記端末デバイスによって送信された、前記切り替え先の信号送信モードの設定に成功したことを示す前記応答メッセージを受信するステップをさらに含む、請求項9に記載の方法。
【請求項１１】
信号送信モードを設定するために使用される制御命令情報を前記端末デバイスに送信する前記ステップの後に、前記方法が、
前記現在の信号送信モードおよび前記第2の信号送信モードを使用してアップリンク送信リソース指示情報を前記端末デバイスに別々に送信するステップであって、前記アップリンク送信リソース指示情報が、前記端末デバイスに、前記アップリンク送信リソースを決定し、前記アップリンク送信リソースを使用して、前記切り替え先の信号送信モードの設定に成功したことを示す前記応答メッセージを前記基地局に送信するよう命令するために使用される、ステップをさらに含む、請求項1から4のいずれか一項に記載の方法。
【請求項１２】
前記方法が、前記端末デバイスによって送信された、前記信号送信モードの設定に成功したことを示す前記応答メッセージが前記現在の信号送信モードに対応する第1の信号送信チャネルまたは第2の信号送信モードに対応する前記第2の信号送信チャネルの一方によって受信され得るかを判定するために、前記第1の信号送信チャネルおよび前記第2の信号送信チャネルを別々に検出するステップと、
前記端末デバイスによって送信された、前記信号送信モードの設定に成功したことを示す前記応答メッセージを受信した時点を開始時点として使用し、J番目のサブフレーム信号を受信した時点で前記現在の信号送信モードを前記切り替え先の信号送信モードに切り替えるステップであって、Jが、1以上の正の整数である、ステップとをさらに含む、請求項11に記載の方法。
【請求項１３】
信号送信モード切替方法であって、前記方法が、
基地局によって送信された、信号送信モードを設定するために使用される制御命令情報を受信するステップと、前記制御命令情報に基づいて現在の信号送信モードを切り替え先の信号送信モードに切り替えるステップであって、前記切り替え先の信号送信モードが、前記現在の信号送信モード以外の第2の信号送信モードである、ステップとを含む、信号送信モード切替方法。
【請求項１４】
前記制御命令情報が、新たに追加されるブロードキャスト情報要素を含み、
前記端末デバイスが、前記新たに追加されるブロードキャスト情報要素と、第1のブロードキャストであって、前記現在の信号送信モードに対応するブロードキャストである、前記第1のブロードキャストとに基づいて、前記切り替え先の信号送信モードに対応する設定情報を決定し、前記設定情報に基づいて前記切り替え先の信号送信モードを設定する、請求項13に記載の方法。
【請求項１５】
前記制御命令情報に基づいて前記現在の信号送信モードを前記切り替え先の信号送信モードに切り替える前記ステップの前に、前記方法が、
前記基地局によって送信された第2のブロードキャストを受信するステップであって、前記第2のブロードキャストが、新たに追加されるブロードキャスト情報要素が前記第1のブロードキャストに追加／から削除された後に取得されるブロードキャストであり、前記第1のブロードキャストが、前記現在の信号送信モードに対応するブロードキャストである、ステップと、
前記第2のブロードキャストに基づいて、前記切り替え先の信号送信モードに対応する設定情報を決定するステップと、
前記設定情報に基づいて前記切り替え先の信号送信モードを設定するステップと
をさらに含む、請求項13に記載の方法。
【請求項１６】
基地局によって送信された、信号送信モードを設定するために使用される制御命令情報を受信する前記ステップの後に、前記方法が、
前記基地局によって送信された第2のブロードキャストを受信するステップであって、前記第2のブロードキャストが、前記切り替え先の信号送信モードに対応するブロードキャストであり、前記第2のブロードキャストが、第1のブロードキャストの情報要素と同じ情報要素もしくは第1のブロードキャストの情報要素と同じ特性を有する情報要素および／または前記第1のブロードキャストに対して新たに追加されるブロードキャスト情報要素を含み、前記第1のブロードキャストが、前記現在の信号送信モードに対応するブロードキャストである、ステップと、
前記第2のブロードキャストに基づいて前記切り替え先の信号送信モードの設定情報を決定し、前記設定情報に基づいて前記切り替え先の信号送信モードを設定するステップと
をさらに含む、請求項13に記載の方法。
【請求項１７】
前記制御命令情報に基づいて前記切り替え先の信号送信モードを設定する前記ステップの前に、前記方法が、
第1のブロードキャストと第2のブロードキャストとを別々に受信し、前記第1のブロードキャストおよび前記第2のブロードキャストから、前記切り替え先の信号送信モードに対応するブロードキャストを決定するステップと、
前記切り替え先の信号送信モードに対応する前記ブロードキャストに基づいて、前記切り替え先の信号送信モードに対応する設定情報を決定するステップと、
前記設定情報に基づいて前記切り替え先の信号送信モードを設定するステップと
をさらに含む、請求項13に記載の方法。
【請求項１８】
前記現在の信号送信モードを前記切り替え先の信号送信モードに切り替える前記ステップの前に、前記方法が、
前記基地局によって送信されたアップリンク送信リソース指示情報を受信するステップと、
前記アップリンク送信リソース指示情報に基づいてアップリンク送信リソースを決定するステップと、
前記切り替え先の信号送信モードの設定に成功したことを示す前記応答メッセージを、前記アップリンク送信リソースを使用して前記基地局に送信するステップと
をさらに含む、請求項13から17のいずれか一項に記載の方法。
【請求項１９】
前記信号送信モードを切り替える前記ステップの具体的な時点が以下の通りであり、前記切り替え先の信号送信モードの設定に成功したことを示す前記応答メッセージを前記基地局によって受信した時点が、開始時点として使用され、X番目のサブフレーム信号を受信した時点で前記現在の信号送信モードが、前記切り替え先の信号送信モードに切り替えられ、Xが、1以上の正の整数である、請求項18に記載の方法。
【請求項２０】
前記信号送信モードを切り替える前記ステップの具体的な時点が以下の通りであり、前記基地局が、前記切り替え先の信号送信モードの設定に成功したことを示す前記応答メッセージを第1の所定の期間内に受信した場合、前記現在の信号送信モードが、前記第1の所定の期間の終了時点からN番目のサブフレーム信号を受信した時点で前記切り替え先の信号送信モードに切り替えられ、Nが、1以上の正の整数であり、前記第1の所定の期間が、信号送信モードを設定するために使用される前記制御命令情報を前記基地局によって送信した時点から開始され、
前記基地局が、前記切り替え先の信号送信モードの設定に成功したことを示す前記応答メッセージを前記第1の所定の期間内に受信しなかった場合、前記現在の信号送信モードが維持される、請求項18に記載の方法。
【請求項２１】
前記現在の信号送信モードを前記切り替え先の信号送信モードに切り替える前記ステップの後に、前記方法が、
前記基地局によって送信されたアップリンク送信リソース指示情報を受信するステップと、
前記アップリンク送信リソース指示情報に基づいてアップリンク送信リソースを決定するステップと、
前記切り替え先の信号送信モードの設定に成功したことを示す前記応答メッセージを、前記アップリンク送信リソースを使用して前記基地局に送信するステップと
をさらに含む、請求項13から17のいずれか一項に記載の方法。
【請求項２２】
基地局であって、前記基地局が、
前記基地局と端末デバイスとの間の信号送信が異常であるかどうかを検出するように構成される検出器と、
前記検出器が、前記基地局と前記端末デバイスとの間の前記信号送信が異常であることを検出したときに、信号送信モードを設定するために使用される制御命令情報を前記端末デバイスに送信し、前記制御命令情報が、前記端末デバイスに、前記端末デバイス側の現在の信号送信モードを切り替え先の信号送信モードに切り替えるよう命令するために使用される、ように構成される送信機と、
前記現在の信号送信モードを前記切り替え先の信号送信モードに切り替え、前記切り替え先の信号送信モードが、前記現在の信号送信モード以外の第2の信号送信モードである、ように構成される、プロセッサと
を備える、基地局。
【請求項２３】
前記検出器が、
前記端末デバイスの受信信号強度値が第1の所定の閾値よりも小さいかどうかを検出するか、または
前記端末デバイスがアップリンク信号を送信する速度が第2の所定の閾値よりも小さいかどうかを検出する
ように特に構成される、請求項22に記載の基地局。
【請求項２４】
前記制御命令情報が、新たに追加されるブロードキャスト情報要素を含み、これにより、前記端末デバイスが、前記新たに追加されるブロードキャスト情報要素および第1のブロードキャストに基づいて、前記切り替え先の信号送信モードに対応する設定情報を決定し、前記第1のブロードキャストが、前記現在の信号送信モードに対応するブロードキャストである、請求項22または23に記載の基地局。
【請求項２５】
前記プロセッサが、前記現在の信号送信モードに対応する第1のブロードキャストに新たに追加されるブロードキャスト情報要素を追加／から新たに追加されるブロードキャスト情報要素を削除し、取得したブロードキャストを第2のブロードキャストとして使用し、これにより、前記端末デバイスが、前記第2のブロードキャストに基づいて、前記切り替え先の信号送信モードに対応する設定情報を決定し、前記第1のブロードキャストが、前記現在の信号送信モードに対応するブロードキャストである、ようにさらに構成される、請求項22または23に記載の基地局。
【請求項２６】
前記送信機が、前記プロセッサが前記現在の信号送信モードを前記切り替え先の信号送信モードに切り替える前に、アップリンク送信リソース指示情報を前記端末デバイスに送信し、前記アップリンク送信リソース指示情報が、前記端末デバイスに、前記アップリンク送信リソースを決定し、前記アップリンク送信リソースを使用して、前記切り替え先の信号送信モードの設定に成功したことを示す前記応答メッセージを前記基地局に送信するよう命令するために使用される、ようにさらに構成される、請求項22から25のいずれか一項に記載の基地局。
【請求項２７】
前記基地局が、
前記端末デバイスによって送信された、前記切り替え先の信号送信モードの設定に成功したことを示す前記応答メッセージを受信するように構成される受信機をさらに備え、
前記プロセッサが、前記応答メッセージに基づいて前記現在の信号送信モードを前記切り替え先の信号送信モードに切り替えるようにさらに構成される、請求項26に記載の基地局。
【請求項２８】
前記プロセッサによって前記現在の信号送信モードを前記切り替え先の信号送信モードに切り替える具体的な時点が以下の通りであり、
前記端末デバイスによって送信された、前記切り替え先の信号送信モードの設定に成功したことを示す前記応答メッセージを前記受信機によって受信した時点が、開始時点として使用され、前記プロセッサが、X番目のサブフレーム信号を受信した時点で前記現在の信号送信モードを前記切り替え先の信号送信モードに切り替え、Xが、1以上の正の整数である、請求項27に記載の基地局。
【請求項２９】
前記プロセッサによって前記現在の信号送信モードを前記切り替え先の信号送信モードに切り替える具体的な時点が以下の通りであり、
前記受信機が、前記端末デバイスによって送信された、前記切り替え先の信号送信モードの設定に成功したことを示す前記応答メッセージを第1の所定の期間内に受信した場合、前記プロセッサは、前記第1の所定の期間の終了時点からN番目のサブフレーム信号を受信した時点で前記現在の信号送信モードを前記切り替え先の信号送信モードに切り替え、Nが、1以上の正の整数であり、前記第1の所定の期間が、信号送信モードを設定するために使用される前記制御命令情報を、前記送信機によって前記端末デバイスに送信した時点から開始され、
前記受信機が、前記端末デバイスによって送信された、前記切り替え先の信号送信モードの設定に成功したことを示す前記応答メッセージを前記第1の所定の期間内に受信しなかった場合、前記プロセッサは、前記現在の信号送信モードを維持する、請求項27に記載の基地局。
【請求項３０】
前記送信機が、
前記プロセッサが前記現在の信号送信モードを前記切り替え先の信号送信モードに切り替えた後に、アップリンク送信リソース指示情報を前記端末デバイスに送信し、前記アップリンク送信リソース指示情報が、前記端末デバイスに、前記アップリンク送信リソースを決定し、前記アップリンク送信リソースを使用して、前記切り替え先の信号送信モードの設定に成功したことを示す前記応答メッセージを前記基地局に送信するよう命令するために使用される、ようにさらに構成される、請求項22から25のいずれか一項に記載の基地局。
【請求項３１】
前記基地局が、
前記端末デバイスによって送信された、前記切り替え先の信号送信モードの設定に成功したことを示す前記応答メッセージを受信するように構成される受信機をさらに備える、請求項30に記載の基地局。
【請求項３２】
前記送信機が、信号送信モードを設定するために使用される前記制御命令情報を前記端末デバイスに送信した後に、前記現在の信号送信モードおよび前記第2の信号送信モードを使用してアップリンク送信リソース指示情報を前記端末デバイスに別々に送信し、前記アップリンク送信リソース指示情報が、前記端末デバイスに、前記アップリンク送信リソースを決定し、前記アップリンク送信リソースを使用して、前記切り替え先の信号送信モードの設定に成功したことを示す前記応答メッセージを前記基地局に送信するよう命令するために使用される、ようにさらに構成される、請求項22から25のいずれか一項に記載の基地局。
【請求項３３】
前記検出器が、
前記端末デバイスによって送信された、前記信号送信モードの設定に成功したことを示す前記応答メッセージが前記現在の信号送信モードに対応する第1の受信機または前記第2の信号送信モードに対応する第2の受信機の一方によって受信され得るかを判定するために、前記第1の受信機および前記第2の受信機を別々に検出するようにさらに構成され、
前記プロセッサが、前記端末デバイスによって送信された、前記信号送信モードの設定に成功したことを示す前記応答メッセージを受信した時点を開始時点として使用し、J番目のサブフレーム信号を受信した時点で前記現在の信号送信モードを前記切り替え先の信号送信モードに切り替え、Jが、1以上の正の整数である、ようにさらに構成される、請求項32に記載の基地局。
【請求項３４】
端末デバイスであって、前記端末デバイスが、
基地局によって送信された、信号送信モードを設定するために使用される制御命令情報を受信するように構成される受信機と、
前記制御命令情報に基づいて現在の信号送信モードを切り替え先の信号送信モードに切り替え、前記切り替え先の信号送信モードが、前記現在の信号送信モード以外の第2の信号送信モードである、ように構成される、プロセッサと
を備える、端末デバイス。
【請求項３５】
前記制御命令情報が、新たに追加されるブロードキャスト情報要素を含み、
前記プロセッサが、前記新たに追加されるブロードキャスト情報要素と、第1のブロードキャストであって、前記現在の信号送信モードに対応するブロードキャストである、前記第1のブロードキャストとに基づいて、前記切り替え先の信号送信モードに対応する設定情報を決定し、
前記設定情報に基づいて前記切り替え先の信号送信モードを設定する、ように構成される、請求項34に記載の端末デバイス。
【請求項３６】
前記受信機が、前記プロセッサが前記制御命令情報に基づいて前記現在の信号送信モードを前記切り替え先の信号送信モードに切り替える前に、前記基地局によって送信された第2のブロードキャストを受信し、前記第2のブロードキャストが、新たに追加されるブロードキャスト情報要素が前記第1のブロードキャストに追加／から削除された後に取得されるブロードキャストであり、前記第1のブロードキャストが、前記現在の信号送信モードに対応するブロードキャストである、ようにさらに構成され、
前記プロセッサが、前記第2のブロードキャストに基づいて、前記切り替え先の信号送信モードに対応する設定情報を決定し、
前記設定情報に基づいて前記切り替え先の信号送信モードを設定するようにさらに構成される、請求項34に記載の端末デバイス。
【請求項３７】
前記受信機が、前記基地局によって送信された、前記信号送信モードを設定するために使用される前記制御命令情報を受信した後に、前記基地局によって送信された第2のブロードキャストを受信し、前記第2のブロードキャストが、前記切り替え先の信号送信モードに対応するブロードキャストであり、前記第2のブロードキャストが、第1のブロードキャストの情報要素と同じ情報要素もしくは第1のブロードキャストの情報要素と同じ特性を有する情報要素および／または前記第1のブロードキャストに対して新たに追加されるブロードキャスト情報要素を含み、前記第1のブロードキャストが、前記現在の信号送信モードに対応するブロードキャストである、ようにさらに構成され、
前記プロセッサが、前記第2のブロードキャストに基づいて、前記切り替え先の信号送信モードの設定情報を決定し、
前記設定情報に基づいて前記切り替え先の信号送信モードを設定するようにさらに構成される、請求項34に記載の端末デバイス。
【請求項３８】
前記受信機が、前記プロセッサが前記制御命令情報に基づいて前記切り替え先の信号送信モードを設定する前に、第1のブロードキャストと第2のブロードキャストとを別々に受信し、前記第1のブロードキャストおよび前記第2のブロードキャストから、前記切り替え先の信号送信モードに対応するブロードキャストを決定するようにさらに構成され、
前記プロセッサが、前記切り替え先の信号送信モードに対応する前記ブロードキャストに基づいて、前記切り替え先の信号送信モードに対応する設定情報を決定し、
前記設定情報に基づいて前記切り替え先の信号送信モードを設定するようにさらに構成される、請求項34に記載の端末デバイス。
【請求項３９】
前記端末デバイスが、送信機をさらに備え、
前記受信機が、前記プロセッサが前記現在の信号送信モードを前記切り替え先の信号送信モードに切り替える前に、前記基地局によって送信されたアップリンク送信リソース指示情報を受信するようにさらに構成され、
前記プロセッサが、前記アップリンク送信リソース指示情報に基づいてアップリンク送信リソースを決定するようにさらに構成され、
前記送信機が、前記切り替え先の信号送信モードの設定に成功したことを示す応答メッセージを、前記アップリンク送信リソースを使用して前記基地局に送信するように構成される、請求項34から38のいずれか一項に記載の端末デバイス。
【請求項４０】
前記プロセッサによって前記信号送信モードを切り替える具体的な時点は以下の通りであり、
前記切り替え先の信号送信モードの設定に成功したことを示す前記応答メッセージを前記基地局によって受信した時点が開始時点として使用され、前記信号送信モードが、X番目のサブフレーム信号が受信された直後の時点で切り替えられ、Xが、1以上の正の整数である、請求項39に記載の端末デバイス。
【請求項４１】
前記プロセッサによって前記信号送信モードを切り替える具体的な時点が以下の通りであり、
前記基地局が、前記切り替え先の信号送信モードの設定に成功したことを示す前記応答メッセージを第1の所定の期間内に受信した場合、前記現在の信号送信モードが、前記第1の所定の期間の終了時点からN番目のサブフレーム信号を受信した時点で前記切り替え先の信号送信モードに切り替えられ、Nが、1以上の正の整数であり、前記第1の所定の期間が、信号送信モードを設定するために使用される前記制御命令情報を前記基地局によって送信した時点から開始され、
前記基地局が、前記切り替え先の信号送信モードの設定に成功したことを示す前記応答メッセージを前記第1の所定の期間内に受信しなかった場合、前記現在の信号送信モードが維持される、請求項39に記載の端末デバイス。
【請求項４２】
前記端末デバイスが、送信機をさらに備え、
前記受信機が、前記プロセッサが前記現在の信号送信モードを前記切り替え先の信号送信モードに切り替えた後に、前記基地局によって送信されたアップリンク送信リソース指示情報を受信するようにさらに構成され、
前記プロセッサが、前記アップリンク送信リソース指示情報に基づいてアップリンク送信リソースを決定するようにさらに構成され、
前記送信機が、前記切り替え先の信号送信モードの設定に成功したことを示す前記応答メッセージを、前記アップリンク送信リソースを使用して前記基地局に送信するように構成される、請求項34から38のいずれか一項に記載の端末デバイス。
【発明の詳細な説明】
【技術分野】
【０００１】
本発明の実施形態は、LTE技術の分野に関し、特に、信号送信モード切替方法、基地局、および端末デバイスに関する。
【背景技術】
【０００２】
科学および技術の継続的な発展に伴い、ユーザは、信号送信速度などにより高い要求を課している。しかしながら、既存のLTE技術を使用することによって実現され得る信号カバレッジ深度は、ユーザの要求を満たすことができない。例えば、一部の遠隔地域では、ダウンリンクチャネルを使用して基地局によって送信される信号は、端末デバイスによって受信され得ず、端末デバイスは、アップリンクチャネルを使用してデータ信号を基地局に送信することができない。信号カバレッジ深度がより多くのユーザの要求を満たすことができるようにするために、強化されたマシンタイプ通信（enhanced MachiNC Type Communication、略してeTMC）を使用することができる。eMTCは、プロトコルリリースLTE R13のモノのインターネットの技術である。この技術では、カバレッジは、主にチャネル繰り返し技術および周波数ホッピング技術を使用することによって改善され、カバレッジ深度は、プロトコル要求によれば最大15db改善され得る。言い換えれば、既存のLTE技術は、通常のカバレッジ（Normal Coverage、略してNC）をサポートすることはできるが、より深いカバレッジをサポートすることはできない。しかしながら、eMTC技術は、カバレッジ強化（Coverage Enhanced、略してCE）をサポートすることができる。
【０００３】
従来技術では、具体的には図1に示すように、端末デバイスはLTEの通常のカバレッジエリア内でネットワークにアクセスすることが想定されている。図1（a）に示すように、この場合、端末デバイスはNCモードにある。端末デバイスはeMTCブロードキャストの存在を知らないため、端末デバイスは、LTEブロードキャストのみを読み取り、eMTCブロードキャストを読み取らない。図1（b）に示すように、端末デバイスがLTEの弱いカバレッジエリアに移動すると、端末デバイスはCEモードに入る必要がある。基地局は、端末デバイスにNCモードからCEモードへの切り替えを命令するために無線リソース制御（Radio Resource Control、略してRRC）シグナリングを配信し得るが、端末デバイスは、ネットワークアクセス中のeMTCブロードキャストの存在を知らないため、確実にはeMTCブロードキャストを受信しない。その結果、端末デバイスはCEモードで動作することができない。現在のプロトコルによれば、信号が弱くなったとき、端末デバイスは「オフライン」になることしかできない。オフラインになった後、端末デバイスは、ダウンリンク信号強度に基づいて、eMTCブロードキャストを読み取るためにCEモードでネットワークにアクセスすることを自動的に選択し、次にCEモードで動作する。このようにして、端末デバイスは、NCモードからCEモードに切り替わることができるが、端末デバイスによって行われる切り替えは、能動的な切り替えではない。代わりに、端末デバイスがLTEの弱いカバレッジエリアに移動し、信号が弱くなったときに「オフライン」になった場合にのみ、端末デバイスは、ダウンリンク信号強度に基づいて、ネットワークアクセスのためにCEモードに受動的に切り替わる。
【０００４】
したがって、NCモードとCEモードとの間での端末デバイスの切り替えをどのように実施するかが、本発明において解決される必要がある問題になる。
【発明の概要】
【課題を解決するための手段】
【０００５】
本発明の実施形態は、信号送信モード切替方法、基地局、および端末デバイスを提供する。
【０００６】
第1の態様によれば、信号送信モード切替方法が提供される。本方法は、
端末デバイスとの間の信号送信が異常であることが検出されたときに、信号送信モードを設定するために使用される制御命令情報を端末デバイスに送信するステップであって、制御命令情報が、端末デバイスに、端末デバイス側の現在の信号送信モードを切り替え先の信号送信モードに切り替えるよう命令するために使用される、ステップと、現在の信号送信モードを切り替え先の信号送信モードに切り替えるステップであって、切り替え先の信号送信モードが、現在の信号送信モード以外の第2の信号送信モードである、ステップとを含む。
【０００７】
基地局が、基地局と端末デバイスとの間の信号送信のモードが異常であることを検出したとき、基地局は、信号送信モードを切り替えるために使用される制御命令情報を端末デバイスに直ちに送信し、これにより、端末デバイスは、端末デバイスと基地局との間の円滑でない信号送信を回避するために信号送信モードを切り替える。基地局側も、端末デバイスと信号送信モードを同期させるために信号送信モードを切り替える必要がある。
【０００８】
第1の態様に関連して、第1の態様の第1の可能な実施態様では、端末デバイスとの間の信号送信が異常であることは、
端末デバイスの受信信号強度値が第1の所定の閾値よりも小さいことが検出されること、または端末デバイスがアップリンク信号を送信する速度が第2の所定の閾値よりも小さいことが検出されることを含む。
【０００９】
本発明では、信号送信が異常である2つのケースのみが挙げられているが、これは、2つのケースしか存在しないことを表すものではないことを理解されたい。別の異常なケースでも信号送信モードを切り替える必要があるが、ここでは詳細は説明しない。
【００１０】
制御命令情報に基づいて端末側の信号送信モードを切り替える前に、端末デバイスは、切り替え先の信号送信モードをさらに設定する必要があり、設定情報を取得する方法として、以下のいくつかの態様を挙げることができる。具体的には、この方法として、第1の態様の第2の可能な実施態様および第1の態様の第3の可能な実施態様が挙げられる。他の2つの方法については、端末デバイス側に関して詳細に説明することとし、ここでは詳細は説明しない。
【００１１】
第1の態様または第1の態様の第1の可能な実施態様に関連して、第1の態様の第2の可能な実施態様では、制御命令情報は、新たに追加されるブロードキャスト情報要素を含み、これにより、端末デバイスは、新たに追加されるブロードキャスト情報要素および第1のブロードキャストに基づいて、切り替え先の信号送信モードに対応する設定情報を決定し、第1のブロードキャストは、現在の信号送信モードに対応するブロードキャストである。
【００１２】
第1の態様または第1の態様の第1の可能な実施態様に関連して、第1の態様の第3の可能な実施態様では、現在の信号送信モードを切り替え先の信号送信モードに切り替えるステップの前に、本方法は、
現在の信号送信モードに対応する第1のブロードキャストに新たに追加されるブロードキャスト情報要素を追加／から新たに追加されるブロードキャスト情報要素を削除し、取得したブロードキャストを第2のブロードキャストとして使用するステップであって、これにより、端末デバイスが、第2のブロードキャストに基づいて、切り替え先の信号送信モードに対応する設定情報を決定し、第1のブロードキャストが、現在の信号送信モードに対応するブロードキャストである、ステップをさらに含む。
【００１３】
第1の態様〜第1の態様の第3の可能な実施態様のいずれか1つに関連して、第1の態様の第4の可能な実施態様では、現在の信号送信モードを切り替え先の信号送信モードに切り替えるステップの前に、本方法は、
アップリンク送信リソース指示情報を端末デバイスに送信するステップであって、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ステップをさらに含む。
【００１４】
第1の態様の第4の可能な実施態様に関連して、第1の態様の第5の可能な実施態様では、本方法は、
端末デバイスによって送信された、切り替え先の信号送信モードの設定に成功したことを示す応答メッセージを受信するステップと、応答メッセージに基づいて現在の信号送信モードを切り替え先の信号送信モードに切り替えるステップとをさらに含む。
【００１５】
第1の態様の第5の可能な実施態様に関連して、第1の態様の第6の可能な実施態様では、現在の信号送信モードを切り替え先の信号送信モードに切り替えるステップの具体的な時点は以下の通りであり、
端末デバイスによって送信された、切り替え先の信号送信モードの設定に成功したことを示す応答メッセージを受信した時点は、開始時点として使用され、X番目のサブフレーム信号を受信した時点で現在の信号送信モードは、切り替え先の信号送信モードに切り替えられ、Xは、1以上の正の整数である。
【００１６】
第1の態様の第5の可能な実施態様に関連して、第1の態様の第7の可能な実施態様では、現在の信号送信モードを切り替え先の信号送信モードに切り替えるステップの具体的な時点は以下の通りであり、
端末デバイスによって送信された、切り替え先の信号送信モードの設定に成功したことを示す応答メッセージが、第1の所定の期間内に受信された場合、第1の所定の期間の終了時点からN番目のサブフレーム信号を受信した時点で現在の信号送信モードは、切り替え先の信号送信モードに切り替えられ、Nは、1以上の正の整数であり、第1の所定の期間は、信号送信モードを設定するために使用される制御命令情報を端末デバイスに送信した時点から開始され、
端末デバイスによって送信された、切り替え先の信号送信モードの設定に成功したことを示す応答メッセージが第1の所定の期間内に受信されなかった場合、現在の信号送信モードが維持される。
【００１７】
第1の態様〜第1の態様の第3の可能な実施態様のいずれか1つに関連して、第1の態様の第9の可能な実施態様では、現在の信号送信モードを切り替え先の信号送信モードに切り替えるステップの後に、本方法は、
アップリンク送信リソース指示情報を端末デバイスに送信するステップであって、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ステップをさらに含む。
【００１８】
第1の態様の第8の可能な実施態様に関連して、第1の態様の第9の可能な実施態様では、端末デバイスによって送信された、切り替え先の信号送信モードの設定に成功したことを示す応答メッセージが受信される。
【００１９】
第1の態様〜第1の態様の第3の可能な実施態様のいずれか1つに関連して、第1の態様の第10の可能な実施態様では、信号送信モードを設定するために使用される制御命令情報を端末デバイスに送信するステップの後に、本方法は、
現在の信号送信モードおよび第2の信号送信モードを使用してアップリンク送信リソース指示情報を端末デバイスに別々に送信するステップであって、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ステップをさらに含む。
【００２０】
第1の態様の第10の可能な実施態様に関連して、第1の態様の第11の可能な実施態様では、本方法は、端末デバイスによって送信された、信号送信モードの設定に成功したことを示す応答メッセージが現在の信号送信モードに対応する第1の信号送信チャネルまたは第2の信号送信モードに対応する第2の信号送信チャネルの一方によって受信され得るかを判定するために、第1の信号送信チャネルおよび第2の信号送信チャネルを別々に検出するステップと、
端末デバイスによって送信された、信号送信モードの設定に成功したことを示す応答メッセージを受信した時点を開始時点として使用し、J番目のサブフレーム信号を受信した時点で現在の信号送信モードを切り替え先の信号送信モードに切り替えるステップであって、Jが、1以上の正の整数である、ステップとをさらに含む。
【００２１】
制御命令情報を端末デバイスに送信した後、基地局は、切り替え先の信号送信モードの設定に成功したことを示す応答メッセージを送信するために端末デバイスに対してアップリンク送信リソースをさらに指定する必要がある。したがって、基地局は、アップリンク送信リソース指示情報を端末デバイスにさらに送信する必要がある。端末デバイスは、アップリンク送信リソース指示情報に基づいてアップリンク送信リソースを決定し、アップリンク送信リソースを使用して、切り替え先の信号送信モードの設定に成功したことを示す応答メッセージを送信する。具体的な送信時間は、基地局が現在の信号送信モードを切り替え先の信号送信モードに切り替える前、または基地局が現在の信号送信モードを切り替え先信号に切り替えた後、または基地局が信号送信モードを設定するために使用される制御命令情報を端末デバイスに送信した後であってもよい。これは、具体的には実際の状況に応じて決定されるものであり、ここでは限定されない。方法に関係なく、アップリンク送信リソース指示情報を送信するために基地局によって使用される信号送信モードと、切り替え先の信号送信の設定を示す応答メッセージを送信するために端末デバイス側によって使用される信号送信モードとの間の整合性を確保することが目的である。言い換えれば、基地局と端末デバイスとの間で合意された信号送信モードでメッセージを受信することができ、これにより、基地局および端末デバイスは、メッセージの受信に成功することができる。
【００２２】
第2の態様によれば、本発明の一実施形態は、別の信号送信モード切替方法をさらに提供する。本方法は、基地局によって送信された、信号送信モードを設定するために使用される制御命令情報を受信するステップと、制御命令情報に基づいて現在の信号送信モードを切り替え先の信号送信モードに切り替えるステップであって、切り替え先の信号送信モードが、現在の信号送信モード以外の第2の信号送信モードである、ステップとを含む。
【００２３】
基地局が、基地局と端末デバイスとの間の信号送信のモードが異常であることを検出したとき、基地局は、信号送信モードを切り替えるために使用される制御命令情報を端末デバイスに直ちに送信する。制御命令情報を受信した後、端末デバイスは、端末デバイスと基地局との間の円滑でない信号送信を回避するために信号送信モードを切り替える。
【００２４】
制御命令情報に基づいて端末側の信号送信モードを切り替える前に、端末デバイスは、切り替え先の信号送信モードをさらに設定する必要があり、設定情報を取得する方法として、以下のいくつかの態様を挙げることができる。具体的には、この方法として、第2の態様の第1の可能な実施態様〜第2の態様の第4の可能な実施態様が挙げられる。
【００２５】
第2の態様に関連して、第2の態様の第1の可能な実施態様では、制御命令情報は、新たに追加されるブロードキャスト情報要素を含み、
端末デバイスは、新たに追加されるブロードキャスト情報要素と、現在の信号送信モードに対応するブロードキャストである第1のブロードキャストとに基づいて、切り替え先の信号送信モードに対応する設定情報を決定し、
設定情報に基づいて切り替え先の信号送信モードを設定する。
【００２６】
第2の態様に関連して、第2の態様の第2の可能な実施態様では、制御命令情報に基づいて現在の信号送信モードを切り替え先の信号送信モードに切り替えるステップの前に、本方法は、
基地局によって送信された第2のブロードキャストを受信するステップであって、第2のブロードキャストが、新たに追加されるブロードキャスト情報要素が第1のブロードキャストに追加／から削除された後に取得されるブロードキャストであり、第1のブロードキャストが、現在の信号送信モードに対応するブロードキャストである、ステップと、第2のブロードキャストに基づいて、切り替え先の信号送信モードに対応する設定情報を決定するステップと、設定情報に基づいて切り替え先の信号送信モードを設定するステップとをさらに含む。
【００２７】
第2の態様に関連して、第2の態様の第3の可能な実施態様では、基地局によって送信された、信号送信モードを設定するために使用される制御命令情報を受信するステップの後に、本方法は、
基地局によって送信された第2のブロードキャストを受信するステップであって、第2のブロードキャストが、切り替え先の信号送信モードに対応するブロードキャストであり、第2のブロードキャストが、第1のブロードキャストの情報要素と同じ情報要素もしくは第1のブロードキャストの情報要素と同じ特性を有する情報要素および／または第1のブロードキャストに対して新たに追加されるブロードキャスト情報要素を含み、第1のブロードキャストが、現在の信号送信モードに対応するブロードキャストである、ステップと、第2のブロードキャストに基づいて切り替え先の信号送信モードの設定情報を決定し、設定情報に基づいて切り替え先の信号送信モードを設定するステップとをさらに含む。
【００２８】
第2の態様に関連して、第2の態様の第4の可能な実施態様では、制御命令情報に基づいて切り替え先の信号送信モードを設定するステップの前に、本方法は、
第1のブロードキャストと第2のブロードキャストとを別々に受信し、第1のブロードキャストおよび第2のブロードキャストから、切り替え先の信号送信モードに対応するブロードキャストを決定するステップと、切り替え先の信号送信モードに対応するブロードキャストに基づいて、切り替え先の信号送信モードに対応する設定情報を決定するステップと、設定情報に基づいて切り替え先の信号送信モードを設定するステップとをさらに含む。
【００２９】
第2の態様〜第2の態様の第4の可能な実施態様のいずれか1つに関連して、第2の態様の第5の可能な実施態様では、現在の信号送信モードを切り替え先の信号送信モードに切り替えるステップの前に、本方法は、基地局によって送信されたアップリンク送信リソース指示情報を受信するステップと、アップリンク送信リソース指示情報に基づいてアップリンク送信リソースを決定するステップと、切り替え先の信号送信モードの設定に成功したことを示す応答メッセージを、アップリンク送信リソースを使用して基地局に送信するステップとをさらに含む。
【００３０】
第2の態様の第5の可能な実施態様に関連して、第2の態様の第6の可能な実施態様では、信号送信モードを切り替えるステップの具体的な時点は以下の通りであり、切り替え先の信号送信モードの設定に成功したことを示す応答メッセージを基地局によって受信した時点が、開始時点として使用され、X番目のサブフレーム信号を受信した時点で現在の信号送信モードは、切り替え先の信号送信モードに切り替えられ、Xは、1以上の正の整数である。
【００３１】
第2の態様の第5の可能な実施態様に関連して、第2の態様の第7の可能な実施態様では、信号送信モードを切り替えるステップの具体的な時点は以下の通りであり、基地局が、切り替え先の信号送信モードの設定に成功したことを示す応答メッセージを第1の所定の期間内に受信した場合、現在の信号送信モードは、第1の所定の期間の終了時点からN番目のサブフレーム信号を受信した時点で切り替え先の信号送信モードに切り替えられ、Nが、1以上の正の整数であり、第1の所定の期間は、信号送信モードを設定するために使用される制御命令情報を基地局によって送信した時点から開始され、
基地局が、切り替え先の信号送信モードの設定に成功したことを示す応答メッセージを第1の所定の期間内に受信しなかった場合、現在の信号送信モードが維持される。
【００３２】
第2の態様〜第2の態様の第4の可能な実施態様のいずれか1つに関連して、第2の態様の第8の可能な実施態様では、現在の信号送信モードを切り替え先の信号送信モードに切り替えるステップの後に、本方法は、
基地局によって送信されたアップリンク送信リソース指示情報を受信するステップと、
アップリンク送信リソース指示情報に基づいてアップリンク送信リソースを決定するステップと、
切り替え先の信号送信モードの設定に成功したことを示す応答メッセージを、アップリンク送信リソースを使用して基地局に送信するステップと
をさらに含む。
【００３３】
基地局によって送信されたアップリンク送信リソース指示情報を受信した後、端末デバイスは、さらに、アップリンク送信リソース指示情報に基づいてアップリンク送信リソースを決定し、アップリンク送信リソースを使用して、切り替え先の信号送信モードの設定に成功したことを示す応答メッセージを送信する必要がある。アップリンク送信リソース指示情報を受信する具体的な時間は、端末デバイスが現在の信号送信モードを切り替え先の信号送信モードに切り替える前、または端末デバイスが現在の信号送信モードを切り替え先の信号送信モードに切り替えた後であってもよい。これは、具体的には実際の状況に応じて決定されるものであり、ここでは限定されない。方法に関係なく、アップリンク送信リソース指示情報を送信するために基地局によって使用される信号送信モードと、切り替え先の信号送信の設定を示す応答メッセージを送信するために端末デバイス側によって使用される信号送信モードとの間の整合性を確保することが目的である。言い換えれば、基地局と端末デバイスとの間で合意された信号送信モードでメッセージを受信することができ、これにより、基地局および端末デバイスは、メッセージの受信に成功することができる。
【００３４】
第3の態様によれば、本発明の一実施形態は、基地局をさらに提供する。基地局は、
基地局と端末デバイスとの間の信号送信が異常であるかどうかを検出するように構成される検出ユニットと、
検出ユニットが、基地局と端末デバイスとの間の信号送信が異常であることを検出したときに、信号送信モードを設定するために使用される制御命令情報を端末デバイスに送信するように構成される送信ユニットであって、制御命令情報が、端末デバイスに、端末デバイス側の現在の信号送信モードを切り替え先の信号送信モードに切り替えるよう命令するために使用される、送信ユニットと、
現在の信号送信モードを切り替え先の信号送信モードに切り替えるように構成される処理ユニットであって、切り替え先の信号送信モードが、現在の信号送信モード以外の第2の信号送信モードである、処理ユニットと
を含む。
【００３５】
検出ユニットが、基地局と端末デバイスとの間の信号送信のモードが異常であることを検出したとき、送信ユニットは、検出ユニットの検出結果に基づいて、信号送信モードを切り替えるために使用される制御命令情報を端末デバイスに直ちに送信し、これにより、端末デバイスは、端末デバイスと基地局との間の円滑でない信号送信を回避するために信号送信モードを切り替える。基地局側も、端末デバイスと信号送信モードを同期させるために信号送信モードを切り替える必要がある。
【００３６】
第3の態様に関連して、第3の態様の第1の可能な実施態様では、検出ユニットは、
端末デバイスの受信信号強度値が第1の所定の閾値よりも小さいかどうかを検出するか、または
端末デバイスがアップリンク信号を送信する速度が第2の所定の閾値よりも小さいかどうかを検出する
ように特に構成される。
【００３７】
本発明では、信号送信が異常である2つのケースのみが挙げられているが、これは、2つのケースしか存在しないことを表すものではないことを理解されたい。別の異常なケースでも信号送信モードを切り替える必要があるが、ここでは詳細は説明しない。
【００３８】
制御命令情報に基づいて端末側の信号送信モードを切り替える前に、端末デバイスは、切り替え先の信号送信モードをさらに設定する必要があり、設定情報を取得する方法として、以下のいくつかの態様を挙げることができる。具体的には、この方法として、第3の態様の第2の可能な実施態様および第3の態様の第3の可能な実施態様が挙げられる。他の2つの方法については、端末デバイス側に関して詳細に説明することとし、ここでは詳細は説明しない。
【００３９】
第3の態様または第3の態様の第1の可能な実施態様に関連して、第3の態様の第2の可能な実施態様では、
制御命令情報は、新たに追加されるブロードキャスト情報要素を含み、これにより、端末デバイスは、新たに追加されるブロードキャスト情報要素および第1のブロードキャストに基づいて、切り替え先の信号送信モードに対応する設定情報を決定し、第1のブロードキャストは、現在の信号送信モードに対応するブロードキャストである。
【００４０】
第3の態様または第3の態様の第1の可能な実施態様に関連して、第3の態様の第3の可能な実施態様では、処理ユニットは、現在の信号送信モードに対応する第1のブロードキャストに新たに追加されるブロードキャスト情報要素を追加／から新たに追加されるブロードキャスト情報要素を削除し、取得したブロードキャストを第2のブロードキャストとして使用し、これにより、端末デバイスが、第2のブロードキャストに基づいて、切り替え先の信号送信モードに対応する設定情報を決定し、第1のブロードキャストが、現在の信号送信モードに対応するブロードキャストである、ようにさらに構成される。
【００４１】
第3の態様〜第3の態様の第3の可能な実施態様のいずれか1つに関連して、第3の態様の第4の可能な実施態様では、
送信ユニットは、処理ユニットが現在の信号送信モードを切り替え先の信号送信モードに切り替える前に、アップリンク送信リソース指示情報を端末デバイスに送信し、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ようにさらに構成される。
【００４２】
第3の態様の第4の可能な実施態様に関連して、第3の態様の第5の可能な実施態様では、基地局は、
端末デバイスによって送信された、切り替え先の信号送信モードの設定に成功したことを示す応答メッセージを受信するように構成される受信ユニットをさらに含み、処理ユニットは、応答メッセージに基づいて現在の信号送信モードを切り替え先の信号送信モードに切り替えるようにさらに構成される。
【００４３】
第3の態様の第5の可能な実施態様に関連して、第3の態様の第6の可能な実施態様では、処理ユニットによって現在の信号送信モードを切り替え先の信号送信モードに切り替える具体的な時点は以下の通りであり、
端末デバイスによって送信された、切り替え先の信号送信モードの設定に成功したことを示す応答メッセージを受信ユニットによって受信した時点が、開始時点として使用され、処理ユニットは、X番目のサブフレーム信号を受信した時点で現在の信号送信モードを切り替え先の信号送信モードに切り替え、Xは、1以上の正の整数である。
【００４４】
第3の態様の第5の可能な実施態様に関連して、第3の態様の第7の可能な実施態様では、
処理ユニットによって現在の信号送信モードを切り替え先の信号送信モードに切り替える具体的な時点は以下の通りであり、
受信ユニットが、端末デバイスによって送信された、切り替え先の信号送信モードの設定に成功したことを示す応答メッセージを第1の所定の期間内に受信した場合、処理ユニットは、第1の所定の期間の終了時点からN番目のサブフレーム信号を受信した時点で現在の信号送信モードを切り替え先の信号送信モードに切り替え、Nは、1以上の正の整数であり、第1の所定の期間は、信号送信モードを設定するために使用される制御命令情報を、送信ユニットによって端末デバイスに送信した時点から開始され、
受信ユニットが、端末デバイスによって送信された、切り替え先の信号送信モードの設定に成功したことを示す応答メッセージを第1の所定の期間内に受信しなかった場合、処理ユニットは、現在の信号送信モードを維持する。
【００４５】
第3の態様〜第3の態様の第3の可能な実施態様のいずれか1つに関連して、第3の態様の第8の可能な実施態様では、送信ユニットは、
処理ユニットが現在の信号送信モードを切り替え先の信号送信モードに切り替えた後に、アップリンク送信リソース指示情報を端末デバイスに送信し、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ようにさらに構成される。
【００４６】
第3の態様の第8の可能な実施態様に関連して、第3の態様の第9の可能な実施態様では、基地局は、受信ユニットであって、端末デバイスによって送信された、切り替え先の信号送信モードの設定に成功したことを示す応答メッセージを受信するように構成される受信ユニットをさらに含む。
【００４７】
第3の態様〜第3の態様の第3の可能な実施態様のいずれかに関連して、第3の態様の第10の可能な実施態様では、送信ユニットは、信号送信モードを設定するために使用される制御命令情報を端末デバイスに送信した後に、現在の信号送信モードおよび第2の信号送信モードを使用してアップリンク送信リソース指示情報を端末デバイスに別々に送信し、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ようにさらに構成される。
【００４８】
第3の態様の第10の可能な実施態様に関連して、第3の態様の第11の可能な実施態様では、検出ユニットは、現在の信号送信モードに対応する第1の受信ユニットまたは第2の信号送信モードに対応する第2の受信ユニットの一方が、端末デバイスによって送信された、信号送信モードの設定に成功したことを示す応答メッセージを受信することができるかを判定するために、第1の受信ユニットおよび第2の受信ユニットを別々に検出するようにさらに構成され、処理ユニットは、端末デバイスによって送信された、信号送信モードの設定に成功したことを示す応答メッセージを受信した時点を開始時点として使用し、J番目のサブフレーム信号を受信した時点で現在の信号送信モードを切り替え先の信号送信モードに切り替え、Jは、1以上の正の整数である、ようにさらに構成される。
【００４９】
第4の態様によれば、本発明の一実施形態は、端末デバイスをさらに提供する。端末デバイスは、
基地局によって送信された、信号送信モードを設定するために使用される制御命令情報を受信するように構成される受信ユニットと、
制御命令情報に基づいて現在の信号送信モードを切り替え先の信号送信モードに切り替えるように構成される処理ユニットであって、切り替え先の信号送信モードが、現在の信号送信モード以外の第2の信号送信モードである、処理ユニットと
を含む。
【００５０】
第4の態様に関連して、第4の態様の第1の可能な実施態様では、制御命令情報は、新たに追加されるブロードキャスト情報要素を含み、
処理ユニットは、新たに追加されるブロードキャスト情報要素と、現在の信号送信モードに対応するブロードキャストである第1のブロードキャストとに基づいて、切り替え先の信号送信モードに対応する設定情報を決定し、設定情報に基づいて切り替え先の信号送信モードを設定するように構成される。
【００５１】
第4の態様に関連して、第4の態様の第2の可能な実施態様では、受信ユニットは、処理ユニットが制御命令情報に基づいて現在の信号送信モードを切り替え先の信号送信モードに切り替える前に、基地局によって送信された第2のブロードキャストを受信し、第2のブロードキャストが、新たに追加されるブロードキャスト情報要素が第1のブロードキャストに追加／から削除された後に取得されるブロードキャストであり、第1のブロードキャストが、現在の信号送信モードに対応するブロードキャストである、ようにさらに構成され、
処理ユニットは、第2のブロードキャストに基づいて、切り替え先の信号送信モードに対応する設定情報を決定し、設定情報に基づいて切り替え先の信号送信モードを設定するようにさらに構成される。
【００５２】
第4の態様に関連して、第4の態様の第3の可能な実施態様では、受信ユニットは、基地局によって送信された、信号送信モードを設定するために使用される制御命令情報を受信した後に、基地局によって送信された第2のブロードキャストを受信し、第2のブロードキャストが、切り替え先の信号送信モードに対応するブロードキャストであり、第2のブロードキャストが、第1のブロードキャストの情報要素と同じ情報要素もしくは第1のブロードキャストの情報要素と同じ特性を有する情報要素および／または第1のブロードキャストに対して新たに追加されるブロードキャスト情報要素を含み、第1のブロードキャストが、現在の信号送信モードに対応するブロードキャストである、ようにさらに構成され、
処理ユニットは、第2のブロードキャストに基づいて、切り替え先の信号送信モードの設定情報を決定し、設定情報に基づいて切り替え先の信号送信モードを設定するようにさらに構成される。
【００５３】
第4の態様に関連して、第4の態様の第4の可能な実施態様では、受信ユニットは、処理ユニットが制御命令情報に基づいて切り替え先の信号送信モードを設定する前に、第1のブロードキャストと第2のブロードキャストとを別々に受信し、第1のブロードキャストおよび第2のブロードキャストから、切り替え先の信号送信モードに対応するブロードキャストを決定するようにさらに構成され、
処理ユニットは、切り替え先の信号送信モードに対応するブロードキャストに基づいて、切り替え先の信号送信モードに対応する設定情報を決定し、設定情報に基づいて切り替え先の信号送信モードを設定するようにさらに構成される。
【００５４】
第4の態様〜第4の態様の第4の可能な実施態様のいずれか1つに関連して、第4の態様の第5の可能な実施態様では、基地局は、送信ユニットをさらに含み、受信ユニットは、処理ユニットが現在の信号送信モードを切り替え先の信号送信モードに切り替える前に、基地局によって送信されたアップリンク送信リソース指示情報を受信するようにさらに構成され、処理ユニットは、アップリンク送信リソース指示情報に基づいてアップリンク送信リソースを決定するようにさらに構成され、送信ユニットは、切り替え先の信号送信モードの設定に成功したことを示す応答メッセージを、アップリンク送信リソースを使用して基地局に送信するように構成される。
【００５５】
第4の態様の第5の可能な実施態様に関連して、第4の態様の第6の可能な実施態様では、処理ユニットによって信号送信モードを切り替える具体的な時点は以下の通りであり、切り替え先の信号送信モードの設定に成功したことを示す応答メッセージを基地局によって受信した時点が開始時点として使用され、信号送信モードは、X番目のサブフレーム信号が受信された直後の時点で切り替えられ、Xは、1以上の正の整数である。
【００５６】
第4の態様の第5の可能な実施態様に関連して、第4の態様の第7の可能な実施態様では、処理ユニットによって信号送信モードを切り替える具体的な時点は以下の通りであり、
基地局が、切り替え先の信号送信モードの設定に成功したことを示す応答メッセージを第1の所定の期間内に受信した場合、現在の信号送信モードは、第1の所定の期間の終了時点からN番目のサブフレーム信号を受信した時点で切り替え先の信号送信モードに切り替えられ、Nが、1以上の正の整数であり、第1の所定の期間は、信号送信モードを設定するために使用される制御命令情報を基地局によって送信した時点から開始され、
基地局が、切り替え先の信号送信モードの設定に成功したことを示す応答メッセージを第1の所定の期間内に受信しなかった場合、現在の信号送信モードが維持される。
【００５７】
第4の態様〜第4の態様の第4の可能な実施態様のいずれか1つに関連して、第4の態様の第8の可能な実施態様では、端末デバイスは、送信ユニットをさらに含み、
受信ユニットは、処理ユニットが現在の信号送信モードを切り替え先の信号送信モードに切り替えた後に、基地局によって送信されたアップリンク送信リソース指示情報を受信するようにさらに構成され、
処理ユニットは、アップリンク送信リソース指示情報に基づいてアップリンク送信リソースを決定するようにさらに構成され、
送信ユニットは、切り替え先の信号送信モードの設定に成功したことを示す応答メッセージを、アップリンク送信リソースを使用して基地局に送信するように構成される。
【００５８】
第5の態様によれば、本発明の一実施形態は、基地局をさらに提供する。基地局は、
基地局と端末デバイスとの間の信号送信が異常であるかどうかを検出するように構成される検出器と、
検出器が、基地局と端末デバイスとの間の信号送信が異常であることを検出したときに、信号送信モードを設定するために使用される制御命令情報を端末デバイスに送信するように構成される送信機であって、制御命令情報が、端末デバイスに、端末デバイス側の現在の信号送信モードを切り替え先の信号送信モードに切り替えるよう命令するために使用される、送信機と、
現在の信号送信モードを切り替え先の信号送信モードに切り替えるように構成されるプロセッサであって、切り替え先の信号送信モードが、現在の信号送信モード以外の第2の信号送信モードである、プロセッサと
を含む。
【００５９】
検出器が、基地局と端末デバイスとの間の信号送信のモードが異常であることを検出したとき、送信機は、検出器の検出結果に基づいて、信号送信モードを切り替えるために使用される制御命令情報を端末デバイスに直ちに送信し、これにより、端末デバイスは、端末デバイスと基地局との間の円滑でない信号送信を回避するために信号送信モードを切り替える。基地局側も、端末デバイスと信号送信モードを同期させるために信号送信モードを切り替える必要がある。
【００６０】
第5の態様に関連して、第5の態様の第1の可能な実施態様では、検出機は、
端末デバイスの受信信号強度値が第1の所定の閾値よりも小さいかどうかを検出するか、または
端末デバイスがアップリンク信号を送信する速度が第2の所定の閾値よりも小さいかどうかを検出する
ように特に構成される。
【００６１】
本発明では、信号送信が異常である2つのケースのみが挙げられているが、これは、2つのケースしか存在しないことを表すものではないことを理解されたい。別の異常なケースでも信号送信モードを切り替える必要があるが、ここでは詳細は説明しない。
【００６２】
制御命令情報に基づいて端末側の信号送信モードを切り替える前に、端末デバイスは、切り替え先の信号送信モードをさらに設定する必要があり、設定情報を取得する方法として、以下のいくつかの態様を挙げることができる。具体的には、この方法として、第5の態様の第2の可能な実施態様および第5の態様の第3の可能な実施態様が挙げられる。他の2つの方法については、端末デバイス側に関して詳細に説明することとし、ここでは詳細は説明しない。
【００６３】
第5の態様または第5の態様の第1の可能な実施態様に関連して、第5の態様の第2の可能な実施態様では、
制御命令情報は、新たに追加されるブロードキャスト情報要素を含み、これにより、端末デバイスは、新たに追加されるブロードキャスト情報要素および第1のブロードキャストに基づいて、切り替え先の信号送信モードに対応する設定情報を決定し、第1のブロードキャストは、現在の信号送信モードに対応するブロードキャストである。
【００６４】
第5の態様または第5の態様の第1の可能な実施態様に関連して、第5の態様の第3の可能な実施態様では、プロセッサは、現在の信号送信モードに対応する第1のブロードキャストに新たに追加されるブロードキャスト情報要素を追加／から新たに追加されるブロードキャスト情報要素を削除し、取得したブロードキャストを第2のブロードキャストとして使用し、これにより、端末デバイスが、第2のブロードキャストに基づいて、切り替え先の信号送信モードに対応する設定情報を決定し、第1のブロードキャストが、現在の信号送信モードに対応するブロードキャストである、ようにさらに構成される。
【００６５】
第5の態様〜第5の態様の第3の可能な実施態様のいずれか1つに関連して、第5の態様の第4の可能な実施態様では、
送信機は、プロセッサが現在の信号送信モードを切り替え先の信号送信モードに切り替える前に、アップリンク送信リソース指示情報を端末デバイスに送信し、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ようにさらに構成される。
【００６６】
第5の態様の第4の可能な実施態様に関連して、第5の態様の第5の可能な実施態様では、基地局は、
端末デバイスによって送信された、切り替え先の信号送信モードの設定に成功したことを示す応答メッセージを受信するように構成される受信機をさらに含み、プロセッサは、応答メッセージに基づいて現在の信号送信モードを切り替え先の信号送信モードに切り替えるようにさらに構成される。
【００６７】
第5の態様の第5の可能な実施態様に関連して、第5の態様の第6の可能な実施態様では、プロセッサによって現在の信号送信モードを切り替え先の信号送信モードに切り替える具体的な時点は以下の通りであり、
端末デバイスによって送信された、切り替え先の信号送信モードの設定に成功したことを示す応答メッセージを受信機によって受信した時点が、開始時点として使用され、プロセッサは、X番目のサブフレーム信号を受信した時点で現在の信号送信モードを切り替え先の信号送信モードに切り替え、Xは、1以上の正の整数である。
【００６８】
第5の態様の第5の可能な実施態様に関連して、第5の態様の第7の可能な実施態様では、
プロセッサによって現在の信号送信モードを切り替え先の信号送信モードに切り替える具体的な時点は以下の通りであり、
受信機が、端末デバイスによって送信された、切り替え先の信号送信モードの設定に成功したことを示す応答メッセージを第1の所定の期間内に受信した場合、プロセッサは、第1の所定の期間の終了時点からN番目のサブフレーム信号を受信した時点で現在の信号送信モードを切り替え先の信号送信モードに切り替え、Nは、1以上の正の整数であり、第1の所定の期間は、信号送信モードを設定するために使用される制御命令情報を、送信機によって端末デバイスに送信した時点から開始され、
受信機が、端末デバイスによって送信された、切り替え先の信号送信モードの設定に成功したことを示す応答メッセージを第1の所定の期間内に受信しなかった場合、プロセッサは、現在の信号送信モードを維持する。
【００６９】
第5の態様〜第5の態様の第3の可能な実施態様のいずれか1つに関連して、第5の態様の第8の可能な実施態様では、送信機は、
プロセッサが現在の信号送信モードを切り替え先の信号送信モードに切り替えた後に、アップリンク送信リソース指示情報を端末デバイスに送信し、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ようにさらに構成される。
【００７０】
第5の態様の第8の可能な実施態様に関連して、第5の態様の第9の可能な実施態様では、基地局は、受信機であって、端末デバイスによって送信された、切り替え先の信号送信モードの設定に成功したことを示す応答メッセージを受信するように構成される受信機をさらに含む。
【００７１】
第5の態様〜第5の態様の第3の可能な実施態様のいずれかに関連して、第5の態様の第10の可能な実施態様では、送信機は、信号送信モードを設定するために使用される制御命令情報を端末デバイスに送信した後に、現在の信号送信モードおよび第2の信号送信モードを使用してアップリンク送信リソース指示情報を端末デバイスに別々に送信し、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ようにさらに構成される。
【００７２】
第5の態様の第10の可能な実施態様に関連して、第5の態様の第11の可能な実施態様では、検出器は、端末デバイスによって送信された、信号送信モードの設定に成功したことを示す応答メッセージが現在の信号送信モードに対応する第1の受信機または第2の信号送信モードに対応する第2の受信機の一方によって受信され得るかを判定するために、第1の受信機および第2の受信機を別々に検出するようにさらに構成され、プロセッサは、端末デバイスによって送信された、信号送信モードの設定に成功したことを示す応答メッセージを受信した時点を開始時点として使用し、J番目のサブフレーム信号を受信した時点で現在の信号送信モードを切り替え先の信号送信モードに切り替え、Jは、1以上の正の整数である、ようにさらに構成される。
【００７３】
第6の態様によれば、本発明の一実施形態は、端末デバイスをさらに提供する。端末デバイスは、
基地局によって送信された、信号送信モードを設定するために使用される制御命令情報を受信するように構成される受信機と、
制御命令情報に基づいて現在の信号送信モードを切り替え先の信号送信モードに切り替えるように構成されるプロセッサであって、切り替え先の信号送信モードが、現在の信号送信モード以外の第2の信号送信モードである、プロセッサと
を含む。
【００７４】
第6の態様に関連して、第6の態様の第1の可能な実施態様では、制御命令情報は、新たに追加されるブロードキャスト情報要素を含み、
プロセッサは、新たに追加されるブロードキャスト情報要素と、現在の信号送信モードに対応するブロードキャストである第1のブロードキャストとに基づいて、切り替え先の信号送信モードに対応する設定情報を決定し、設定情報に基づいて切り替え先の信号送信モードを設定するように構成される。
【００７５】
第6の態様に関連して、第6の態様の第2の可能な実施態様では、受信機は、プロセッサが制御命令情報に基づいて現在の信号送信モードを切り替え先の信号送信モードに切り替える前に、基地局によって送信された第2のブロードキャストを受信し、第2のブロードキャストが、新たに追加されるブロードキャスト情報要素が第1のブロードキャストに追加／から削除された後に取得されるブロードキャストであり、第1のブロードキャストが、現在の信号送信モードに対応するブロードキャストである、ようにさらに構成され、
プロセッサは、第2のブロードキャストに基づいて、切り替え先の信号送信モードに対応する設定情報を決定し、設定情報に基づいて切り替え先の信号送信モードを設定するようにさらに構成される。
【００７６】
第6の態様に関連して、第6の態様の第3の可能な実施態様では、受信機は、基地局によって送信された、信号送信モードを設定するために使用される制御命令情報を受信した後に、基地局によって送信された第2のブロードキャストを受信し、第2のブロードキャストが、切り替え先の信号送信モードに対応するブロードキャストであり、第2のブロードキャストが、第1のブロードキャストの情報要素と同じ情報要素もしくは第1のブロードキャストの情報要素と同じ特性を有する情報要素および／または第1のブロードキャストに対して新たに追加されるブロードキャスト情報要素を含み、第1のブロードキャストが、現在の信号送信モードに対応するブロードキャストである、ようにさらに構成され、
プロセッサは、第2のブロードキャストに基づいて、切り替え先の信号送信モードの設定情報を決定し、設定情報に基づいて切り替え先の信号送信モードを設定するようにさらに構成される。
【００７７】
第6の態様に関連して、第6の態様の第4の可能な実施態様では、受信機は、プロセッサが制御命令情報に基づいて切り替え先の信号送信モードを設定する前に、第1のブロードキャストと第2のブロードキャストとを別々に受信し、第1のブロードキャストおよび第2のブロードキャストから、切り替え先の信号送信モードに対応するブロードキャストを決定するようにさらに構成され、
プロセッサは、切り替え先の信号送信モードに対応するブロードキャストに基づいて、切り替え先の信号送信モードに対応する設定情報を決定し、設定情報に基づいて切り替え先の信号送信モードを設定するようにさらに構成される。
【００７８】
第6の態様〜第6の態様の第4の可能な実施態様のいずれか1つに関連して、第6の態様の第5の可能な実施態様では、受信機は、プロセッサが現在の信号送信モードを切り替え先の信号送信モードに切り替える前に、基地局によって送信されたアップリンク送信リソース指示情報を受信するようにさらに構成され、プロセッサは、アップリンク送信リソース指示情報に基づいてアップリンク送信リソースを決定するようにさらに構成され、送信機は、切り替え先の信号送信モードの設定に成功したことを示す応答メッセージを、アップリンク送信リソースを使用して基地局に送信するようにさらに構成される。
【００７９】
第6の態様の第5の可能な実施態様に関連して、第6の態様の第6の可能な実施態様では、プロセッサによって信号送信モードを切り替える具体的な時点は以下の通りであり、切り替え先の信号送信モードの設定に成功したことを示す応答メッセージを基地局によって受信した時点が開始時点として使用され、信号送信モードは、X番目のサブフレーム信号が受信された直後の時点で切り替えられ、Xは、1以上の正の整数である。
【００８０】
第6の態様の第5の可能な実施態様に関連して、第6の態様の第7の可能な実施態様では、プロセッサによって信号送信モードを切り替える具体的な時点は以下の通りであり、
基地局が、切り替え先の信号送信モードの設定に成功したことを示す応答メッセージを第1の所定の期間内に受信した場合、現在の信号送信モードは、第1の所定の期間の終了時点からN番目のサブフレーム信号を受信した時点で切り替え先の信号送信モードに切り替えられ、Nが、1以上の正の整数であり、第1の所定の期間は、信号送信モードを設定するために使用される制御命令情報を基地局によって送信した時点から開始され、
基地局が、切り替え先の信号送信モードの設定に成功したことを示す応答メッセージを第1の所定の期間内に受信しなかった場合、現在の信号送信モードが維持される。
【００８１】
第6の態様〜第6の態様の第4の可能な実施態様のいずれか1つに関連して、第6の態様の第8の可能な実施態様では、受信機は、
プロセッサが現在の信号送信モードを切り替え先の信号送信モードに切り替えた後に、基地局によって送信されたアップリンク送信リソース指示情報を受信するようにさらに構成され、
プロセッサは、アップリンク送信リソース指示情報に基づいてアップリンク送信リソースを決定するようにさらに構成され、
送信機は、切り替え先の信号送信モードの設定に成功したことを示す応答メッセージを、アップリンク送信リソースを使用して基地局に送信するようにさらに構成される。
【００８２】
本発明の実施形態において提供される信号送信モード切替方法では、端末デバイスは、切り替え先の信号送信モードに対応するブロードキャストを複数の方法で取得し、ブロードキャスト情報に基づいて切り替え先の信号送信モードの設定情報を決定し、設定情報に基づいて切り替え先の信号送信モードを設定し、次に、現在の信号送信モードを切り替え先の信号送信モードに切り替える。加えて、基地局および端末デバイスは、送信モードに関する、基地局と端末デバイスとの間の認識の整合性の問題を回避するために、合意された期間に現在の信号送信モードを切り替え先の信号送信モードに別々に切り替える。
【図面の簡単な説明】
【００８３】
【図１】従来技術において端末デバイスがNCモードからCEモードに受動的に切り替わる概略構成図である。
【図２】本発明の実施形態1による信号送信モード切替方法の概略フローチャートである。
【図３】本発明の実施形態2による別の信号送信モード切替方法の概略フローチャートである。
【図４】本発明の一実施形態による、モード切替期間に関して基地局と端末デバイスとの間の認識の整合性を実現するための方法の概略フローチャートである。
【図５】本発明の一実施形態による、モード切替期間に関して基地局と端末デバイスとの間の認識の整合性を実現するための別の方法の概略フローチャートである。
【図６】本発明の一実施形態による、モード切替期間に関して基地局と端末デバイスとの間の認識の整合性を実現するための別の方法の概略フローチャートである。
【図７】本発明の一実施形態による、モード切替期間に関して基地局と端末デバイスとの間の認識の整合性を実現するための別の方法の概略フローチャートである。
【図８】本発明の実施形態3による基地局の概略構成図である。
【図９】本発明の実施形態4による端末デバイスの概略構成図である。
【図１０】本発明の実施形態5による別の基地局の概略構成図である。
【図１１】本発明の実施形態6による別の端末デバイスの概略構成図である。
【発明を実施するための形態】
【００８４】
本発明の実施形態の目的、技術的解決策、および利点をより明確にするために、以下では、本発明の実施形態の添付図面を参照しながら本発明の実施形態の技術的解決策を説明する。明らかに、説明されている実施形態は、本発明の実施形態のすべてではなく、本発明の実施形態の一部である。創造的な努力なしに本発明の実施形態に基づいて当業者によって得られる他のすべての実施形態は、本発明の保護範囲内に含まれるものとする。
【００８５】
複数の信号送信モードがあり得る。しかしながら、本発明の技術的解決策をよりよく説明するために、以下の特定の実施形態では、2つの送信モードのみが説明のための例として使用される。加えて、以下で挙げられる具体例では、第1の送信モードをNCモードと定め、第2の送信モードをCEモードと定める。もちろん、本発明の実施形態において「第1の」および「第2の」などの序数が言及されるとき、それらは、文脈により明確に順序を示さない限り、単に区別するために使用される。
【００８６】
本発明の実施形態1は、信号送信モード切替方法の概略フローチャート200を提供する。この方法は、主に基地局によって実行される。具体的には、図2に示すように、この方法は以下のステップを含む。
【００８７】
ステップ210：端末デバイスとの間の信号送信が異常であることが検出されたときに、信号送信モードを設定するために使用される制御命令情報を端末デバイスに送信する。
【００８８】
具体的には、基地局と端末デバイスとの間の信号送信が異常となる複数のケースがあり得る。例えば、端末デバイスの受信信号強度値が第1の所定の閾値よりも小さいことが検出されるか、または端末デバイスがアップリンク信号を送信する速度が第2の所定の閾値よりも小さいことが検出される。任意選択で、制御命令情報は、無線リソース制御（Radio Resource Control、略してRRC）情報であってもよい。
【００８９】
通常、端末デバイスが「近くの地点」からネットワークにアクセスするとき、端末デバイスは、通常の信号カバレッジ内にあり、比較的強い信号受信能力を有する。しかしながら、端末デバイスが「遠くの地点」からネットワークにアクセスするとき、端末デバイスは、比較的弱い信号カバレッジ内にあり、その結果、比較的弱い信号受信能力を有する。したがって、基地局は、端末デバイスがネットワークにアクセスしたとき、ユーザの端末デバイスが「近くの地点」または「遠くの地点」のどちらからネットワークにアクセスしているかを判定するために受信信号強度値を最初に検出する必要がある。もちろん、読者は、「近くの地点」および「遠くの地点」の両方が相対的な概念であることを理解しなければならない。基地局によって送信される信号のカバレッジにおいて、信号受信能力が比較的強い地点が、「近くの地点」であり、基地局によって送信される信号のカバレッジの縁の位置または信号受信能力が比較的弱いもしくは0でさえある位置が、「遠くの地点」として定められ得る。例えば、図1（a）に示すように、端末デバイスは、「近くの地点」からネットワークにアクセスし、図1（b）に示すように、端末デバイスは、「遠くの地点」からネットワークにアクセスする。端末デバイスが「遠くの地点」からネットワークにアクセスするとき、受信信号強度値は、通常、第1の所定の閾値よりも小さい。あるいは、端末デバイスが「遠くの地点」からネットワークにアクセスするとき、さらに、基地局側によって受信されるアップリンク信号の速度が、第2の所定の閾値より小さくてもよい。したがって、基地局は、信号送信モードを設定するために使用される制御命令情報を端末デバイスに送信する必要がある。制御命令情報は、端末デバイス側の現在の信号送信モードを切り替え先の信号送信モードに切り替えることを命令するために使用される。
【００９０】
もちろん、先に挙げた「異常なケース」は単なる例であり、読者は、これらの異常なケースをすべての「異常なケース」として結論付けてはならない。基地局と端末デバイスとの間の信号送信が異常となる複数のケースがあり得る。簡単な説明のために、ここでは詳細は説明しない。
【００９１】
ステップ220：現在の信号送信モードを切り替え先の信号送信モードに切り替える。
【００９２】
具体的には、切り替え先の信号送信モードは、現在の信号送信モード以外の第2の信号送信モードである。
【００９３】
信号送信モードを切り替える前に、端末デバイスは、切り替え先の信号送信モードに対応する設定情報、例えば、切り替え先の信号送信モードに対応する基本セル情報を最初に決定する必要がある。設定情報は、基地局によって送信されるブロードキャストを使用することによって取得される必要がある。背景技術で説明したように、例えば、基地局は「近くの地点」からネットワークにアクセスする。この場合、対応する信号送信モードはNCである。端末デバイスがCEモードに切り替わる必要があるとき、端末デバイスは、eMTCブロードキャストの存在を知らない。言い換えれば、端末デバイスが現在の信号送信モードを切り替え先の信号送信モードに切り替える必要があるとき、端末デバイスは、切り替え先の信号送信モードに対応するブロードキャストコンテンツを知らず、したがって、切り替え先の信号送信モードに対応するブロードキャストコンテンツに基づいて、切り替え先の信号送信モードに対応する設定情報を決定することができない。したがって、端末デバイスは、切り替え先の信号送信モードを設定することができない。この場合、本発明は、設定情報を取得する以下のいくつかの方法を提供する。
【００９４】
第1の方法では、信号送信モードを設定するために使用される制御命令情報が端末デバイスに送信されるとき、新たに追加されるブロードキャスト情報要素を、制御命令情報に追加／から削除することができ、これにより、端末デバイスは、新たに追加されるブロードキャスト情報要素および第1のブロードキャストに基づいて、切り替え先の信号送信モードに対応する設定情報を決定することができる。第1のブロードキャストは、現在の信号送信モードに対応するブロードキャストである。
【００９５】
現在の信号送信モードに対応するブロードキャストおよび切り替え先の信号送信モードに対応するブロードキャストの両方が、基地局によって周期的に送信されるブロードキャストであることを理解されたい。端末デバイスがブロードキャストの存在を知っていてブロードキャストを受信する必要があるとき、端末デバイスは、定期的にブロードキャストを受信することができる。
【００９６】
第2の方法では、新たに追加されるブロードキャスト情報要素が、現在の信号送信モードに対応する第1のブロードキャストに追加／から削除され、取得されたブロードキャストが第2のブロードキャストとして使用され、これにより、端末デバイスは、第2のブロードキャストに基づいて、切り替え先の信号送信モードに対応する設定情報を決定する。第1のブロードキャストは、現在の信号送信モードに対応するブロードキャストである。
【００９７】
具体例において、第1のブロードキャストがロングタームエボリューション（Long Term Evolution、略してLTE）ブロードキャストであり、第2のブロードキャストがeMTCブロードキャストである場合、2つのタイプの新たに追加されるブロードキャスト情報要素があり得る。
【００９８】
1つのタイプは、最も重要なブロードキャスト、すなわちMIB（Master Information Block）ブロードキャストであり、新たに追加されるブロードキャスト情報要素はschedulingInfoSIB1−BR−r13である。
【００９９】
もう1つのタイプは、システムブロードキャスト、すなわちSIB（System Information Blocks）ブロードキャストであり、新たに追加されるブロードキャストコンテンツは、
「bandwidthReducedAccessRelatedInfo−r13」、「CellSelectionInfoCE−r13」、または「t−ReselectioNCUTRA−CE−r13」などの情報要素である。
【０１００】
以下で、端末デバイス側で行われる、信号送信モードの切り替えについて説明するときに、他の2つの方法について詳細に説明することとし、ここでは詳細は説明しない。
【０１０１】
第2のブロードキャストは、新たに追加される情報要素および／または第1のブロードキャストの情報要素とまったく同じ情報要素を含むことができるし、新たに追加される情報要素および／または第1のブロードキャストの情報要素と同じ特性を有する情報要素を含むことができることに留意されたい。第2のブロードキャストの具体的なコンテンツは、実際の状況に従って決定されてもよく、本明細書では限定されない。
【０１０２】
制御命令情報を送信した後、基地局は、端末デバイスによって送信される、切り替え先の信号送信モードの設定に成功したことを示す応答メッセージを受信する必要がある。したがって、これの前に、基地局は、アップリンク送信リソース指示情報を端末デバイスに送信する必要がある。指示情報は、端末デバイスに、アップリンク送信リソースを決定し、アップリンク送信リソースを使用して、切り替え先の信号送信モードの設定に成功したことを示す応答メッセージを基地局に送信するよう命令するために使用される。
【０１０３】
応答メッセージを受信した後、基地局は、現在の信号送信モードを切り替え先の信号送信モードに切り替える。
【０１０４】
基地局側は、信号送信モードの切り替え中に基地局側と端末デバイス側との間の整合性を実現するために、信号送信モードを切り替える具体的な時点を決定することができる。信号送信モードを決定する具体的な時点としては以下が挙げられ得る。
【０１０５】
端末デバイスによって送信された、切り替え先の信号送信モードの設定に成功したことを示す応答メッセージを受信した時点が、開始時点として使用され、現在の信号送信モードは、X番目のサブフレーム信号を受信した時点で切り替え先の信号送信モードに切り替えられ、Xは、1以上の正の整数である。
【０１０６】
あるいは、端末デバイスによって送信された、切り替え先の信号送信モードの設定に成功したことを示す応答メッセージが、第1の所定の期間（第1の期間は、K個のサブフレーム信号を受信する時間に等しいと想定される）内に受信された場合、現在の信号送信モードは、第1の所定の期間が終了してからN番目のサブフレーム信号を受信した時点で切り替え先の信号送信モードに切り替えられ、Nは、1以上の正の整数であり、第1の期間は、信号送信モードを設定するために使用される制御命令情報を、基地局によって端末デバイスに送信した時点から開始される。具体的には、信号送信モードを設定するために使用される制御命令情報を、基地局によって端末デバイスに送信した時点からK＋N個のサブフレーム信号を受信した時点が、現在の信号送信モードを切り替え先の信号送信モードに切り替える時点として使用される。しかしながら、端末デバイスによって送信された、切り替え先の信号送信モードの設定に成功したことを示す応答メッセージが第1の所定の期間内に受信されなかった場合、現在の信号送信モードが維持される。KとNはどちらも1以上の正の整数である。
【０１０７】
別の場合には、基地局および端末デバイスは、基地局が端末デバイスへの制御命令情報の送信に成功した後に基地局および端末デバイスが現在の信号送信モードを切り替え先の信号送信モードに別々に切り替えることに合意する。もちろん、制御命令情報を受信した後、端末デバイスは、制御命令情報の受信に成功したことを示す応答メッセージを基地局に送信する。次に、基地局側および端末側は、信号送信モードを切り替える。アップリンク送信リソース指示情報を端末デバイスに送信するとき、基地局は、第2の信号送信モードに対応する信号送信チャネルでアップリンク送信リソース指示情報を送信する。同様に、アップリンク送信リソース指示情報は、端末デバイスに、アップリンク送信リソースを決定し、アップリンク送信リソースを使用して、切り替え先の信号送信モードの設定に成功したことを示す応答メッセージを基地局に送信するよう命令するために使用される。
【０１０８】
基地局側はまた、第2の信号送信モードに対応する信号送信チャネルで、端末デバイスによって送信された、切り替え先の信号送信モードの設定に成功したことを示す応答メッセージを受信する。
【０１０９】
別の場合には、基地局側および端末デバイス側は、信号送信モードを同時に切り替える時間について合意しない。基地局によって送信された、信号送信モードを設定するために使用される制御命令情報を受信した後、端末デバイス側は、切り替え先の信号送信モードを設定し、設定が成功した後に信号送信モードを切り替える、すなわち、現在の信号送信モードを切り替え先の信号送信モードに切り替える。端末側によって送信された、切り替え先の信号送信モードの設定に成功したことを示すために使用される応答メッセージを受信する前、基地局側は、端末側がいつ信号送信モードを切り替えるか分からない。したがって、基地局側は、現在の信号送信モードおよび第2の信号送信モードを使用してアップリンク送信リソース指示情報を端末デバイスに別々に送信する。
【０１１０】
加えて、基地局は、端末デバイスによって送信された、信号送信モードの設定に成功したことを示す応答メッセージが現在の信号送信モードに対応する第1の信号送信チャネルまたは第2の信号送信モードに対応する第2の信号送信チャネルの一方を介して受信され得ることを保証するために、第1の信号送信チャネルおよび第2の信号送信チャネルを別々に検出する。
【０１１１】
基地局側によって信号送信モードを切り替える時点は以下の通りであり、端末デバイスによって送信された、信号送信モードの設定に成功したことを示す応答メッセージを受信した時点が、開始時点として使用され、現在の信号送信モードは、J番目のサブフレーム信号を受信した時点で切り替え先の信号送信モードに切り替えられ、Jは、1以上の正の整数である。
【０１１２】
本発明の上記の実施形態1において提供される信号送信モード切替方法では、基地局側は、切り替え先の信号送信モードに対応するブロードキャストを複数の方法で端末デバイスに送信し、これにより、端末デバイスは、ブロードキャスト情報に基づいて切り替え先の信号送信モードの設定情報を決定し、設定情報に基づいて切り替え先の信号送信モードを設定し、次に、現在の信号送信モードを切り替え先の信号送信モードに切り替える。加えて、基地局および端末デバイスは、送信モードに関する、基地局と端末デバイスとの間の認識の整合性の問題を回避するために、合意された期間に現在の信号送信モードを切り替え先の信号送信モードに別々に切り替える。
【０１１３】
本発明の実施形態2は、別の信号送信モード切替方法の概略フローチャート300をさらに提供する。この方法は、主に端末デバイスによって実行される。具体的には、図3に示すように、この方法は以下のステップを含む。
【０１１４】
ステップ310：基地局によって送信された、信号送信モードを設定するために使用される制御命令情報を受信する。
【０１１５】
ステップ320：制御命令情報に基づいて現在の信号送信モードを切り替え先の信号送信モードに切り替える。
【０１１６】
具体的には、切り替え先の信号送信モードは、現在の信号送信モード以外の第2の信号送信モードである。制御命令に基づいて切り替え先の信号送信モードを設定する前に、端末デバイスは、切り替え先の信号送信モードに対応する設定情報を最初に取得する必要がある。切り替え先の信号送信モードに対応する設定情報を取得する具体的な方法としては以下が挙げられる。
【０１１７】
第1の方法では、信号送信モードを設定するために使用される制御命令情報を端末デバイスに送信するときに、基地局は、新たに追加されるブロードキャスト情報要素を制御命令情報に追加／から削除することができる。端末デバイスは、新たに追加されるブロードキャスト情報要素および第1のブロードキャストに基づいて、切り替え先の信号送信モードに対応する設定情報を決定する。第1のブロードキャストは、現在の信号送信モードに対応するブロードキャストである。端末デバイスは、設定情報に基づいて切り替え先の信号送信モードをさらに設定する必要がある。
【０１１８】
現在の信号送信モードに対応するブロードキャストおよび切り替え先の信号送信モードに対応するブロードキャストの両方が、基地局によって周期的に送信されるブロードキャストであることを理解されたい。端末デバイスがブロードキャストの存在を知っていてブロードキャストを受信する必要があるとき、端末デバイスは、定期的にブロードキャストを受信することができる。
【０１１９】
あるいは、第2の方法では、端末デバイスは、基地局によって送信された第2のブロードキャストを受信する。第2のブロードキャストは、実際には、新たに追加されるブロードキャスト情報要素が第1のブロードキャストに追加／から削除された後に取得されるブロードキャストであり、第1のブロードキャストは、現在の信号送信モードに対応するブロードキャストである。端末デバイスは、第2のブロードキャストに基づいて、切り替え先の信号送信モードに対応する設定情報を決定し、設定情報に基づいて切り替え先の信号送信モードを設定することができる。
【０１２０】
具体例において、第1のブロードキャストがLTEブロードキャストであり、第2のブロードキャストがeMTCブロードキャストである場合、2つのタイプの新たに追加されるブロードキャスト情報要素があり得る。
【０１２１】
1つのタイプはMIBブロードキャストであり、新たに追加されるブロードキャスト情報要素はschedulingInfoSIB1−BR−r13である。
【０１２２】
もう1つのタイプはSIBブロードキャストであり、新たに追加されるブロードキャストコンテンツは、
「bandwidthReducedAccessRelatedInfo−r13」、「CellSelectionInfoCE−r13」、または「t−ReselectioNCUTRA−CE−r13」などの情報要素である。
【０１２３】
第3の方法では、端末デバイスが、切り替え先の信号送信モードに対応する第2のブロードキャストの存在を明確に知っている場合、端末デバイスは、第2のブロードキャストを直接受信することができる。第2のブロードキャストは、第1のブロードキャストの情報要素と同じ情報要素もしくは第1のブロードキャストの情報要素と同じ特性を有する情報要素および／または第1のブロードキャストに対して新たに追加されるブロードキャスト情報要素を含む。第1のブロードキャストは、現在の信号送信モードに対応するブロードキャストである。端末デバイスは、第2のブロードキャストに基づいて切り替え先の信号送信モードの設定情報を決定し、設定情報に基づいて切り替え先の信号送信モードを設定することができる。端末デバイスは、基地局によって送信された、信号送信モードを設定するために使用される制御命令情報を受信した後に、第2のブロードキャストを受信する。具体的には、端末デバイスは、モードを切り替える前またはモードを切り替えた後にブロードキャストを受信してもよい。
【０１２４】
第4の方法では、端末デバイスの現在の信号送信モードがどの信号送信モードであるか判定されなかった場合、端末デバイスは、第1のブロードキャストおよび第2のブロードキャストを別々に取得することができる。次に、端末デバイスは、第1のブロードキャストおよび第2のブロードキャストから、切り替え先の信号送信モードに対応するブロードキャストを決定する。端末デバイスは、切り替え先の信号送信モードに対応するブロードキャストに基づいて、切り替え先の信号送信モードに対応する設定情報を決定し、次に、設定情報に基づいて切り替え先の信号送信モードを設定する。
【０１２５】
もちろん、第2のブロードキャストのみが読み取られてもよい。この場合、第2のブロードキャストは、新たに追加されるブロードキャスト情報要素および／または第1のブロードキャストの情報要素とまったく同じ情報要素を含むことができる。したがって、切り替え先の信号送信モードが、第1のブロードキャストに対応する信号送信モードであったとしても、第1のブロードキャストに対応する信号送信モードに対応する設定情報は、新たに追加される情報要素が削除または追加された後にしか取得され得ない。
【０１２６】
上記の説明から、第2のブロードキャストは、新たに追加される情報要素および／または第1のブロードキャストの情報要素とまったく同じ情報要素を含むことができるし、新たに追加される情報要素および／または第1のブロードキャストの情報要素と同じ特性を有する情報要素を含むことができることが分かることに留意されたい。第2のブロードキャストの具体的なコンテンツは、実際の状況に従って決定されてもよく、本明細書では限定されない。
【０１２７】
もちろん、切り替え先の信号送信モードを設定することに成功した後、端末デバイスは、切り替え先の信号送信モードの設定に成功したことを示す応答メッセージを基地局にさらに送信する必要がある。したがって、これの前に、端末デバイスは、最初に、アップリンク送信リソース指示情報を受信し、このアップリンク送信リソース指示情報に基づいてアップリンク送信リソースを決定し、このアップリンク送信リソースを使用して、切り替え先の信号送信モードの設定に成功したことを示す応答メッセージを基地局に送信する必要がある。
【０１２８】
切り替え先の信号送信モードの設定に成功したことを示す応答メッセージを基地局側に送信した後、端末側は、信号送信モードを切り替えることができる。具体的な切替時点としては以下が挙げられ、切り替え先の信号送信モードの設定に成功したことを示す応答メッセージを基地局によって受信した時点が開始時点として使用され、信号送信モードは、X番目のサブフレーム信号が受信された直後の時点で切り替えられ、Xは、1以上の正の整数である。
【０１２９】
あるいは、端末デバイスによって送信された、切り替え先の信号送信モードの設定に成功したことを示す応答メッセージが、第1の所定の期間（第1の期間は、K個のサブフレーム信号を受信する時間に等しいと想定される）内に受信された場合、現在の信号送信モードは、第1の所定の期間が終了してからN番目のサブフレーム信号を受信した時点で切り替え先の信号送信モードに切り替えられ、Nは、1以上の正の整数であり、第1の期間は、信号送信モードを設定するために使用される制御命令情報を、基地局によって端末デバイスに送信した時点から開始される。具体的には、信号送信モードを設定するために使用される制御命令情報を、基地局によって端末デバイスに送信した時点からK＋N個のサブフレーム信号を受信した時点が、現在の信号送信モードを切り替え先の信号送信モードに切り替える時点として使用される。しかしながら、端末デバイスによって送信された、切り替え先の信号送信モードの設定に成功したことを示す応答メッセージが第1の所定の期間内に受信されなかった場合、現在の信号送信モードが維持される。同様に、端末デバイスも元の状態を維持する必要がある。KとNはどちらも1以上の正の整数である。
【０１３０】
別の場合には、基地局および端末デバイスは、基地局が端末デバイスへの制御命令情報の送信に成功した後に基地局および端末デバイスが現在の信号送信モードを切り替え先の信号送信モードに別々に切り替えることに合意する。
【０１３１】
この場合、端末デバイスは、信号送信モードを切り替えた後に、以下の動作、すなわち、基地局によって送信されたアップリンク送信リソース指示情報を受信する動作、このアップリンク送信リソース指示情報に基づいてアップリンク送信リソースを決定する動作、およびこのアップリンク送信リソースを使用して、切り替え先の信号送信モードの設定に成功したことを示す応答メッセージを基地局に送信する動作を実行する。
【０１３２】
別の場合には、基地局側および端末デバイス側は、信号送信モードを同時に切り替える時間について合意しない。基地局によって送信された、信号送信モードを設定するために使用される制御命令情報を受信した後、端末デバイス側は、切り替え先の信号送信モードを設定し、設定が成功した後に信号送信モードを切り替える、すなわち、現在の信号送信モードを切り替え先の信号送信モードに切り替える。上記の場合と同様に、端末デバイスはまた、信号送信モードを切り替えた後に、以下の動作、すなわち、基地局によって送信されたアップリンク送信リソース指示情報を受信する動作、このアップリンク送信リソース指示情報に基づいてアップリンク送信リソースを決定する動作、およびこのアップリンク送信リソースを使用して、切り替え先の信号送信モードの設定に成功したことを示す応答メッセージを基地局に送信する動作を実行する。
【０１３３】
本発明の実施形態2において提供される別の信号送信モード切替方法では、端末デバイスは、切り替え先の信号送信モードに対応するブロードキャストを複数の方法で取得し、ブロードキャスト情報に基づいて切り替え先の信号送信モードの設定情報を決定し、設定情報に基づいて切り替え先の信号送信モードを設定し、次に、現在の信号送信モードを切り替え先の信号送信モードに切り替える。基地局および端末デバイスは、送信モードに関する、基地局と端末デバイスとの間の認識の整合性の問題を回避するために、合意された期間に現在の信号送信モードを切り替え先の信号送信モードに別々に切り替える。
【０１３４】
上記2つの実施形態に関して、基地局と端末デバイスとの間の、信号送信モードの切り替えの同期または非同期をネゴシエーションによってどのように実施するかが、以下で、例を使用して具体的に説明される。上記の現在の信号送信モードはNCであり、上記の切り替え先の信号送信モードはCEであると想定される。具体的には、NCとCEとの間でモードの切り替えが行われる。基地局によって端末デバイスに送信される、信号送信モードを切り替えるために使用される制御シグナリングはRRCシグナリングであると想定される。
【０１３５】
基地局と端末デバイスとの間の信号送信が異常であることを基地局が検出し、例えば、端末デバイスが、具体的には図1に示したように、「近くの地点」からネットワークにアクセスしているとき、端末デバイスは、端末デバイスがLTEの弱いカバレッジエリアに移動したときに信号を通常通り受信することができる事態を回避するために、NCモードからCEモードに切り替わる必要がある。NCモードは、LTEブロードキャストに対応し、CEモードは、eMTCブロードキャストに対応する。
【０１３６】
基地局は、信号送信モードを切り替える必要があることを端末デバイスに通知するためにRRCシグナリングを端末デバイスに最初に送信する。端末デバイスは、信号送信モードをNCからCEに切り替える。
【０１３７】
制御シグナリングを受信した後、端末デバイスは、切り替え先の信号送信モードを設定する必要がある。具体的な設定パラメータは、eMTCブロードキャストを使用して取得される。
【０１３８】
eMTCブロードキャストは、以下の4つの方法で取得され得る。
【０１３９】
第1の方法では、基地局は、基地局によって端末デバイスに送信される、信号送信モードの切り替えを命令するために使用されるRRCシグナリングを使用して、新たに追加される情報要素を端末デバイスに送信する。あるいは、基地局は、他のRRCシグナリングを使用して、新たに追加される情報要素を端末デバイスに送信してもよい。新たに追加される情報要素は、LTEブロードキャストに対して新たに追加される、eMTCブロードキャストのブロードキャスト情報要素である。具体的な新たに追加されるブロードキャスト情報要素は、実施形態1および実施形態2に関して説明されており、ここでは詳細は再度説明しない。
【０１４０】
第2の方法では、新たに追加される情報要素は、基地局によって送信されるLTEブロードキャストに追加される。このようにして、端末デバイスが「近くの地点」からネットワークにアクセスしたとしても、端末デバイスは、CEモードに対応する設定情報を依然として取得することができる。
【０１４１】
第3の方法では、端末デバイスがRRCシグナリングを受信した後に、端末デバイスは、eMTCブロードキャストを直接読み取る。端末デバイスは、RRCシグナリングに基づいて、NCモードからCEモードへの切り替えをトリガする。もちろん、ブロードキャストを読み取るプロセスは、NCモードがCEモードに切り替えられる前であっても、NCモードがCEモードに切り替えられた後であってもよい。eMTCブロードキャストがCEモードで読み取られる場合、CEモードの接続モードにある端末デバイスは現在のプロトコル（プロトコルLTE R13）の規定に従ってブロードキャストを読み取ることができないため、プロトコル制約を解除する必要があることに留意されたい。
【０１４２】
第4の方法では、端末デバイスがNCモードまたはCEモードのどちらでネットワークにアクセスするかにかかわらず、端末デバイスは、ネットワークにアクセスするときにLTEブロードキャストおよびeMTCブロードキャストの両方を読み取る。あるいは、端末デバイスは、eMTCブロードキャストがLTEブロードキャストに基づいて取得されることから、eMTCブロードキャストのみを読み取る。上記から、eMTCブロードキャストは、新たに追加される情報要素と、LTEブロードキャストのブロードキャスト情報要素と同じコンテンツまたは同じ特性を有するブロードキャスト情報要素とを含むことが分かる。eMTCブロードキャストのみが読み取られる場合、新たに追加される情報要素を除くeMTCブロードキャストのコンテンツがLTEブロードキャストのコンテンツと同じである必要があることが前提となる。
【０１４３】
上記の4つの方法のうちのいずれか1つを使用することによって、NCモードがCEモードに切り替えられるときにeMTCブロードキャストのコンテンツを読み取ることができ、次に、eMTCブロードキャストのコンテンツに基づいてCEモードが設定される。設定が完了した後、設定に成功したことを示す応答メッセージが、基地局側に送信される。
【０１４４】
設定に成功したことを示す応答メッセージが基地局側に送信される前に、基地局側は、端末デバイスに、アップリンク送信リソースを決定してこのアップリンク送信リソースで応答情報を基地局に送信するよう命令するために、アップリンク送信リソース指示情報を端末デバイスにさらに送信する必要がある。
【０１４５】
しかしながら、端末デバイスによって行われる、CEモードの設定中、端末デバイスのモード切替期間は、基地局のモード切替期間と整合しない場合がある。その結果、基地局側が、アップリンク送信リソース指示情報を端末デバイス側に送信したときに、端末デバイスは、アップリンク送信リソース指示情報の受信に失敗し、あるいは、基地局側は、設定に成功したことを示す応答メッセージの受信に失敗する。上記の問題を回避するために、基地局側および端末側は、端末デバイスがアップリンク送信リソース指示情報の受信に成功できることまたは基地局側が切り替え先の信号送信モードの設定に成功したことを示す応答メッセージの受信に成功できることを保証するために、信号送信モードを切り替えるための基準を設定することができる。
【０１４６】
具体的には、以下の4つの方法が挙げられる。
【０１４７】
第1の方法では、具体的には、図4に示すように、基地局側は、NCモードでRRCシグナリングおよびアップリンク送信リソース指示情報を端末デバイスに送信する。RRCシグナリングを受信した後、端末デバイスは、最初に、eMTCブロードキャストを取得する上記の4つの方法のうちのいずれか1つでeMTCブロードキャストを取得し、CEモードを設定する。設定を完了した後、端末デバイスは、アップリンク送信リソース指示情報に基づいてアップリンク送信リソースを決定し、次に、このアップリンク送信リソースを使用して、設定に成功したことを示す応答メッセージを送信する。設定に成功したことを示す応答メッセージを基地局によって受信した時点が、開始時点として使用され、端末デバイスおよび基地局は、X番目のサブフレーム信号が受信された直後の時点で同時に信号送信モードをNCモードからCEモードに切り替え、Xは、1以上の正の整数である。
【０１４８】
第2の方法では、具体的には、図5に示すように、基地局側は、NCモードでRRCシグナリングおよびアップリンク送信リソース指示情報を端末デバイスに送信する。RRCシグナリングを受信した後、端末デバイスは、最初に、eMTCブロードキャストを取得する上記の4つの方法のうちのいずれか1つでeMTCブロードキャストを取得し、CEモードを設定する。設定を完了した後、端末デバイスは、アップリンク送信リソース指示情報に基づいてアップリンク送信リソースを決定し、次に、このアップリンク送信リソースを使用して、設定に成功したことを示す応答メッセージを送信する。端末デバイスによって送信された、切り替え先の信号送信モードの設定に成功したことを示す応答メッセージが、信号送信モードを設定するために使用される制御命令情報を、基地局によって端末デバイスに送信した時点からK個のサブフレーム信号を受信する期間内に受信された場合、現在の信号送信モードは、K個のサブフレーム信号が受信されてからN番目のサブフレーム信号を受信した時点で切り替え先の信号送信モードに切り替えられ、Nは、1以上の正の整数である。具体的には、基地局および端末デバイスは、信号送信モードを設定するために使用される制御命令情報を、基地局によって端末デバイスに送信した時点からK＋N個のサブフレーム信号を受信した時点で同時にNCモードからCEモードに切り替わる。しかしながら、端末デバイスによって送信された、設定に成功したことを示す応答メッセージが、K個のサブフレーム信号を受信する期間内に受信されなかった場合、基地局および端末デバイスは、現在のNCモードを維持する。KとNはどちらも1以上の正の整数である。
【０１４９】
第3の方法では、具体的には、図6に示すように、基地局側および端末側は、基地局が端末デバイスへのRRCシグナリングの送信に成功した後に信号送信モードをNCモードからCEモードに別々に切り換えることに合意する。具体的には、端末デバイスがRRCシグナリングを受信した後、端末デバイスは、RRCシグナリングの受信に成功したことを示す応答メッセージを送信する。次に、端末デバイスおよび基地局は信号送信モードを切り替える。基地局は、CEモードでアップリンク送信リソース指示情報を端末デバイスに送信する。アップリンク送信リソース指示情報を受信した後、かつCEモードの設定に成功した後に、端末デバイスは、アップリンク送信リソースを使用してCEモードで、設定に成功したことを示す応答メッセージを基地局に送信する。
【０１５０】
第4の方法では、具体的には、図7に示すように、基地局および端末デバイスは、信号送信モードを同時に切り替える時間について合意しない。この場合、基地局によって送信されたRRCシグナリングを受信した後、端末デバイスは、通常の手順およびeMTCブロードキャスト内の設定情報に従ってCEモードを設定し、設定が成功した後にCEモードに直接切り替わる。次に、端末デバイスは、設定に成功したことを示す応答メッセージを基地局に送信する。しかしながら、基地局側は、端末がいつ設定の実行に成功することができ、信号送信モードを切り替えるのか分からない。したがって、基地局は、NCモードおよびCEモードの信号送信チャネルでアップリンク送信リソース指示情報を端末デバイスに別々に送信してもよい。このようにして、端末デバイスは、両方のモードで指示情報を受信し、この指示情報に基づいてアップリンク送信リソースを決定し、次に、このアップリンク送信リソースを使用して、設定に成功したことを示す応答メッセージを送信することができる。基地局側も、NCモードおよびCEモードの信号送信チャネルを使用して、設定に成功したことを示す応答メッセージを別々に受信し、端末デバイスによって送信された、設定に成功したことを示す応答メッセージを受信した時点を開始時点として使用し、J番目のサブフレーム信号を受信した時点で現在の信号送信モードを切り替え先の信号送信モードに切り替え、Jは、1以上の正の整数である。
【０１５１】
したがって、端末デバイスのモード切替期間と基地局のモード切替期間とが整合しないことから、基地局側がアップリンク送信リソース指示情報を端末デバイス側に送信したときに端末デバイスがアップリンク送信リソース指示情報の受信に失敗する、あるいは、基地局側が、設定に成功したことを示す応答メッセージの受信に失敗するという上記の問題を解決することができる。
【０１５２】
上記の説明は特定の実施形態の単なる実施態様であることを理解されたい。信号送信モードがCEモードからNCモードに切り替えられるとき、ブロードキャスト取得プロセスは逆のプロセスとなる。例えば、ブロードキャストを取得する第1の方法では、LTEブロードキャストが取得される。したがって、RRC設定シグナリングも、新たに追加される情報要素を含むが、端末デバイスは、LTEブロードキャストを取得するために、eMTCブロードキャストから新たに追加される情報要素を削除する必要がある。次に、端末デバイスは、NCを設定し、最後にCEモードからNCモードに切り替わる。他の方法はそれぞれ、この方法と同様であり、ここでは詳細は説明しない。もちろん、具体例では、CEモードとNCモードとの間の切替プロセスのみが説明されている。他のモード間を切り替えるための方法の原理は同じまたは同様であり、ここでは詳細は説明しない。
【０１５３】
上記の実施形態1で提供された信号送信モード切替方法に対応して、本発明の実施形態3は、基地局をさらに提供する。具体的には、図8は、本発明の実施形態3による基地局800の概略構成図である。基地局は、検出ユニット801、送信ユニット802、および処理ユニット803を含む。
【０１５４】
検出ユニット801は、基地局と端末デバイスとの間の信号送信が異常であるかどうかを検出するように構成される。
【０１５５】
具体的には、検出ユニット801は、端末デバイスの受信信号強度値が第1の所定の閾値よりも小さいかどうかを検出するか、または端末デバイスがアップリンク信号を送信する速度が第2の所定の閾値よりも小さいかどうかを検出するように特に構成される。
【０１５６】
本発明では、信号送信が異常である2つのケースのみが挙げられているが、これは、2つのケースしか存在しないことを表すものではないことを理解されたい。別の異常なケースでも信号送信モードを切り替える必要があるが、ここでは詳細は説明しない。
【０１５７】
送信ユニット802は、検出ユニット801が、基地局と端末デバイスとの間の信号送信が異常であることを検出したときに、信号送信モードを設定するために使用される制御命令情報を端末デバイスに送信し、制御命令情報が、端末デバイスに、端末デバイス側の現在の信号送信モードを切り替え先の信号送信モードに切り替えるよう命令するために使用される、ように構成される。
【０１５８】
処理ユニット803は、現在の信号送信モードを切り替え先の信号送信モードに切り替え、切り替え先の信号送信モードが、現在の信号送信モード以外の第2の信号送信モードである、ように構成される。
【０１５９】
検出ユニット801が、基地局と端末デバイスとの間の信号送信のモードが異常であることを検出したとき、送信ユニット802は、検出ユニットの検出結果に基づいて、信号送信モードを切り替えるために使用される制御命令情報を端末デバイスに直ちに送信し、これにより、端末デバイスは、端末デバイスと基地局との間の円滑でない信号送信を回避するために信号送信モードを切り替える。基地局側も、端末デバイスと信号送信モードを同期させるために信号送信モードを切り替える必要がある。
【０１６０】
制御命令情報に基づいて端末側の信号送信モードを切り替える前に、端末デバイスは、切り替え先の信号送信モードをさらに設定する必要があり、設定情報は、以下の2つの方法で取得され得る。他の2つの方法については、端末デバイス側に関して詳細に説明することとし、ここでは詳細は説明しない。
【０１６１】
第1の方法では、送信ユニット802が、信号送信モードを設定するために使用される制御命令情報を端末デバイスに送信するとき、新たに追加されるブロードキャスト情報要素を、制御命令情報に追加／から削除することができ、これにより、端末デバイスは、新たに追加されるブロードキャスト情報要素および第1のブロードキャストに基づいて、切り替え先の信号送信モードに対応する設定情報を決定することができる。第1のブロードキャストは、現在の信号送信モードに対応するブロードキャストである。
【０１６２】
現在の信号送信モードに対応するブロードキャストおよび切り替え先の信号送信モードに対応するブロードキャストの両方が、基地局によって周期的に送信されるブロードキャストであることを理解されたい。端末デバイスがブロードキャストの存在を知っていてブロードキャストを受信する必要があるとき、端末デバイスは、定期的にブロードキャストを受信することができる。
【０１６３】
第2の方法では、処理ユニット803は、新たに追加されるブロードキャスト情報要素を、現在の信号送信モードに対応する第1のブロードキャストに追加／から削除し、取得されたブロードキャストを第2のブロードキャストとして使用し、これにより、端末デバイスは、第2のブロードキャストに基づいて、切り替え先の信号送信モードに対応する設定情報を決定する。第1のブロードキャストは、現在の信号送信モードに対応するブロードキャストである。
【０１６４】
送信ユニット802が制御命令情報を端末デバイスに送信した後、基地局は、端末デバイスによって送信される、切り替え先の信号送信モードの設定に成功したことを示す応答メッセージを受信する必要がある。したがって、これの前に、送信ユニット802は、アップリンク送信リソース指示情報を端末デバイスに送信する必要がある。指示情報は、端末デバイスに、アップリンク送信リソースを決定し、アップリンク送信リソースを使用して、切り替え先の信号送信モードの設定に成功したことを示す応答メッセージを基地局に送信するよう命令するために使用される。
【０１６５】
したがって、ある場合、送信ユニット802は、処理ユニットが現在の信号送信モードを切り替え先の信号送信モードに切り替える前に、アップリンク送信リソース指示情報を端末デバイスに送信するようにさらに構成される。
【０１６６】
これに対応して、基地局は、受信ユニット804であって、端末デバイスによって送信された、切り替え先の信号送信モードの設定に成功したことを示す応答メッセージを受信するように構成される受信ユニット804をさらに含む。
【０１６７】
処理ユニット803は、応答メッセージに基づいて現在の信号送信モードを切り替え先の信号送信モードに切り替えるようにさらに構成される。
【０１６８】
具体的には、処理ユニット803によって現在の信号送信モードを切り替え先の信号送信モードに切り替える具体的な時点は以下の通りであり、端末デバイスによって送信された、切り替え先の信号送信モードの設定に成功したことを示す応答メッセージを受信ユニット804によって受信した時点が、開始時点として使用され、処理ユニット803は、X番目のサブフレーム信号を受信した時点で現在の信号送信モードを切り替え先の信号送信モードに切り替え、Xは、1以上の正の整数である。
【０１６９】
あるいは、処理ユニット803によって現在の信号送信モードを切り替え先の信号送信モードに切り替える具体的な時点は以下の通りであってもよい。受信ユニット804が、端末デバイスによって送信された、切り替え先の信号送信モードの設定に成功したことを示す応答メッセージを第1の所定の期間内に受信した場合、処理ユニット803は、第1の所定の期間の終了時点からN番目のサブフレーム信号を受信した時点で現在の信号送信モードを切り替え先の信号送信モードに切り替え、Nは、1以上の正の整数であり、第1の所定の期間は、信号送信モードを設定するために使用される制御命令情報を、送信ユニット802によって端末デバイスに送信した時点から開始される。受信ユニット804が、端末デバイスによって送信される、切り替え先の信号送信モードの設定に成功したことを示す応答メッセージを第1の所定の期間内に受信しなかった場合、処理ユニット803は、現在の信号送信モードを維持する。
【０１７０】
別の場合には、送信ユニット802は、処理ユニットが現在の信号送信モードを切り替え先の信号送信モードに切り替えた後に、アップリンク送信リソース指示情報を端末デバイスに送信するようにさらに構成される。アップリンク送信リソース指示情報は、端末デバイスに、アップリンク送信リソースを決定し、アップリンク送信リソースを使用して、切り替え先の信号送信モードの設定に成功したことを示す応答メッセージを基地局に送信するよう命令するために使用される。
【０１７１】
受信ユニット804は、端末デバイスによって送信された、切り替え先の信号送信モードの設定に成功したことを示す応答メッセージを受信するように構成される。
【０１７２】
別の場合には、送信ユニット802は、信号送信モードを設定するために使用される制御命令情報を端末デバイスに送信した後に、現在の信号送信モードおよび第2の信号送信モードを使用してアップリンク送信リソース指示情報を端末デバイスに別々に送信するようにさらに構成される。2つの異なる信号送信モードを使用してアップリンク送信リソース指示情報を送信した後、基地局は、現在の信号送信モードに対応する第1の受信ユニットまたは第2の信号送信モードに対応する第2の受信ユニットの一方が、端末デバイスによって送信される、信号送信モードの設定に成功したことを示す応答メッセージを受信することができるかを判定するために、第1の受信ユニットおよび第2の受信ユニットを検出するために検出ユニット801をさらに使用する必要がある。処理ユニット803は、端末デバイスによって送信された、信号送信モードの設定に成功したことを示す応答メッセージを受信した時点を開始時点として使用し、J番目のサブフレーム信号を受信した時点で現在の信号送信モードを切り替え先の信号送信モードに切り替え、Jが、1以上の正の整数である、ようにさらに構成される。
【０１７３】
本願の実施形態3で提供される基地局が動作するとき、基地局は、本願の実施形態1で提供される方法を実行する。基地局の動作の詳細については、本願の実施形態1で提供される方法を参照されたい。
【０１７４】
本発明の実施形態3において提供される基地局では、送信ユニットは、切り替え先の信号送信モードに対応するブロードキャストを複数の方法で端末デバイスに送信し、これにより、端末デバイスは、ブロードキャスト情報に基づいて切り替え先の信号送信モードの設定情報を決定し、設定情報に基づいて切り替え先の信号送信モードを設定し、次に、現在の信号送信モードを切り替え先の信号送信モードに切り替える。基地局および端末デバイスは、送信モードに関する、基地局と端末デバイスとの間の認識の整合性の問題を回避するために、合意された期間に現在の信号送信モードを切り替え先の信号送信モードに別々に切り替える。
【０１７５】
実施形態2で提供された別の信号送信モード切替方法に対応して、本発明の実施形態4は、端末デバイスをさらに提供する。具体的には、図9は、本発明の実施形態4による端末デバイスの概略構成図である。端末デバイスは、受信ユニット901および処理ユニット902を含む。
【０１７６】
受信ユニット901は、基地局によって送信された、信号送信モードを設定するために使用される制御命令情報を受信するように構成される。
【０１７７】
処理ユニット902は、制御命令情報に基づいて現在の信号送信モードを切り替え先の信号送信モードに切り替えるように構成される。切り替え先の信号送信モードは、現在の信号送信モード以外の第2の信号送信モードである。
【０１７８】
具体的には、制御命令に基づいて切り替え先の信号送信モードを設定する前に、端末デバイスは、切り替え先の信号送信モードに対応する設定情報を最初に取得する必要がある。切り替え先の信号送信モードに対応する設定情報を取得する具体的な方法としては以下が挙げられる。
【０１７９】
第1の方法では、信号送信モードを設定するために使用される制御命令情報を端末デバイスに送信するときに、基地局は、新たに追加されるブロードキャスト情報要素を制御命令情報に追加／から削除することができる。
【０１８０】
処理ユニット902は、新たに追加されるブロードキャスト情報要素と、現在の信号送信モードに対応するブロードキャストである第1のブロードキャストとに基づいて、切り替え先の信号送信モードに対応する設定情報を決定し、設定情報に基づいて切り替え先の信号送信モードに設定するように構成される。
【０１８１】
第2の方法では、処理ユニット902が制御命令情報に基づいて現在の信号送信モードを切り替え先の信号送信モードに切り替える前に、受信ユニット901は、基地局によって送信された第2のブロードキャストを受信する。第2のブロードキャストは、新たに追加されるブロードキャスト情報要素が第1のブロードキャストに追加／から削除された後に取得されるブロードキャストであり、第1のブロードキャストは、現在の信号送信モードに対応するブロードキャストである。
【０１８２】
処理ユニット902は、第2のブロードキャストに基づいて、切り替え先の信号送信モードに対応する設定情報を決定し、設定情報に基づいて切り替え先の信号送信モードを設定するようにさらに構成される。
【０１８３】
第3の方法では、基地局によって送信された、信号送信モードを設定するために使用される制御命令情報を受信した後に、受信ユニット901は、基地局によって送信された第2のブロードキャストを受信する。第2のブロードキャストは、切り替え先の信号送信モードに対応するブロードキャストであり、第2のブロードキャストは、第1のブロードキャストの情報要素と同じ情報要素もしくは第1のブロードキャストの情報要素と同じ特性を有する情報要素および／または第1のブロードキャストに対して新たに追加されるブロードキャスト情報要素を含み、第1のブロードキャストは、現在の信号送信モードに対応するブロードキャストである。
【０１８４】
処理ユニット902は、第2のブロードキャストに基づいて切り替え先の信号送信モードの設定情報を決定し、設定情報に基づいて切り替え先の信号送信モードを設定する。
【０１８５】
第4の方法では、処理ユニット902が制御命令情報に基づいて切り替え先の信号送信モードを設定する前に、受信ユニット901は、第1のブロードキャストと第2のブロードキャストとを別々に受信し、第1のブロードキャストおよび第2のブロードキャストから、切り替え先の信号送信モードに対応するブロードキャストを決定する。
【０１８６】
処理ユニット902は、切り替え先の信号送信モードに対応するブロードキャストに基づいて、切り替え先の信号送信モードに対応する設定情報を決定し、設定情報に基づいて切り替え先の信号送信モードを設定する。
【０１８７】
加えて、受信ユニット901は、基地局によって送信されたアップリンク送信リソース指示情報を受信し、このアップリンク送信リソース指示情報に基づいてアップリンク送信リソースを決定し、切り替え先の信号送信モードの設定に成功したことを示す応答メッセージを基地局に送信するようにさらに構成される。したがって、端末デバイスは、送信ユニット903をさらに含む。
【０１８８】
したがって、ある場合、受信ユニット901は、処理ユニット902が現在の信号送信モードを切り替え先の信号送信モードに切り替える前に、基地局によって送信されたアップリンク送信リソース指示情報を受信するようにさらに構成される。処理ユニット902は、アップリンク送信リソース指示情報に基づいてアップリンク送信リソースを決定するようにさらに構成される。送信ユニット903は、切り替え先の信号送信モードの設定に成功したことを示す応答メッセージを、アップリンク送信リソースを使用して基地局に送信するように構成される。
【０１８９】
処理ユニット902によって信号送信モードを切り替える具体的な時点は以下の通りであり、切り替え先の信号送信モードの設定に成功したことを示す応答メッセージを基地局によって受信した時点が開始時点として使用され、信号送信モードは、X番目のサブフレーム信号が受信された直後の時点で切り替えられ、Xは、1以上の正の整数である。
【０１９０】
あるいは、基地局が、切り替え先の信号送信モードの設定に成功したことを示す応答メッセージを第1の所定の期間内に受信した場合、現在の信号送信モードは、第1の所定の期間の終了時点からN番目のサブフレーム信号を受信した時点で切り替え先の信号送信モードに切り替えられ、Nは、1以上の正の整数であり、第1の所定の期間は、信号送信モードを設定するために使用される制御命令情報を基地局によって送信した時点から開始される。
【０１９１】
基地局が、切り替え先の信号送信モードの設定に成功したことを示す応答メッセージを第1の所定の期間内に受信しなかった場合、現在の信号送信モードが維持される。
【０１９２】
別の場合には、受信ユニット901は、処理ユニットが現在の信号送信モードを切り替え先の信号送信モードに切り替えた後に、基地局によって送信されたアップリンク送信リソース指示情報を受信するようにさらに構成される。処理ユニット902は、アップリンク送信リソース指示情報に基づいてアップリンク送信リソースを決定するようにさらに構成される。送信ユニット903は、切り替え先の信号送信モードの設定に成功したことを示す応答メッセージを、アップリンク送信リソースを使用して基地局に送信するように構成される。
【０１９３】
本願の実施形態4で提供される端末が動作するとき、端末は、本願の実施形態2で提供される方法を実行する。端末の動作の詳細については、本願の実施形態2で提供される方法を参照されたい。
【０１９４】
本発明の実施形態4で提供される端末デバイスでは、受信ユニットは、切り替え先の信号送信モードに対応するブロードキャストを複数の方法で取得する。処理ユニットは、ブロードキャスト情報に基づいて切り替え先の信号送信モードの設定情報を決定し、設定情報に基づいて切り替え先の信号送信モードを設定し、次に、現在の信号送信モードを切り替え先の信号送信モードに切り替える。基地局および端末デバイスは、送信モードに関する、基地局と端末デバイスとの間の認識の整合性の問題を回避するために、合意された期間に現在の信号送信モードを切り替え先の信号送信モードに別々に切り替える。
【０１９５】
上記の実施形態1で提供された信号送信モード切替方法に対応して、本発明の実施形態5は、基地局をさらに提供する。具体的には、図10は、本発明の実施形態5による基地局1000の概略構成図である。基地局は、検出器1001、送信機1002、およびプロセッサ1003を含む。
【０１９６】
検出器1001は、基地局と端末デバイスとの間の信号送信が異常であるかどうかを検出するように構成される。
【０１９７】
具体的には、検出器1001は、端末デバイスの受信信号強度値が第1の所定の閾値よりも小さいかどうかを検出するか、または端末デバイスがアップリンク信号を送信する速度が第2の所定の閾値よりも小さいかどうかを検出するように特に構成される。本発明では、信号送信が異常である2つのケースのみが挙げられているが、これは、2つのケースしか存在しないことを表すものではないことを理解されたい。別の異常なケースでも信号送信モードを切り替える必要があるが、ここでは詳細は説明しない。
【０１９８】
送信機1002は、検出器1001が、基地局と端末デバイスとの間の信号送信が異常であることを検出したときに、信号送信モードを設定するために使用される制御命令情報を端末デバイスに送信するように構成される。制御命令情報は、端末デバイスに、端末デバイス側の現在の信号送信モードを切り替え先の信号送信モードに切り替えるよう命令するために使用される。
【０１９９】
プロセッサ1003は、現在の信号送信モードを切り替え先の信号送信モードに切り替えるように構成される。切り替え先の信号送信モードは、現在の信号送信モード以外の第2の信号送信モードである。
【０２００】
検出器1001が、基地局と端末デバイスとの間の信号送信のモードが異常であることを検出したとき、送信機1002は、検出器1001の検出結果に基づいて、信号送信モードを切り替えるために使用される制御命令情報を端末デバイスに直ちに送信し、これにより、端末デバイスは、端末デバイスと基地局との間の円滑でない信号送信を回避するために信号送信モードを切り替える。基地局側も、端末デバイスと信号送信モードを同期させるために信号送信モードを切り替える必要がある。
【０２０１】
制御命令情報に基づいて端末側の信号送信モードを切り替える前に、端末デバイスは、切り替え先の信号送信モードをさらに設定する必要があり、設定情報は、以下の2つの方法で取得され得る。他の2つの方法については、端末デバイス側に関して詳細に説明することとし、ここでは詳細は説明しない。
【０２０２】
第1の方法では、信号送信モードを設定するために使用される制御命令情報を端末デバイスに送信するとき、送信機1002は、新たに追加されるブロードキャスト情報要素を制御命令情報に追加する／新たに追加されるブロードキャスト情報要素を制御命令情報から削除することができ、これにより、端末デバイスは、新たに追加されるブロードキャスト情報要素および第1のブロードキャストに基づいて、切り替え先の信号送信モードに対応する設定情報を決定することができる。第1のブロードキャストは、現在の信号送信モードに対応するブロードキャストである。
【０２０３】
現在の信号送信モードに対応するブロードキャストおよび切り替え先の信号送信モードに対応するブロードキャストの両方が、基地局によって周期的に送信されるブロードキャストであることを理解されたい。端末デバイスがブロードキャストの存在を知っていてブロードキャストを受信する必要があるとき、端末デバイスは、定期的にブロードキャストを受信することができる。
【０２０４】
第2の方法では、プロセッサ1003は、新たに追加されるブロードキャスト情報要素を、現在の信号送信モードに対応する第1のブロードキャストに追加／から削除し、取得されたブロードキャストを第2のブロードキャストとして使用し、これにより、端末デバイスは、第2のブロードキャストに基づいて、切り替え先の信号送信モードに対応する設定情報を決定する。第1のブロードキャストは、現在の信号送信モードに対応するブロードキャストである。
【０２０５】
送信機1002が制御命令情報を端末デバイスに送信した後、基地局は、端末デバイスによって送信される、切り替え先の信号送信モードの設定に成功したことを示す応答メッセージを受信する必要がある。したがって、これの前に、送信機1002は、アップリンク送信リソース指示情報を端末デバイスに送信する必要がある。指示情報は、端末デバイスに、アップリンク送信リソースを決定し、アップリンク送信リソースを使用して、切り替え先の信号送信モードの設定に成功したことを示す応答メッセージを基地局に送信するよう命令するために使用される。
【０２０６】
したがって、ある場合、送信機1002は、プロセッサが現在の信号送信モードを切り替え先の信号送信モードに切り替える前に、アップリンク送信リソース指示情報を端末デバイスに送信するようにさらに構成される。
【０２０７】
基地局は、受信機1004であって、端末デバイスによって送信された、切り替え先の信号送信モードの設定に成功したことを示す応答メッセージを受信するように構成される受信機1004をさらに含む。
【０２０８】
プロセッサ1003は、応答メッセージに基づいて現在の信号送信モードを切り替え先の信号送信モードに切り替えるようにさらに構成される。
【０２０９】
具体的には、プロセッサ1003によって現在の信号送信モードを切り替え先の信号送信モードに切り替える具体的な時点は以下の通りであり、端末デバイスによって送信された、切り替え先の信号送信モードの設定に成功したことを示す応答メッセージを受信機1004によって受信した時点が、開始時点として使用され、プロセッサ1003は、X番目のサブフレーム信号を受信した時点で現在の信号送信モードを切り替え先の信号送信モードに切り替え、Xは、1以上の正の整数である。
【０２１０】
あるいは、プロセッサ1003によって現在の信号送信モードを切り替え先の信号送信モードに切り替える具体的な時点は以下の通りであってもよい。受信機1004が、端末デバイスによって送信された、切り替え先の信号送信モードの設定に成功したことを示す応答メッセージを第1の所定の期間内に受信した場合、プロセッサ1003は、第1の所定の期間の終了時点からN番目のサブフレーム信号を受信した時点で現在の信号送信モードを切り替え先の信号送信モードに切り替え、Nは、1以上の正の整数であり、第1の所定の期間は、信号送信モードを設定するために使用される制御命令情報を、送信機1002によって端末デバイスに送信した時点から開始される。受信機1004が、端末デバイスによって送信される、切り替え先の信号送信モードの設定に成功したことを示す応答メッセージを第1の所定の期間内に受信しなかった場合、プロセッサ1003は、現在の信号送信モードを維持する。
【０２１１】
別の場合には、送信機1002は、プロセッサ1003が現在の信号送信モードを切り替え先の信号送信モードに切り替えた後に、アップリンク送信リソース指示情報を端末デバイスに送信するようにさらに構成される。アップリンク送信リソース指示情報は、端末デバイスに、アップリンク送信リソースを決定し、アップリンク送信リソースを使用して、切り替え先の信号送信モードの設定に成功したことを示す応答メッセージを基地局に送信するよう命令するために使用される。
【０２１２】
これに対応して、基地局は、受信機1004であって、端末デバイスによって送信された、切り替え先の信号送信モードの設定に成功したことを示す応答メッセージを受信するように構成される受信機1004をさらに含む。
【０２１３】
別の場合には、送信機1002は、信号送信モードを設定するために使用される制御命令情報を端末デバイスに送信した後に、現在の信号送信モードおよび第2の信号送信モードを使用してアップリンク送信リソース指示情報を端末デバイスに別々に送信するようにさらに構成される。2つの異なる信号送信モードを使用してアップリンク送信リソース指示情報を送信した後、基地局は、端末デバイスによって送信される、信号送信モードの設定に成功したことを示す応答メッセージが現在の信号送信モードに対応する第1の受信機または第2の信号送信モードに対応する第2の受信機の一方によって受信され得るかを判定するために、第1の受信機および第2の受信機を別々に検出するために検出器1001をさらに使用する必要がある。プロセッサ1003は、端末デバイスによって送信された、信号送信モードの設定に成功したことを示す応答メッセージを受信した時点を開始時点として使用し、J番目のサブフレーム信号を受信した時点で現在の信号送信モードを切り替え先の信号送信モードに切り替え、Jが、1以上の正の整数である、ようにさらに構成される。
【０２１４】
本願の実施形態5で提供される基地局が動作するとき、基地局は、本願の実施形態1で提供される方法を実行する。基地局の動作の詳細については、本願の実施形態1で提供される方法を参照されたい。
【０２１５】
本発明の実施形態5において提供される基地局では、送信機は、切り替え先の信号送信モードに対応するブロードキャストを複数の方法で端末デバイスに送信し、これにより、端末デバイスは、ブロードキャスト情報に基づいて切り替え先の信号送信モードの設定情報を決定し、設定情報に基づいて切り替え先の信号送信モードを設定し、次に、現在の信号送信モードを切り替え先の信号送信モードに切り替える。加えて、基地局および端末デバイスは、送信モードに関する、基地局と端末デバイスとの間の認識の整合性の問題を回避するために、合意された期間に現在の信号送信モードを切り替え先の信号送信モードに別々に切り替える。
【０２１６】
上記の実施形態2で提供された別の信号送信モード切替方法に対応して、本発明の実施形態6は、端末デバイスをさらに提供する。具体的には、図11は、本発明の実施形態6による端末デバイス1100の概略構成図である。端末デバイスは、受信機1101およびプロセッサ1102を含む。
【０２１７】
受信機1101は、基地局によって送信された、信号送信モードを設定するために使用される制御命令情報を受信するように構成される。
【０２１８】
プロセッサ1102は、制御命令情報に基づいて現在の信号送信モードを切り替え先の信号送信モードに切り替えるように構成される。切り替え先の信号送信モードは、現在の信号送信モード以外の第2の信号送信モードである。
【０２１９】
具体的には、制御命令に基づいて切り替え先の信号送信モードを設定する前に、端末デバイスは、切り替え先の信号送信モードに対応する設定情報を最初に取得する必要がある。切り替え先の信号送信モードに対応する設定情報を取得する具体的な方法としては以下が挙げられる。
【０２２０】
第1の方法では、基地局が信号送信モードを設定するために使用される制御命令情報を端末デバイスに送信するときに、基地局は、新たに追加されるブロードキャスト情報要素を制御命令情報に追加／から削除することができる。
【０２２１】
プロセッサ1102は、新たに追加されるブロードキャスト情報要素と、現在の信号送信モードに対応するブロードキャストである第1のブロードキャストとに基づいて、切り替え先の信号送信モードに対応する設定情報を決定し、設定情報に基づいて切り替え先の信号送信モードに設定するように構成される。
【０２２２】
第2の方法では、プロセッサが制御命令情報に基づいて現在の信号送信モードを切り替え先の信号送信モードに切り替える前に、受信機1101は、基地局によって送信された第2のブロードキャストを受信する。第2のブロードキャストは、新たに追加されるブロードキャスト情報要素が第1のブロードキャストに追加／から削除された後に取得されるブロードキャストであり、第1のブロードキャストは、現在の信号送信モードに対応するブロードキャストである。
【０２２３】
プロセッサ1102は、第2のブロードキャストに基づいて、切り替え先の信号送信モードに対応する設定情報を決定し、設定情報に基づいて切り替え先の信号送信モードを設定するようにさらに構成される。
【０２２４】
第3の方法では、基地局によって送信された、信号送信モードを設定するために使用される制御命令情報を受信した後に、受信機1101は、基地局によって送信された第2のブロードキャストを受信する。第2のブロードキャストは、切り替え先の信号送信モードに対応するブロードキャストであり、第2のブロードキャストは、第1のブロードキャストの情報要素と同じ情報要素もしくは第1のブロードキャストの情報要素と同じ特性を有する情報要素および／または第1のブロードキャストに対して新たに追加されるブロードキャスト情報要素を含み、第1のブロードキャストは、現在の信号送信モードに対応するブロードキャストである。
【０２２５】
プロセッサ1102は、第2のブロードキャストに基づいて切り替え先の信号送信モードの設定情報を決定し、設定情報に基づいて切り替え先の信号送信モードを設定する。
【０２２６】
第4の方法では、プロセッサが制御命令情報に基づいて切り替え先の信号送信モードを設定する前に、受信機1101は、第1のブロードキャストと第2のブロードキャストとを別々に受信し、第1のブロードキャストおよび第2のブロードキャストから、切り替え先の信号送信モードに対応するブロードキャストを決定する。
【０２２７】
プロセッサ1102は、切り替え先の信号送信モードに対応するブロードキャストに基づいて、切り替え先の信号送信モードに対応する設定情報を決定し、設定情報に基づいて切り替え先の信号送信モードを設定する。
【０２２８】
加えて、受信機1101は、基地局によって送信されたアップリンク送信リソース指示情報を受信し、このアップリンク送信リソース指示情報に基づいてアップリンク送信リソースを決定し、切り替え先の信号送信モードの設定に成功したことを示す応答メッセージを基地局に送信するようにさらに構成される。したがって、端末デバイスは、送信機1103をさらに含む。
【０２２９】
したがって、ある場合、受信機1101は、プロセッサ1102が現在の信号送信モードを切り替え先の信号送信モードに切り替える前に、基地局によって送信されたアップリンク送信リソース指示情報を受信するようにさらに構成される。プロセッサ1102は、アップリンク送信リソース指示情報に基づいてアップリンク送信リソースを決定するようにさらに構成される。送信機1103は、切り替え先の信号送信モードの設定に成功したことを示す応答メッセージを、アップリンク送信リソースを使用して基地局に送信するように構成される。
【０２３０】
プロセッサ1102によって信号送信モードを切り替える具体的な時点は以下の通りであり、切り替え先の信号送信モードの設定に成功したことを示す応答メッセージを基地局によって受信した時点が開始時点として使用され、信号送信モードは、X番目のサブフレーム信号が受信された直後の時点で切り替えられ、Xは、1以上の正の整数である。
【０２３１】
あるいは、基地局が、切り替え先の信号送信モードの設定に成功したことを示す応答メッセージを第1の所定の期間内に受信した場合、現在の信号送信モードは、第1の所定の期間の終了時点からN番目のサブフレーム信号を受信した時点で切り替え先の信号送信モードに切り替えられ、Nは、1以上の正の整数であり、第1の所定の期間は、信号送信モードを設定するために使用される制御命令情報を基地局によって送信した時点から開始される。
【０２３２】
基地局が、切り替え先の信号送信モードの設定に成功したことを示す応答メッセージを第1の所定の期間内に受信しなかった場合、現在の信号送信モードが維持される。
【０２３３】
別の場合には、受信機1101は、プロセッサが現在の信号送信モードを切り替え先の信号送信モードに切り替えた後に、基地局によって送信されたアップリンク送信リソース指示情報を受信するようにさらに構成される。プロセッサ1102は、アップリンク送信リソース指示情報に基づいてアップリンク送信リソースを決定するようにさらに構成される。送信機1103は、切り替え先の信号送信モードの設定に成功したことを示す応答メッセージを、アップリンク送信リソースを使用して基地局に送信するように構成される。
【０２３４】
本願の実施形態6で提供される端末が動作するとき、端末は、本願の実施形態2で提供される方法を実行する。端末の動作の詳細については、本願の実施形態2で提供される方法を参照されたい。
【０２３５】
本発明の実施形態6で提供される端末デバイスでは、受信機は、切り替え先の信号送信モードに対応するブロードキャストを複数の方法で取得する。プロセッサは、ブロードキャスト情報に基づいて切り替え先の信号送信モードの設定情報を決定し、設定情報に基づいて切り替え先の信号送信モードを設定し、次に、現在の信号送信モードを切り替え先の信号送信モードに切り替える。基地局および端末デバイスは、送信モードに関する、基地局と端末デバイスとの間の認識の整合性の問題を回避するために、合意された期間に現在の信号送信モードを切り替え先の信号送信モードに別々に切り替える。
【０２３６】
当業者であれば、本明細書に開示されている実施形態に記載された例との組み合わせにおいて、ユニットおよびアルゴリズムステップが、電子ハードウェア、コンピュータソフトウェア、またはこれらの組み合わせによって実施され得ることにさらに気づくことができる。ハードウェアとソフトウェアとの互換性を明確に説明するために、上では、機能に基づいて各例の構成およびステップを一般的に説明した。機能がハードウェアとソフトウェアのどちらによって実行されるかは、技術的解決策の特定の用途および設計制約に依存する。当業者であれば、特定の用途ごとに、説明された機能を実施するために異なる方法を使用することができるが、その実施態様は本発明の範囲を超えると考えられるべきではない。
【０２３７】
当業者であれば、上記の実施形態における方法の全部または一部のステップが、プロセッサに命令するプログラムによって完了され得ることを理解することができる。プログラムは、コンピュータ可読記憶媒体に記憶されてもよい。記憶媒体は、非一時的（英語：non−transitory）媒体、例えば、ランダムアクセスメモリ、読み出し専用メモリ、フラッシュメモリ、ハードディスク、ソリッドステートドライブ、磁気テープ（英語：magNCtic tape）、フロッピーディスク（英語：floppy disk）、光ディスク（英語：optical disc）、またはこれらの任意の組み合わせである。
【０２３８】
上記の説明は、本発明の特定の実施態様の単なる例であり、本発明の保護範囲を限定するものではない。本発明で開示された技術的範囲内で当業者に容易に想到される変形例または置換例は、本発明の保護範囲に含まれるものとする。したがって、本発明の保護範囲は、特許請求の範囲の保護範囲に従うものとする。
【符号の説明】
【０２３９】
800  基地局
801  検出ユニット
802  送信ユニット
803  処理ユニット
804  受信ユニット
900  端末デバイス
901  受信ユニット
902  処理ユニット
903  送信ユニット
1000  基地局
1001  検出器
1002  送信機
1003  プロセッサ
1004  受信機
1100  端末デバイス
1101  受信機
1102  プロセッサ
1103  送信機
【図１】
2019528006.tif 000003
【図２】
2019528006.tif 000004
【図３】
2019528006.tif 000005
【図４】
2019528006.tif 000006
【図５】
2019528006.tif 000007
【図６】
2019528006.tif 000008
【図７】
2019528006.tif 000009
【図８】
2019528006.tif 000010
【図９】
2019528006.tif 000011
【図１０】
2019528006.tif 000012
【図１１】
2019528006.tif 000013
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
信号送信モード切替方法であって、前記方法が、
端末デバイスとの間の信号送信が異常であることが検出されたときに、信号送信モードを設定するために使用される制御命令情報を前記端末デバイスに送信するステップであって、前記制御命令情報が、前記端末デバイスに、前記端末デバイス側の現在の信号送信モードを切り替え先の信号送信モードに切り替えるよう命令するために使用される、ステップと、
前記現在の信号送信モードを前記切り替え先の信号送信モードに切り替えるステップであって、前記切り替え先の信号送信モードが、前記現在の信号送信モード以外の第2の信号送信モードである、ステップと
を含む、信号送信モード切替方法。
【請求項２】
前記端末デバイスとの間の前記信号送信が異常であることが、
前記端末デバイスの受信信号強度値が第1の所定の閾値よりも小さいことが検出されること、または
前記端末デバイスがアップリンク信号を送信する速度が第2の所定の閾値よりも小さいことが検出されること
を含む、請求項1に記載の方法。
【請求項３】
前記制御命令情報が、新しいブロードキャスト情報要素を含み、これにより、前記端末デバイスが、前記新しいブロードキャスト情報要素および第1のブロードキャストに基づいて、前記切り替え先の信号送信モードに対応する設定情報を決定し、前記第1のブロードキャストが、前記現在の信号送信モードに対応するブロードキャストである、請求項1または2に記載の方法。
【請求項４】
前記現在の信号送信モードを前記切り替え先の信号送信モードに切り替える前記ステップの前に、前記方法が、
前記現在の信号送信モードに対応する第1のブロードキャストに新しいブロードキャスト情報要素を追加／から新しいブロードキャスト情報要素を削除し、取得したブロードキャストを第2のブロードキャストとして使用するステップであって、これにより、前記端末デバイスが、前記第2のブロードキャストに基づいて、前記切り替え先の信号送信モードに対応する設定情報を決定し、前記第1のブロードキャストが、前記現在の信号送信モードに対応するブロードキャストである、ステップを含む、請求項1または2に記載の方法。
【請求項５】
信号送信モード切替方法であって、前記方法が、
基地局によって送信された、信号送信モードを設定するために使用される制御命令情報を受信するステップと、前記制御命令情報に基づいて現在の信号送信モードを切り替え先の信号送信モードに切り替えるステップであって、前記切り替え先の信号送信モードが、前記現在の信号送信モード以外の第2の信号送信モードである、ステップとを含む、信号送信モード切替方法。
【請求項６】
前記制御命令情報が、新しいブロードキャスト情報要素を含み、前記方法が、
端末デバイスによって、新しいブロードキャスト情報要素および第1のブロードキャストに基づいて、前記切り替え先の信号送信モードに対応する設定情報を決定するステップであって、前記第1のブロードキャストが、現在の信号送信モードに対応するブロードキャストである、ステップと、
前記設定情報に基づいて前記切り替え先の信号送信モードを設定するステップと
を含む、請求項5に記載の信号送信モード切替方法。
【請求項７】
前記制御命令情報に基づいて前記現在の信号送信モードを前記切り替え先の信号送信モードに切り替える前記ステップの前に、前記方法が、
前記基地局によって送信された第2のブロードキャストを受信するステップであって、前記第2のブロードキャストが、新しいブロードキャスト情報要素が第1のブロードキャストに追加／から削除された後に取得されるブロードキャストであり、前記第1のブロードキャストが、前記現在の信号送信モードに対応するブロードキャストである、ステップと、
前記第2のブロードキャストに基づいて、前記切り替え先の信号送信モードに対応する設定情報を決定するステップと、
前記設定情報に基づいて前記切り替え先の信号送信モードを設定するステップと
を含む、請求項5に記載の方法。
【請求項８】
基地局であって、前記基地局が、
前記基地局と端末デバイスとの間の信号送信が異常であるかどうかを検出するように構成される検出器と、
前記検出器が、前記基地局と前記端末デバイスとの間の前記信号送信が異常であることを検出したときに、信号送信モードを設定するために使用される制御命令情報を前記端末デバイスに送信し、前記制御命令情報が、前記端末デバイスに、前記端末デバイス側の現在の信号送信モードを切り替え先の信号送信モードに切り替えるよう命令するために使用される、ように構成される送信機と、
前記現在の信号送信モードを前記切り替え先の信号送信モードに切り替え、前記切り替え先の信号送信モードが、前記現在の信号送信モード以外の第2の信号送信モードである、ように構成される、プロセッサと
を備える、基地局。
【請求項９】
前記検出器が、
前記端末デバイスの受信信号強度値が第1の所定の閾値よりも小さいかどうかを検出するか、または
前記端末デバイスがアップリンク信号を送信する速度が第2の所定の閾値よりも小さいかどうかを検出する
ように構成される、請求項8に記載の基地局。
【請求項１０】
前記制御命令情報が、新しいブロードキャスト情報要素を含み、これにより、前記端末デバイスが、前記新しいブロードキャスト情報要素および第1のブロードキャストに基づいて、前記切り替え先の信号送信モードに対応する設定情報を決定し、前記第1のブロードキャストが、前記現在の信号送信モードに対応するブロードキャストである、請求項8または9に記載の基地局。
【請求項１１】
前記プロセッサが、前記現在の信号送信モードに対応する第1のブロードキャストに新たに追加されるブロードキャスト情報要素を追加／から新たに追加されるブロードキャスト情報要素を削除し、取得したブロードキャストを第2のブロードキャストとして使用し、これにより、前記端末デバイスが、前記第2のブロードキャストに基づいて、前記切り替え先の信号送信モードに対応する設定情報を決定し、前記第1のブロードキャストが、前記現在の信号送信モードに対応するブロードキャストである、ように構成される、請求項8または9に記載の基地局。
【請求項１２】
端末デバイスであって、前記端末デバイスが、
基地局によって送信された、信号送信モードを設定するために使用される制御命令情報を受信するように構成される受信機と、
前記制御命令情報に基づいて現在の信号送信モードを切り替え先の信号送信モードに切り替え、前記切り替え先の信号送信モードが、前記現在の信号送信モード以外の第2の信号送信モードである、ように構成される、プロセッサと
を備える、端末デバイス。
【請求項１３】
前記制御命令情報が、新しいブロードキャスト情報要素を含み、
前記プロセッサが、前記新しいブロードキャスト情報要素と、第1のブロードキャストであって、前記現在の信号送信モードに対応するブロードキャストである、前記第1のブロードキャストとに基づいて、前記切り替え先の信号送信モードに対応する設定情報を決定し、
前記設定情報に基づいて前記切り替え先の信号送信モードを設定する、ように構成される、請求項12に記載の端末デバイス。
【請求項１４】
コンピュータに、請求項1から7のいずれか一項に記載の方法を実行させるプログラム。
【請求項１５】
コンピュータに、請求項1から7のいずれか一項に記載の方法を実行させるコンピュータ可読媒体。
【手続補正２】
【補正対象書類名】明細書
【補正対象項目名】全文
【補正方法】変更
【補正の内容】
【発明の詳細な説明】
【技術分野】
【０００１】
本発明の実施形態は、LTE技術の分野に関し、特に、信号送信モード切替方法、基地局、および端末デバイスに関する。
【背景技術】
【０００２】
科学および技術の継続的な発展に伴い、ユーザは、信号送信速度などにより高い要求を課している。しかしながら、既存のLTE技術を使用することによって実現され得る信号カバレッジ深度は、ユーザの要求を満たすことができない。例えば、一部の遠隔地域では、ダウンリンクチャネルを使用して基地局によって送信される信号は、端末デバイスによって受信され得ず、端末デバイスは、アップリンクチャネルを使用してデータ信号を基地局に送信することができない。信号カバレッジ深度がより多くのユーザの要求を満たすことができるようにするために、強化されたマシンタイプ通信（enhanced MachiNC Type Communication、略してeTMC）を使用することができる。eMTCは、プロトコルリリースLTE R13のモノのインターネットの技術である。この技術では、カバレッジは、主にチャネル繰り返し技術および周波数ホッピング技術を使用することによって改善され、カバレッジ深度は、プロトコル要求によれば最大15db改善され得る。言い換えれば、既存のLTE技術は、通常のカバレッジ（Normal Coverage、略してNC）をサポートすることはできるが、より深いカバレッジをサポートすることはできない。しかしながら、eMTC技術は、カバレッジ強化（Coverage Enhanced、略してCE）をサポートすることができる。
【０００３】
従来技術では、具体的には図1に示すように、端末デバイスはLTEの通常のカバレッジエリア内でネットワークにアクセスすることが想定されている。図1（a）に示すように、この場合、端末デバイスはNCモードにある。端末デバイスはeMTCブロードキャストの存在を知らないため、端末デバイスは、LTEブロードキャストのみを読み取り、eMTCブロードキャストを読み取らない。図1（b）に示すように、端末デバイスがLTEの弱いカバレッジエリアに移動すると、端末デバイスはCEモードに入る必要がある。基地局は、端末デバイスにNCモードからCEモードへの切り替えを命令するために無線リソース制御（Radio Resource Control、略してRRC）シグナリングを配信し得るが、端末デバイスは、ネットワークアクセス中のeMTCブロードキャストの存在を知らないため、確実にはeMTCブロードキャストを受信しない。その結果、端末デバイスはCEモードで動作することができない。現在のプロトコルによれば、信号が弱くなったとき、端末デバイスは「オフライン」になることしかできない。オフラインになった後、端末デバイスは、ダウンリンク信号強度に基づいて、eMTCブロードキャストを読み取るためにCEモードでネットワークにアクセスすることを自動的に選択し、次にCEモードで動作する。このようにして、端末デバイスは、NCモードからCEモードに切り替わることができるが、端末デバイスによって行われる切り替えは、能動的な切り替えではない。代わりに、端末デバイスがLTEの弱いカバレッジエリアに移動し、信号が弱くなったときに「オフライン」になった場合にのみ、端末デバイスは、ダウンリンク信号強度に基づいて、ネットワークアクセスのためにCEモードに受動的に切り替わる。
【０００４】
したがって、NCモードとCEモードとの間での端末デバイスの切り替えをどのように実施するかが、本発明において解決される必要がある問題になる。
【発明の概要】
【課題を解決するための手段】
【０００５】
本発明の実施形態は、信号送信モード切替方法、基地局、および端末デバイスを提供する。
【０００６】
第1の態様によれば、信号送信モード切替方法が提供される。本方法は、
端末デバイスとの間の信号送信が異常であることが検出されたときに、信号送信モードを設定するために使用される制御命令情報を端末デバイスに送信するステップであって、制御命令情報が、端末デバイスに、端末デバイス側の現在の信号送信モードを切り替え先の信号送信モードに切り替えるよう命令するために使用される、ステップと、現在の信号送信モードを切り替え先の信号送信モードに切り替えるステップであって、切り替え先の信号送信モードが、現在の信号送信モード以外の第2の信号送信モードである、ステップとを含む。
【０００７】
基地局が、基地局と端末デバイスとの間の信号送信が異常であることを検出したとき、基地局は、信号送信モードを切り替えるために使用される制御命令情報を端末デバイスに直ちに送信し、これにより、端末デバイスは、端末デバイスと基地局との間の円滑でない信号送信を回避するために信号送信モードを切り替える。基地局側も、端末デバイスと信号送信モードを同期させるために信号送信モードを切り替える必要がある。
【０００８】
第1の態様に関連して、第1の態様の第1の可能な実施態様では、端末デバイスとの間の信号送信が異常であることは、
端末デバイスの受信信号強度値が第1の所定の閾値よりも小さいことが検出されること、または端末デバイスがアップリンク信号を送信する速度が第2の所定の閾値よりも小さいことが検出されることを含む。
【０００９】
本発明では、信号送信が異常である2つのケースのみが挙げられているが、これは、2つのケースしか存在しないことを表すものではないことを理解されたい。別の異常なケースでも信号送信モードを切り替える必要があるが、ここでは詳細は説明しない。
【００１０】
制御命令情報に基づいて端末デバイスの信号送信モードを切り替える前に、端末デバイスは、切り替え先の信号送信モードをさらに設定する必要があり、設定情報を取得する方法として、以下のいくつかの態様を挙げることができる。具体的には、この方法として、第1の態様の第2の可能な実施態様および第1の態様の第3の可能な実施態様が挙げられる。他の2つの方法については、端末デバイス側に関して詳細に説明することとし、ここでは詳細は説明しない。
【００１１】
第1の態様または第1の態様の第1の可能な実施態様に関連して、第1の態様の第2の可能な実施態様では、制御命令情報は、新しいブロードキャスト情報要素を含み、これにより、端末デバイスは、新しいブロードキャスト情報要素および第1のブロードキャストに基づいて、切り替え先の信号送信モードに対応する設定情報を決定し、第1のブロードキャストは、現在の信号送信モードに対応するブロードキャストである。
【００１２】
第1の態様または第1の態様の第1の可能な実施態様に関連して、第1の態様の第3の可能な実施態様では、現在の信号送信モードを切り替え先の信号送信モードに切り替えるステップの前に、本方法は、
現在の信号送信モードに対応する第1のブロードキャストに新しいブロードキャスト情報要素を追加／から新しいブロードキャスト情報要素を削除し、取得したブロードキャストを第2のブロードキャストとして使用するステップであって、これにより、端末デバイスが、第2のブロードキャストに基づいて、切り替え先の信号送信モードに対応する設定情報を決定し、第1のブロードキャストが、現在の信号送信モードに対応するブロードキャストである、ステップをさらに含む。
【００１３】
第1の態様〜第1の態様の第3の可能な実施態様のいずれか1つに関連して、第1の態様の第4の可能な実施態様では、現在の信号送信モードを切り替え先の信号送信モードに切り替えるステップの前に、本方法は、
アップリンク送信リソース指示情報を端末デバイスに送信するステップであって、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ステップをさらに含む。
【００１４】
第1の態様の第4の可能な実施態様に関連して、第1の態様の第5の可能な実施態様では、本方法は、
端末デバイスによって送信された、切り替え先の信号送信モードの設定に成功したことを示す応答メッセージを受信するステップと、応答メッセージに基づいて現在の信号送信モードを切り替え先の信号送信モードに切り替えるステップとをさらに含む。
【００１５】
第1の態様の第5の可能な実施態様に関連して、第1の態様の第6の可能な実施態様では、現在の信号送信モードを切り替え先の信号送信モードに切り替えるステップの具体的な時点は以下の通りであり、
端末デバイスによって送信された、切り替え先の信号送信モードの設定に成功したことを示す応答メッセージを受信した時点は、開始時点として使用され、X番目のサブフレーム信号を受信した時点で現在の信号送信モードは、切り替え先の信号送信モードに切り替えられ、Xは、1以上の正の整数である。
【００１６】
第1の態様の第5の可能な実施態様に関連して、第1の態様の第7の可能な実施態様では、現在の信号送信モードを切り替え先の信号送信モードに切り替えるステップの具体的な時点は以下の通りであり、
端末デバイスによって送信された、切り替え先の信号送信モードの設定に成功したことを示す応答メッセージが、第1の所定の期間内に受信された場合、第1の所定の期間の終了時点からN番目のサブフレーム信号を受信した時点で現在の信号送信モードは、切り替え先の信号送信モードに切り替えられ、Nは、1以上の正の整数であり、第1の所定の期間は、信号送信モードを設定するために使用される制御命令情報を端末デバイスに送信した時点から開始され、
端末デバイスによって送信された、切り替え先の信号送信モードの設定に成功したことを示す応答メッセージが第1の所定の期間内に受信されなかった場合、現在の信号送信モードが維持される。
【００１７】
第1の態様〜第1の態様の第3の可能な実施態様のいずれか1つに関連して、第1の態様の第9の可能な実施態様では、現在の信号送信モードを切り替え先の信号送信モードに切り替えるステップの後に、本方法は、
アップリンク送信リソース指示情報を端末デバイスに送信するステップであって、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ステップをさらに含む。
【００１８】
第1の態様の第8の可能な実施態様に関連して、第1の態様の第9の可能な実施態様では、本方法は、端末デバイスによって送信された、切り替え先の信号送信モードの設定に成功したことを示す応答メッセージを受信するステップをさらに含む。
【００１９】
第1の態様〜第1の態様の第3の可能な実施態様のいずれか1つに関連して、第1の態様の第10の可能な実施態様では、信号送信モードを設定するために使用される制御命令情報を端末デバイスに送信するステップの後に、本方法は、
現在の信号送信モードおよび第2の信号送信モードを使用してアップリンク送信リソース指示情報を端末デバイスに別々に送信するステップであって、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ステップをさらに含む。
【００２０】
第1の態様の第10の可能な実施態様に関連して、第1の態様の第11の可能な実施態様では、本方法は、端末デバイスによって送信された、切り替え先の信号送信モードの設定に成功したことを示す応答メッセージが現在の信号送信モードに対応する第1の信号送信チャネルまたは第2の信号送信モードに対応する第2の信号送信チャネルの一方によって受信され得るかを判定するために、第1の信号送信チャネルおよび第2の信号送信チャネルを別々に検出するステップと、
端末デバイスによって送信された、切り替え先の信号送信モードの設定に成功したことを示す応答メッセージを受信した時点を開始時点として使用し、J番目のサブフレーム信号を受信した時点で現在の信号送信モードを切り替え先の信号送信モードに切り替えるステップであって、Jが、1以上の正の整数である、ステップとをさらに含む。
【００２１】
制御命令情報を端末デバイスに送信した後、基地局は、切り替え先の信号送信モードの設定に成功したことを示す応答メッセージを送信するために端末デバイスに対してアップリンク送信リソースをさらに指定する必要がある。したがって、基地局は、アップリンク送信リソース指示情報を端末デバイスにさらに送信する必要がある。端末デバイスは、アップリンク送信リソース指示情報に基づいてアップリンク送信リソースを決定し、アップリンク送信リソースを使用して、切り替え先の信号送信モードの設定に成功したことを示す応答メッセージを送信する。具体的な送信時間は、基地局が現在の信号送信モードを切り替え先の信号送信モードに切り替える前、または基地局が現在の信号送信モードを切り替え先信号に切り替えた後、または基地局が信号送信モードを設定するために使用される制御命令情報を端末デバイスに送信した後であってもよい。これは、具体的には実際の状況に応じて決定されるものであり、ここでは限定されない。方法に関係なく、アップリンク送信リソース指示情報を送信するために基地局によって使用される信号送信モードと、切り替え先の信号送信モードの設定に成功したことを示す応答メッセージを送信するために端末デバイス側によって使用される信号送信モードとの間の整合性を確保することが目的である。言い換えれば、基地局と端末デバイスとの間で合意された信号送信モードでメッセージを受信することができ、これにより、基地局および端末デバイスは、メッセージの受信に成功することができる。
【００２２】
第2の態様によれば、本発明の一実施形態は、別の信号送信モード切替方法をさらに提供する。本方法は、基地局によって送信された、信号送信モードを設定するために使用される制御命令情報を受信するステップと、制御命令情報に基づいて現在の信号送信モードを切り替え先の信号送信モードに切り替えるステップであって、切り替え先の信号送信モードが、現在の信号送信モード以外の第2の信号送信モードである、ステップとを含む。
【００２３】
基地局が、基地局と端末デバイスとの間の信号送信が異常であることを検出したとき、基地局は、信号送信モードを切り替えるために使用される制御命令情報を端末デバイスに直ちに送信する。制御命令情報を受信した後、端末デバイスは、端末デバイスと基地局との間の円滑でない信号送信を回避するために信号送信モードを切り替える。
【００２４】
制御命令情報に基づいて端末デバイスの信号送信モードを切り替える前に、端末デバイスは、切り替え先の信号送信モードをさらに設定する必要があり、設定情報を取得する方法として、以下のいくつかの態様を挙げることができる。具体的には、この方法として、第2の態様の第1の可能な実施態様〜第2の態様の第4の可能な実施態様が挙げられる。
【００２５】
第2の態様に関連して、第2の態様の第1の可能な実施態様では、制御命令情報は、新しいブロードキャスト情報要素を含み、本方法は、
端末デバイスによって、新しいブロードキャスト情報要素および第1のブロードキャストに基づいて、切り替え先の信号送信モードに対応する設定情報を決定するステップであって、第1のブロードキャストが、現在の信号送信モードに対応するブロードキャストである、ステップと、
設定情報に基づいて切り替え先の信号送信モードを設定するステップと
をさらに含む。
【００２６】
第2の態様に関連して、第2の態様の第2の可能な実施態様では、制御命令情報に基づいて現在の信号送信モードを切り替え先の信号送信モードに切り替えるステップの前に、本方法は、
基地局によって送信された第2のブロードキャストを受信するステップであって、第2のブロードキャストが、新しいブロードキャスト情報要素が第1のブロードキャストに追加／から削除された後に取得されるブロードキャストであり、第1のブロードキャストが、現在の信号送信モードに対応するブロードキャストである、ステップと、第2のブロードキャストに基づいて、切り替え先の信号送信モードに対応する設定情報を決定するステップと、設定情報に基づいて切り替え先の信号送信モードを設定するステップとをさらに含む。
【００２７】
第2の態様に関連して、第2の態様の第3の可能な実施態様では、基地局によって送信された、信号送信モードを設定するために使用される制御命令情報を受信するステップの後に、本方法は、
基地局によって送信された第2のブロードキャストを受信するステップであって、第2のブロードキャストが、切り替え先の信号送信モードに対応するブロードキャストであり、第2のブロードキャストが、第1のブロードキャストの情報要素と同じ情報要素もしくは第1のブロードキャストの情報要素と同じ特性を有する情報要素および／または第1のブロードキャストに対して新しいブロードキャスト情報要素を含み、第1のブロードキャストが、現在の信号送信モードに対応するブロードキャストである、ステップと、第2のブロードキャストに基づいて切り替え先の信号送信モードの設定情報を決定し、設定情報に基づいて切り替え先の信号送信モードを設定するステップとをさらに含む。
【００２８】
第2の態様に関連して、第2の態様の第4の可能な実施態様では、制御命令情報に基づいて切り替え先の信号送信モードを設定するステップの前に、本方法は、
第1のブロードキャストと第2のブロードキャストとを別々に受信し、第１のブロードキャストおよび第２のブロードキャストから、切り替え先の信号送信モードに対応するブロードキャストを決定するステップと、切り替え先の信号送信モードに対応するブロードキャストに基づいて、切り替え先の信号送信モードに対応する設定情報を決定するステップと、設定情報に基づいて切り替え先の信号送信モードを設定するステップとをさらに含む。
【００２９】
第2の態様〜第2の態様の第4の可能な実施態様のいずれか1つに関連して、第2の態様の第5の可能な実施態様では、現在の信号送信モードを切り替え先の信号送信モードに切り替えるステップの前に、本方法は、基地局によって送信されたアップリンク送信リソース指示情報を受信するステップと、アップリンク送信リソース指示情報に基づいてアップリンク送信リソースを決定するステップと、切り替え先の信号送信モードの設定に成功したことを示す応答メッセージを、アップリンク送信リソースを使用して基地局に送信するステップとをさらに含む。
【００３０】
第2の態様の第5の可能な実施態様に関連して、第2の態様の第6の可能な実施態様では、信号送信モードを切り替えるステップの具体的な時点は以下の通りであり、切り替え先の信号送信モードの設定に成功したことを示す応答メッセージを基地局によって受信した時点が、開始時点として使用され、X番目のサブフレーム信号を受信した時点で現在の信号送信モードは、切り替え先の信号送信モードに切り替えられ、Xは、1以上の正の整数である。
【００３１】
第2の態様の第5の可能な実施態様に関連して、第2の態様の第7の可能な実施態様では、信号送信モードを切り替えるステップの具体的な時点は以下の通りであり、基地局が、切り替え先の信号送信モードの設定に成功したことを示す応答メッセージを第1の所定の期間内に受信した場合、現在の信号送信モードは、第1の所定の期間の終了時点からN番目のサブフレーム信号を受信した時点で切り替え先の信号送信モードに切り替えられ、Nが、1以上の正の整数であり、第1の所定の期間は、信号送信モードを設定するために使用される制御命令情報を基地局によって送信した時点から開始され、
基地局が、切り替え先の信号送信モードの設定に成功したことを示す応答メッセージを第1の所定の期間内に受信しなかった場合、現在の信号送信モードが維持される。
【００３２】
第2の態様〜第2の態様の第4の可能な実施態様のいずれか1つに関連して、第2の態様の第8の可能な実施態様では、現在の信号送信モードを切り替え先の信号送信モードに切り替えるステップの後に、本方法は、
基地局によって送信されたアップリンク送信リソース指示情報を受信するステップと、
アップリンク送信リソース指示情報に基づいてアップリンク送信リソースを決定するステップと、
切り替え先の信号送信モードの設定に成功したことを示す応答メッセージを、アップリンク送信リソースを使用して基地局に送信するステップと
をさらに含む。
【００３３】
基地局によって送信されたアップリンク送信リソース指示情報を受信した後、端末デバイスは、さらに、アップリンク送信リソース指示情報に基づいてアップリンク送信リソースを決定し、アップリンク送信リソースを使用して、切り替え先の信号送信モードの設定に成功したことを示す応答メッセージを送信する必要がある。アップリンク送信リソース指示情報を受信する具体的な時間は、端末デバイスが現在の信号送信モードを切り替え先の信号送信モードに切り替える前、または端末デバイスが現在の信号送信モードを切り替え先の信号送信モードに切り替えた後であってもよい。これは、具体的には実際の状況に応じて決定されるものであり、ここでは限定されない。方法に関係なく、アップリンク送信リソース指示情報を送信するために基地局によって使用される信号送信モードと、切り替え先の信号送信モードの設定に成功したことを示す応答メッセージを送信するために端末デバイス側によって使用される信号送信モードとの間の整合性を確保することが目的である。言い換えれば、基地局と端末デバイスとの間で合意された信号送信モードでメッセージを受信することができ、これにより、基地局および端末デバイスは、メッセージの受信に成功することができる。
【００３４】
第3の態様によれば、本発明の一実施形態は、基地局をさらに提供する。基地局は、
基地局と端末デバイスとの間の信号送信が異常であるかどうかを検出するように構成される検出ユニットと、
検出ユニットが、基地局と端末デバイスとの間の信号送信が異常であることを検出したときに、信号送信モードを設定するために使用される制御命令情報を端末デバイスに送信するように構成される送信ユニットであって、制御命令情報が、端末デバイスに、端末デバイス側の現在の信号送信モードを切り替え先の信号送信モードに切り替えるよう命令するために使用される、送信ユニットと、
現在の信号送信モードを切り替え先の信号送信モードに切り替えるように構成される処理ユニットであって、切り替え先の信号送信モードが、現在の信号送信モード以外の第2の信号送信モードである、処理ユニットと
を含む。
【００３５】
検出ユニットが、基地局と端末デバイスとの間の信号送信が異常であることを検出したとき、送信ユニットは、検出ユニットの検出結果に基づいて、信号送信モードを切り替えるために使用される制御命令情報を端末デバイスに直ちに送信し、これにより、端末デバイスは、端末デバイスと基地局との間の円滑でない信号送信を回避するために信号送信モードを切り替える。基地局側も、端末デバイスと信号送信モードを同期させるために信号送信モードを切り替える必要がある。
【００３６】
第3の態様に関連して、第3の態様の第1の可能な実施態様では、検出ユニットは、
端末デバイスの受信信号強度値が第1の所定の閾値よりも小さいかどうかを検出するか、または
端末デバイスがアップリンク信号を送信する速度が第2の所定の閾値よりも小さいかどうかを検出する
ように特に構成される。
【００３７】
本発明では、信号送信が異常である2つのケースのみが挙げられているが、これは、2つのケースしか存在しないことを表すものではないことを理解されたい。別の異常なケースでも信号送信モードを切り替える必要があるが、ここでは詳細は説明しない。
【００３８】
制御命令情報に基づいて端末デバイスの信号送信モードを切り替える前に、端末デバイスは、切り替え先の信号送信モードをさらに設定する必要があり、設定情報を取得する方法として、以下のいくつかの態様を挙げることができる。具体的には、この方法として、第3の態様の第2の可能な実施態様および第3の態様の第3の可能な実施態様が挙げられる。他の2つの方法については、端末デバイス側に関して詳細に説明することとし、ここでは詳細は説明しない。
【００３９】
第3の態様または第3の態様の第1の可能な実施態様に関連して、第3の態様の第2の可能な実施態様では、
制御命令情報は、新しいブロードキャスト情報要素を含み、これにより、端末デバイスは、新しいブロードキャスト情報要素および第1のブロードキャストに基づいて、切り替え先の信号送信モードに対応する設定情報を決定し、第1のブロードキャストは、現在の信号送信モードに対応するブロードキャストである。
【００４０】
第3の態様または第3の態様の第1の可能な実施態様に関連して、第3の態様の第3の可能な実施態様では、処理ユニットは、現在の信号送信モードに対応する第1のブロードキャストに新しいブロードキャスト情報要素を追加／から新しいブロードキャスト情報要素を削除し、取得したブロードキャストを第2のブロードキャストとして使用し、これにより、端末デバイスが、第2のブロードキャストに基づいて、切り替え先の信号送信モードに対応する設定情報を決定し、第1のブロードキャストが、現在の信号送信モードに対応するブロードキャストである、ようにさらに構成される。
【００４１】
第3の態様〜第3の態様の第3の可能な実施態様のいずれか1つに関連して、第3の態様の第4の可能な実施態様では、
送信ユニットは、処理ユニットが現在の信号送信モードを切り替え先の信号送信モードに切り替える前に、アップリンク送信リソース指示情報を端末デバイスに送信し、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ようにさらに構成される。
【００４２】
第3の態様の第4の可能な実施態様に関連して、第3の態様の第5の可能な実施態様では、基地局は、
端末デバイスによって送信された、切り替え先の信号送信モードの設定に成功したことを示す応答メッセージを受信するように構成される受信ユニットをさらに含み、処理ユニットは、応答メッセージに基づいて現在の信号送信モードを切り替え先の信号送信モードに切り替えるようにさらに構成される。
【００４３】
第3の態様の第5の可能な実施態様に関連して、第3の態様の第6の可能な実施態様では、処理ユニットによって現在の信号送信モードを切り替え先の信号送信モードに切り替える具体的な時点は以下の通りであり、
端末デバイスによって送信された、切り替え先の信号送信モードの設定に成功したことを示す応答メッセージを受信ユニットによって受信した時点が、開始時点として使用され、処理ユニットは、X番目のサブフレーム信号を受信した時点で現在の信号送信モードを切り替え先の信号送信モードに切り替え、Xは、1以上の正の整数である。
【００４４】
第3の態様の第5の可能な実施態様に関連して、第3の態様の第7の可能な実施態様では、
処理ユニットによって現在の信号送信モードを切り替え先の信号送信モードに切り替える具体的な時点は以下の通りであり、
受信ユニットが、端末デバイスによって送信された、切り替え先の信号送信モードの設定に成功したことを示す応答メッセージを第1の所定の期間内に受信した場合、処理ユニットは、第1の所定の期間の終了時点からN番目のサブフレーム信号を受信した時点で現在の信号送信モードを切り替え先の信号送信モードに切り替え、Nは、1以上の正の整数であり、第1の所定の期間は、信号送信モードを設定するために使用される制御命令情報を、送信ユニットによって端末デバイスに送信した時点から開始され、
受信ユニットが、端末デバイスによって送信された、切り替え先の信号送信モードの設定に成功したことを示す応答メッセージを第1の所定の期間内に受信しなかった場合、処理ユニットは、現在の信号送信モードを維持する。
【００４５】
第3の態様〜第3の態様の第3の可能な実施態様のいずれか1つに関連して、第3の態様の第8の可能な実施態様では、送信ユニットは、
処理ユニットが現在の信号送信モードを切り替え先の信号送信モードに切り替えた後に、アップリンク送信リソース指示情報を端末デバイスに送信し、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ようにさらに構成される。
【００４６】
第3の態様の第8の可能な実施態様に関連して、第3の態様の第9の可能な実施態様では、基地局は、受信ユニットであって、端末デバイスによって送信された、切り替え先の信号送信モードの設定に成功したことを示す応答メッセージを受信するように構成される受信ユニットをさらに含む。
【００４７】
第3の態様〜第3の態様の第3の可能な実施態様のいずれかに関連して、第3の態様の第10の可能な実施態様では、送信ユニットは、信号送信モードを設定するために使用される制御命令情報を端末デバイスに送信した後に、現在の信号送信モードおよび第2の信号送信モードを使用してアップリンク送信リソース指示情報を端末デバイスに別々に送信し、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ようにさらに構成される。
【００４８】
第3の態様の第10の可能な実施態様に関連して、第3の態様の第11の可能な実施態様では、検出ユニットは、現在の信号送信モードに対応する第1の受信ユニットまたは第2の信号送信モードに対応する第2の受信ユニットの一方が、端末デバイスによって送信された、切り替え先の信号送信モードの設定に成功したことを示す応答メッセージを受信することができるかを判定するために、第1の受信ユニットおよび第2の受信ユニットを別々に検出するようにさらに構成され、処理ユニットは、端末デバイスによって送信された、切り替え先の信号送信モードの設定に成功したことを示す応答メッセージを受信した時点を開始時点として使用し、J番目のサブフレーム信号を受信した時点で現在の信号送信モードを切り替え先の信号送信モードに切り替え、Jは、1以上の正の整数である、ようにさらに構成される。
【００４９】
第4の態様によれば、本発明の一実施形態は、端末デバイスをさらに提供する。端末デバイスは、
基地局によって送信された、信号送信モードを設定するために使用される制御命令情報を受信するように構成される受信ユニットと、
制御命令情報に基づいて現在の信号送信モードを切り替え先の信号送信モードに切り替えるように構成される処理ユニットであって、切り替え先の信号送信モードが、現在の信号送信モード以外の第2の信号送信モードである、処理ユニットと
を含む。
【００５０】
第4の態様に関連して、第4の態様の第1の可能な実施態様では、制御命令情報は、新しいブロードキャスト情報要素を含み、
処理ユニットは、新しいブロードキャスト情報要素と、現在の信号送信モードに対応するブロードキャストである第1のブロードキャストとに基づいて、切り替え先の信号送信モードに対応する設定情報を決定し、設定情報に基づいて切り替え先の信号送信モードを設定するように構成される。
【００５１】
第4の態様に関連して、第4の態様の第2の可能な実施態様では、受信ユニットは、処理ユニットが制御命令情報に基づいて現在の信号送信モードを切り替え先の信号送信モードに切り替える前に、基地局によって送信された第2のブロードキャストを受信し、第2のブロードキャストが、新しいブロードキャスト情報要素が第1のブロードキャストに追加／から削除された後に取得されるブロードキャストであり、第1のブロードキャストが、現在の信号送信モードに対応するブロードキャストである、ようにさらに構成され、
処理ユニットは、第2のブロードキャストに基づいて、切り替え先の信号送信モードに対応する設定情報を決定し、設定情報に基づいて切り替え先の信号送信モードを設定するようにさらに構成される。
【００５２】
第4の態様に関連して、第4の態様の第3の可能な実施態様では、受信ユニットは、基地局によって送信された、信号送信モードを設定するために使用される制御命令情報を受信した後に、基地局によって送信された第2のブロードキャストを受信し、第2のブロードキャストが、切り替え先の信号送信モードに対応するブロードキャストであり、第2のブロードキャストが、第1のブロードキャストの情報要素と同じ情報要素もしくは第1のブロードキャストの情報要素と同じ特性を有する情報要素および／または第1のブロードキャストに対して新しいブロードキャスト情報要素を含み、第1のブロードキャストが、現在の信号送信モードに対応するブロードキャストである、ようにさらに構成され、
処理ユニットは、第2のブロードキャストに基づいて、切り替え先の信号送信モードの設定情報を決定し、設定情報に基づいて切り替え先の信号送信モードを設定するようにさらに構成される。
【００５３】
第4の態様に関連して、第4の態様の第4の可能な実施態様では、受信ユニットは、処理ユニットが制御命令情報に基づいて切り替え先の信号送信モードを設定する前に、第1のブロードキャストと第2のブロードキャストとを別々に受信し、第1のブロードキャストおよび第2のブロードキャストから、切り替え先の信号送信モードに対応するブロードキャストを決定するようにさらに構成され、
処理ユニットは、切り替え先の信号送信モードに対応するブロードキャストに基づいて、切り替え先の信号送信モードに対応する設定情報を決定し、設定情報に基づいて切り替え先の信号送信モードを設定するようにさらに構成される。
【００５４】
第4の態様〜第4の態様の第4の可能な実施態様のいずれか1つに関連して、第4の態様の第5の可能な実施態様では、基地局は、送信ユニットをさらに含み、受信ユニットは、処理ユニットが現在の信号送信モードを切り替え先の信号送信モードに切り替える前に、基地局によって送信されたアップリンク送信リソース指示情報を受信するようにさらに構成され、処理ユニットは、アップリンク送信リソース指示情報に基づいてアップリンク送信リソースを決定するようにさらに構成され、送信ユニットは、切り替え先の信号送信モードの設定に成功したことを示す応答メッセージを、アップリンク送信リソースを使用して基地局に送信するように構成される。
【００５５】
第4の態様の第5の可能な実施態様に関連して、第4の態様の第6の可能な実施態様では、処理ユニットによって信号送信モードを切り替える具体的な時点は以下の通りであり、切り替え先の信号送信モードの設定に成功したことを示す応答メッセージを基地局によって受信した時点が開始時点として使用され、信号送信モードは、X番目のサブフレーム信号が受信された直後の時点で切り替えられ、Xは、1以上の正の整数である。
【００５６】
第4の態様の第5の可能な実施態様に関連して、第4の態様の第7の可能な実施態様では、処理ユニットによって信号送信モードを切り替える具体的な時点は以下の通りであり、
基地局が、切り替え先の信号送信モードの設定に成功したことを示す応答メッセージを第1の所定の期間内に受信した場合、現在の信号送信モードは、第1の所定の期間の終了時点からN番目のサブフレーム信号を受信した時点で切り替え先の信号送信モードに切り替えられ、Nが、1以上の正の整数であり、第1の所定の期間は、信号送信モードを設定するために使用される制御命令情報を基地局によって送信した時点から開始され、
基地局が、切り替え先の信号送信モードの設定に成功したことを示す応答メッセージを第1の所定の期間内に受信しなかった場合、現在の信号送信モードが維持される。
【００５７】
第4の態様〜第4の態様の第4の可能な実施態様のいずれか1つに関連して、第4の態様の第8の可能な実施態様では、端末デバイスは、送信ユニットをさらに含み、
受信ユニットは、処理ユニットが現在の信号送信モードを切り替え先の信号送信モードに切り替えた後に、基地局によって送信されたアップリンク送信リソース指示情報を受信するようにさらに構成され、
処理ユニットは、アップリンク送信リソース指示情報に基づいてアップリンク送信リソースを決定するようにさらに構成され、
送信ユニットは、切り替え先の信号送信モードの設定に成功したことを示す応答メッセージを、アップリンク送信リソースを使用して基地局に送信するように構成される。
【００５８】
第5の態様によれば、本発明の一実施形態は、基地局をさらに提供する。基地局は、
基地局と端末デバイスとの間の信号送信が異常であるかどうかを検出するように構成される検出器と、
検出器が、基地局と端末デバイスとの間の信号送信が異常であることを検出したときに、信号送信モードを設定するために使用される制御命令情報を端末デバイスに送信するように構成される送信機であって、制御命令情報が、端末デバイスに、端末デバイス側の現在の信号送信モードを切り替え先の信号送信モードに切り替えるよう命令するために使用される、送信機と、
現在の信号送信モードを切り替え先の信号送信モードに切り替えるように構成されるプロセッサであって、切り替え先の信号送信モードが、現在の信号送信モード以外の第2の信号送信モードである、プロセッサと
を含む。
【００５９】
検出器が、基地局と端末デバイスとの間の信号送信が異常であることを検出したとき、送信機は、検出器の検出結果に基づいて、信号送信モードを切り替えるために使用される制御命令情報を端末デバイスに直ちに送信し、これにより、端末デバイスは、端末デバイスと基地局との間の円滑でない信号送信を回避するために信号送信モードを切り替える。基地局側も、端末デバイスと信号送信モードを同期させるために信号送信モードを切り替える必要がある。
【００６０】
第5の態様に関連して、第5の態様の第1の可能な実施態様では、検出機は、
端末デバイスの受信信号強度値が第1の所定の閾値よりも小さいかどうかを検出するか、または
端末デバイスがアップリンク信号を送信する速度が第2の所定の閾値よりも小さいかどうかを検出する
ように特に構成される。
【００６１】
本発明では、信号送信が異常である2つのケースのみが挙げられているが、これは、2つのケースしか存在しないことを表すものではないことを理解されたい。別の異常なケースでも信号送信モードを切り替える必要があるが、ここでは詳細は説明しない。
【００６２】
制御命令情報に基づいて端末デバイスの信号送信モードを切り替える前に、端末デバイスは、切り替え先の信号送信モードをさらに設定する必要があり、設定情報を取得する方法として、以下のいくつかの態様を挙げることができる。具体的には、この方法として、第5の態様の第2の可能な実施態様および第5の態様の第3の可能な実施態様が挙げられる。他の2つの方法については、端末デバイス側に関して詳細に説明することとし、ここでは詳細は説明しない。
【００６３】
第5の態様または第5の態様の第1の可能な実施態様に関連して、第5の態様の第2の可能な実施態様では、
制御命令情報は、新しいブロードキャスト情報要素を含み、これにより、端末デバイスは、新しいブロードキャスト情報要素および第1のブロードキャストに基づいて、切り替え先の信号送信モードに対応する設定情報を決定し、第1のブロードキャストは、現在の信号送信モードに対応するブロードキャストである。
【００６４】
第5の態様または第5の態様の第1の可能な実施態様に関連して、第5の態様の第3の可能な実施態様では、プロセッサは、現在の信号送信モードに対応する第1のブロードキャストに新しいブロードキャスト情報要素を追加／から新しいブロードキャスト情報要素を削除し、取得したブロードキャストを第2のブロードキャストとして使用し、これにより、端末デバイスが、第2のブロードキャストに基づいて、切り替え先の信号送信モードに対応する設定情報を決定し、第1のブロードキャストが、現在の信号送信モードに対応するブロードキャストである、ようにさらに構成される。
【００６５】
第5の態様〜第5の態様の第3の可能な実施態様のいずれか1つに関連して、第5の態様の第4の可能な実施態様では、
送信機は、プロセッサが現在の信号送信モードを切り替え先の信号送信モードに切り替える前に、アップリンク送信リソース指示情報を端末デバイスに送信し、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ようにさらに構成される。
【００６６】
第5の態様の第4の可能な実施態様に関連して、第5の態様の第5の可能な実施態様では、基地局は、
端末デバイスによって送信された、切り替え先の信号送信モードの設定に成功したことを示す応答メッセージを受信するように構成される受信機をさらに含み、プロセッサは、応答メッセージに基づいて現在の信号送信モードを切り替え先の信号送信モードに切り替えるようにさらに構成される。
【００６７】
第5の態様の第5の可能な実施態様に関連して、第5の態様の第6の可能な実施態様では、プロセッサによって現在の信号送信モードを切り替え先の信号送信モードに切り替える具体的な時点は以下の通りであり、
端末デバイスによって送信された、切り替え先の信号送信モードの設定に成功したことを示す応答メッセージを受信機によって受信した時点が、開始時点として使用され、プロセッサは、X番目のサブフレーム信号を受信した時点で現在の信号送信モードを切り替え先の信号送信モードに切り替え、Xは、1以上の正の整数である。
【００６８】
第5の態様の第5の可能な実施態様に関連して、第5の態様の第7の可能な実施態様では、
プロセッサによって現在の信号送信モードを切り替え先の信号送信モードに切り替える具体的な時点は以下の通りであり、
受信機が、端末デバイスによって送信された、切り替え先の信号送信モードの設定に成功したことを示す応答メッセージを第1の所定の期間内に受信した場合、プロセッサは、第1の所定の期間の終了時点からN番目のサブフレーム信号を受信した時点で現在の信号送信モードを切り替え先の信号送信モードに切り替え、Nは、1以上の正の整数であり、第1の所定の期間は、信号送信モードを設定するために使用される制御命令情報を、送信機によって端末デバイスに送信した時点から開始され、
受信機が、端末デバイスによって送信された、切り替え先の信号送信モードの設定に成功したことを示す応答メッセージを第1の所定の期間内に受信しなかった場合、プロセッサは、現在の信号送信モードを維持する。
【００６９】
第5の態様〜第5の態様の第3の可能な実施態様のいずれか1つに関連して、第5の態様の第8の可能な実施態様では、送信機は、
プロセッサが現在の信号送信モードを切り替え先の信号送信モードに切り替えた後に、アップリンク送信リソース指示情報を端末デバイスに送信し、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ようにさらに構成される。
【００７０】
第5の態様の第8の可能な実施態様に関連して、第5の態様の第9の可能な実施態様では、基地局は、受信機であって、端末デバイスによって送信された、切り替え先の信号送信モードの設定に成功したことを示す応答メッセージを受信するように構成される受信機をさらに含む。
【００７１】
第5の態様〜第5の態様の第3の可能な実施態様のいずれかに関連して、第5の態様の第10の可能な実施態様では、送信機は、信号送信モードを設定するために使用される制御命令情報を端末デバイスに送信した後に、現在の信号送信モードおよび第2の信号送信モードを使用してアップリンク送信リソース指示情報を端末デバイスに別々に送信し、アップリンク送信リソース指示情報が、端末デバイスに、アップリンク送信リソースを決定し、アップリンク送信リソースを使用して、切り替え先の信号送信モードの設定に成功したことを示す応答メッセージを基地局に送信するよう命令するために使用される、ようにさらに構成される。
【００７２】
第5の態様の第10の可能な実施態様に関連して、第5の態様の第11の可能な実施態様では、検出器は、端末デバイスによって送信された、切り替え先の信号送信モードの設定に成功したことを示す応答メッセージが現在の信号送信モードに対応する第1の受信機または第2の信号送信モードに対応する第2の受信機の一方によって受信され得るかを判定するために、第1の受信機および第2の受信機を別々に検出するようにさらに構成され、プロセッサは、端末デバイスによって送信された、切り替え先の信号送信モードの設定に成功したことを示す応答メッセージを受信した時点を開始時点として使用し、J番目のサブフレーム信号を受信した時点で現在の信号送信モードを切り替え先の信号送信モードに切り替え、Jは、1以上の正の整数である、ようにさらに構成される。
【００７３】
第6の態様によれば、本発明の一実施形態は、端末デバイスをさらに提供する。端末デバイスは、
基地局によって送信された、信号送信モードを設定するために使用される制御命令情報を受信するように構成される受信機と、
制御命令情報に基づいて現在の信号送信モードを切り替え先の信号送信モードに切り替えるように構成されるプロセッサであって、切り替え先の信号送信モードが、現在の信号送信モード以外の第2の信号送信モードである、プロセッサと
を含む。
【００７４】
第6の態様に関連して、第6の態様の第1の可能な実施態様では、制御命令情報は、新しいブロードキャスト情報要素を含み、
プロセッサは、新しいブロードキャスト情報要素と、現在の信号送信モードに対応するブロードキャストである第1のブロードキャストとに基づいて、切り替え先の信号送信モードに対応する設定情報を決定し、設定情報に基づいて切り替え先の信号送信モードを設定するように構成される。
【００７５】
第6の態様に関連して、第6の態様の第2の可能な実施態様では、受信機は、プロセッサが制御命令情報に基づいて現在の信号送信モードを切り替え先の信号送信モードに切り替える前に、基地局によって送信された第2のブロードキャストを受信し、第2のブロードキャストが、新しいブロードキャスト情報要素が第1のブロードキャストに追加／から削除された後に取得されるブロードキャストであり、第1のブロードキャストが、現在の信号送信モードに対応するブロードキャストである、ようにさらに構成され、
プロセッサは、第2のブロードキャストに基づいて、切り替え先の信号送信モードに対応する設定情報を決定し、設定情報に基づいて切り替え先の信号送信モードを設定するようにさらに構成される。
【００７６】
第6の態様に関連して、第6の態様の第3の可能な実施態様では、受信機は、基地局によって送信された、信号送信モードを設定するために使用される制御命令情報を受信した後に、基地局によって送信された第2のブロードキャストを受信し、第2のブロードキャストが、切り替え先の信号送信モードに対応するブロードキャストであり、第2のブロードキャストが、第1のブロードキャストの情報要素と同じ情報要素もしくは第1のブロードキャストの情報要素と同じ特性を有する情報要素および／または第1のブロードキャストに対して新しいブロードキャスト情報要素を含み、第1のブロードキャストが、現在の信号送信モードに対応するブロードキャストである、ようにさらに構成され、
プロセッサは、第2のブロードキャストに基づいて、切り替え先の信号送信モードの設定情報を決定し、設定情報に基づいて切り替え先の信号送信モードを設定するようにさらに構成される。
【００７７】
第6の態様に関連して、第6の態様の第4の可能な実施態様では、受信機は、プロセッサが制御命令情報に基づいて現在の信号送信モードを切り替え先の信号送信モードに切り替える前に、第1のブロードキャストと第2のブロードキャストとを別々に受信し、第1のブロードキャストおよび第2のブロードキャストから、切り替え先の信号送信モードに対応するブロードキャストを決定するようにさらに構成され、
プロセッサは、切り替え先の信号送信モードに対応するブロードキャストに基づいて、切り替え先の信号送信モードに対応する設定情報を決定し、設定情報に基づいて切り替え先の信号送信モードを設定するようにさらに構成される。
【００７８】
第6の態様〜第6の態様の第4の可能な実施態様のいずれか1つに関連して、第6の態様の第5の可能な実施態様では、受信機は、プロセッサが現在の信号送信モードを切り替え先の信号送信モードに切り替える前に、基地局によって送信されたアップリンク送信リソース指示情報を受信するようにさらに構成され、プロセッサは、アップリンク送信リソース指示情報に基づいてアップリンク送信リソースを決定するようにさらに構成され、送信機は、切り替え先の信号送信モードの設定に成功したことを示す応答メッセージを、アップリンク送信リソースを使用して基地局に送信するようにさらに構成される。
【００７９】
第6の態様の第5の可能な実施態様に関連して、第6の態様の第6の可能な実施態様では、プロセッサによって信号送信モードを切り替える具体的な時点は以下の通りであり、切り替え先の信号送信モードの設定に成功したことを示す応答メッセージを基地局によって受信した時点が開始時点として使用され、信号送信モードは、X番目のサブフレーム信号が受信された直後の時点で切り替えられ、Xは、1以上の正の整数である。
【００８０】
第6の態様の第5の可能な実施態様に関連して、第6の態様の第7の可能な実施態様では、プロセッサによって信号送信モードを切り替える具体的な時点は以下の通りであり、
基地局が、切り替え先の信号送信モードの設定に成功したことを示す応答メッセージを第1の所定の期間内に受信した場合、現在の信号送信モードは、第1の所定の期間の終了時点からN番目のサブフレーム信号を受信した時点で切り替え先の信号送信モードに切り替えられ、Nが、1以上の正の整数であり、第1の所定の期間は、信号送信モードを設定するために使用される制御命令情報を基地局によって送信した時点から開始され、
基地局が、切り替え先の信号送信モードの設定に成功したことを示す応答メッセージを第1の所定の期間内に受信しなかった場合、現在の信号送信モードが維持される。
【００８１】
第6の態様〜第6の態様の第4の可能な実施態様のいずれか1つに関連して、第6の態様の第8の可能な実施態様では、受信機は、
プロセッサが現在の信号送信モードを切り替え先の信号送信モードに切り替えた後に、基地局によって送信されたアップリンク送信リソース指示情報を受信するようにさらに構成され、
プロセッサは、アップリンク送信リソース指示情報に基づいてアップリンク送信リソースを決定するようにさらに構成され、
送信機は、切り替え先の信号送信モードの設定に成功したことを示す応答メッセージを、アップリンク送信リソースを使用して基地局に送信するようにさらに構成される。
【００８２】
本発明の実施形態において提供される信号送信モード切替方法では、端末デバイスは、切り替え先の信号送信モードに対応するブロードキャストを複数の方法で取得し、ブロードキャストに基づいて切り替え先の信号送信モードの設定情報を決定し、設定情報に基づいて切り替え先の信号送信モードを設定し、次に、現在の信号送信モードを切り替え先の信号送信モードに切り替える。加えて、基地局および端末デバイスは、送信モードに関する、基地局と端末デバイスとの間の認識の整合性の問題を回避するために、合意された期間に現在の信号送信モードを切り替え先の信号送信モードに別々に切り替える。
【図面の簡単な説明】
【００８３】
【図１】従来技術において端末デバイスがNCモードからCEモードに受動的に切り替わる概略構成図である。
【図２】本発明の実施形態1による信号送信モード切替方法の概略フローチャートである。
【図３】本発明の実施形態2による別の信号送信モード切替方法の概略フローチャートである。
【図４】本発明の一実施形態による、モード切替期間に関して基地局と端末デバイスとの間の認識の整合性を実現するための方法の概略フローチャートである。
【図５】本発明の一実施形態による、モード切替期間に関して基地局と端末デバイスとの間の認識の整合性を実現するための別の方法の概略フローチャートである。
【図６】本発明の一実施形態による、モード切替期間に関して基地局と端末デバイスとの間の認識の整合性を実現するための別の方法の概略フローチャートである。
【図７】本発明の一実施形態による、モード切替期間に関して基地局と端末デバイスとの間の認識の整合性を実現するための別の方法の概略フローチャートである。
【図８】本発明の実施形態3による基地局の概略構成図である。
【図９】本発明の実施形態4による端末デバイスの概略構成図である。
【図１０】本発明の実施形態5による別の基地局の概略構成図である。
【図１１】本発明の実施形態6による別の端末デバイスの概略構成図である。
【発明を実施するための形態】
【００８４】
本発明の実施形態の目的、技術的解決策、および利点をより明確にするために、以下では、本発明の実施形態の添付図面を参照しながら本発明の実施形態の技術的解決策を説明する。明らかに、説明されている実施形態は、本発明の実施形態のすべてではなく、本発明の実施形態の一部である。創造的な努力なしに本発明の実施形態に基づいて当業者によって得られる他のすべての実施形態は、本発明の保護範囲内に含まれるものとする。
【００８５】
複数の信号送信モードがあり得る。しかしながら、本発明の技術的解決策をよりよく説明するために、以下の特定の実施形態では、2つの送信モードのみが説明のための例として使用される。加えて、以下で挙げられる具体例では、第1の送信モードをNCモードと定め、第2の送信モードをCEモードと定める。もちろん、本発明の実施形態において「第1の」および「第2の」などの序数が言及されるとき、それらは、文脈により明確に順序を示さない限り、単に区別するために使用される。
【００８６】
本発明の実施形態1は、信号送信モード切替方法の概略フローチャート200を提供する。この方法は、主に基地局によって実行される。具体的には、図2に示すように、この方法は以下のステップを含む。
【００８７】
ステップ210：端末デバイスとの間の信号送信が異常であることが検出されたときに、信号送信モードを設定するために使用される制御命令情報を端末デバイスに送信する。
【００８８】
具体的には、基地局と端末デバイスとの間の信号送信が異常となる複数のケースがあり得る。例えば、端末デバイスの受信信号強度値が第1の所定の閾値よりも小さいことが検出されるか、または端末デバイスがアップリンク信号を送信する速度が第2の所定の閾値よりも小さいことが検出される。任意選択で、制御命令情報は、無線リソース制御（Radio Resource Control、略してRRC）情報であってもよい。
【００８９】
通常、端末デバイスが「近くの地点」からネットワークにアクセスするとき、端末デバイスは、通常の信号カバレッジ内にあり、比較的強い信号受信能力を有する。しかしながら、端末デバイスが「遠くの地点」からネットワークにアクセスするとき、端末デバイスは、比較的弱い信号カバレッジ内にあり、その結果、比較的弱い信号受信能力を有する。したがって、基地局は、端末デバイスがネットワークにアクセスしたとき、ユーザの端末デバイスが「近くの地点」または「遠くの地点」のどちらからネットワークにアクセスしているかを判定するために受信信号強度値を最初に検出する必要がある。もちろん、「近くの地点」および「遠くの地点」の両方が相対的な概念であることを理解されたい。基地局によって送信される信号のカバレッジにおいて、信号受信能力が比較的強い地点が、「近くの地点」であり、基地局によって送信される信号のカバレッジの縁の位置または信号受信能力が比較的弱いもしくは0でさえある位置が、「遠くの地点」として定められ得る。例えば、図1（a）に示すように、端末デバイスは、「近くの地点」からネットワークにアクセスし、図1（b）に示すように、端末デバイスは、「遠くの地点」からネットワークにアクセスする。端末デバイスが「遠くの地点」からネットワークにアクセスするとき、受信信号強度値は、通常、第1の所定の閾値よりも小さい。あるいは、端末デバイスが「遠くの地点」からネットワークにアクセスするとき、さらに、基地局側によって受信されるアップリンク信号の速度が、第2の所定の閾値より小さくてもよい。したがって、基地局は、信号送信モードを設定するために使用される制御命令情報を端末デバイスに送信する必要がある。制御命令情報は、端末デバイス側の現在の信号送信モードを切り替え先の信号送信モードに切り替えることを命令するために使用される。
【００９０】
もちろん、先に挙げた「異常なケース」は単なる例であり、これらの異常なケースがすべての「異常なケース」であると結論付けられてはならない。基地局と端末デバイスとの間の信号送信が異常となる複数のケースがあり得る。簡単な説明のために、ここでは詳細は説明しない。
【００９１】
ステップ220：現在の信号送信モードを切り替え先の信号送信モードに切り替える。
【００９２】
具体的には、切り替え先の信号送信モードは、現在の信号送信モード以外の第2の信号送信モードである。
【００９３】
信号送信モードを切り替える前に、端末デバイスは、切り替え先の信号送信モードに対応する設定情報、例えば、切り替え先の信号送信モードに対応する基本セル情報を最初に決定する必要がある。設定情報は、基地局によって送信されるブロードキャストを使用することによって取得される必要がある。背景技術で説明したように、例えば、端末デバイスは「近くの地点」からネットワークにアクセスする。この場合、対応する信号送信モードはNCである。端末デバイスがCEモードに切り替わる必要があるとき、端末デバイスは、eMTCブロードキャストの存在を知らない。言い換えれば、端末デバイスが現在の信号送信モードを切り替え先の信号送信モードに切り替える必要があるとき、端末デバイスは、切り替え先の信号送信モードに対応するブロードキャストコンテンツを知らず、したがって、切り替え先の信号送信モードに対応するブロードキャストコンテンツに基づいて、切り替え先の信号送信モードに対応する設定情報を決定することができない。したがって、端末デバイスは、切り替え先の信号送信モードを設定することができない。この場合、本発明は、設定情報を取得する以下のいくつかの方法を提供する。
【００９４】
第1の方法では、信号送信モードを設定するために使用される制御命令情報が端末デバイスに送信されるとき、新しいブロードキャスト情報要素を、制御命令情報に追加／から削除することができ、これにより、端末デバイスは、新しいブロードキャスト情報要素および第1のブロードキャストに基づいて、切り替え先の信号送信モードに対応する設定情報を決定することができる。第1のブロードキャストは、現在の信号送信モードに対応するブロードキャストである。
【００９５】
現在の信号送信モードに対応するブロードキャストおよび切り替え先の信号送信モードに対応するブロードキャストの両方が、基地局によって周期的に送信されるブロードキャストであることを理解されたい。端末デバイスがブロードキャストの存在を知っていてブロードキャストを受信する必要があるとき、端末デバイスは、定期的にブロードキャストを受信することができる。
【００９６】
第2の方法では、新しいブロードキャスト情報要素が、現在の信号送信モードに対応する第1のブロードキャストに追加／から削除され、取得されたブロードキャストが第2のブロードキャストとして使用され、これにより、端末デバイスは、第2のブロードキャストに基づいて、切り替え先の信号送信モードに対応する設定情報を決定する。第1のブロードキャストは、現在の信号送信モードに対応するブロードキャストである。
【００９７】
具体例において、第1のブロードキャストがロングタームエボリューション（Long Term Evolution、略してLTE）ブロードキャストであり、第2のブロードキャストがeMTCブロードキャストである場合、2つのタイプの新しいブロードキャスト情報要素があり得る。
【００９８】
1つのタイプは、最も重要なブロードキャスト、すなわちMIB（Master Information Block）ブロードキャストであり、新しいブロードキャスト情報要素はschedulingInfoSIB1−BR−r13である。
【００９９】
もう1つのタイプは、システムブロードキャスト、すなわちSIB（System Information Block）ブロードキャストであり、新しいブロードキャストコンテンツは、
「bandwidthReducedAccessRelatedInfo−r13」、「CellSelectionInfoCE−r13」、または「t−ReselectioNCUTRA−CE−r13」などの情報要素である。
【０１００】
以下で、端末デバイス側で行われる、信号送信モードの切り替えについて説明するときに、他の2つの方法について詳細に説明することとし、ここでは詳細は説明しない。
【０１０１】
第2のブロードキャストは、新たに追加される情報要素および／または第1のブロードキャストの情報要素とまったく同じ情報要素を含むことができるし、新たに追加される情報要素および／または第1のブロードキャストの情報要素と同じ特性を有する情報要素を含むことができることに留意されたい。第2のブロードキャストの具体的なコンテンツは、実際の状況に従って決定されてもよく、本明細書では限定されない。
【０１０２】
制御命令情報を送信した後、基地局は、端末デバイスによって送信される、切り替え先の信号送信モードの設定に成功したことを示す応答メッセージを受信する必要がある。したがって、これの前に、基地局は、アップリンク送信リソース指示情報を端末デバイスに送信する必要がある。指示情報は、端末デバイスに、アップリンク送信リソースを決定し、アップリンク送信リソースを使用して、切り替え先の信号送信モードの設定に成功したことを示す応答メッセージを基地局に送信するよう命令するために使用される。
【０１０３】
応答メッセージを受信した後、基地局は、現在の信号送信モードを切り替え先の信号送信モードに切り替える。
【０１０４】
基地局側は、信号送信モードの切り替え中に基地局側と端末デバイス側との間の整合性を実現するために、信号送信モードを切り替える具体的な時点を決定することができる。信号送信モードを切り替える具体的な時点としては以下が挙げられ得る。
【０１０５】
端末デバイスによって送信された、切り替え先の信号送信モードの設定に成功したことを示す応答メッセージを受信した時点が、開始時点として使用され、現在の信号送信モードは、X番目のサブフレーム信号を受信した時点で切り替え先の信号送信モードに切り替えられ、Xは、1以上の正の整数である。
【０１０６】
あるいは、端末デバイスによって送信された、切り替え先の信号送信モードの設定に成功したことを示す応答メッセージが、第1の所定の期間（第1の期間は、K個のサブフレーム信号を受信する時間に等しいと想定される）内に受信された場合、現在の信号送信モードは、第1の所定の期間の終了時点からN番目のサブフレーム信号を受信した時点で切り替え先の信号送信モードに切り替えられ、Nは、1以上の正の整数であり、第1の期間は、信号送信モードを設定するために使用される制御命令情報を、基地局によって端末デバイスに送信した時点から開始される。具体的には、信号送信モードを設定するために使用される制御命令情報を、基地局によって端末デバイスに送信した時点からK＋N個のサブフレーム信号を受信した時点が、現在の信号送信モードを切り替え先の信号送信モードに切り替える時点として使用される。しかしながら、端末デバイスによって送信された、切り替え先の信号送信モードの設定に成功したことを示す応答メッセージが第1の所定の期間内に受信されなかった場合、現在の信号送信モードが維持される。KとNはどちらも1以上の正の整数である。
【０１０７】
別の場合には、基地局および端末デバイスは、基地局が端末デバイスへの制御命令情報の送信に成功した後に基地局および端末デバイスが現在の信号送信モードを切り替え先の信号送信モードに別々に切り替えることに合意する。もちろん、制御命令情報を受信した後、端末デバイスは、制御命令情報の受信に成功したことを示す応答メッセージを基地局に送信する。次に、基地局側および端末デバイスは、信号送信モードを切り替える。アップリンク送信リソース指示情報を端末デバイスに送信するとき、基地局は、第2の信号送信モードに対応する信号送信チャネルでアップリンク送信リソース指示情報を送信する。同様に、アップリンク送信リソース指示情報は、端末デバイスに、アップリンク送信リソースを決定し、アップリンク送信リソースを使用して、切り替え先の信号送信モードの設定に成功したことを示す応答メッセージを基地局に送信するよう命令するために使用される。
【０１０８】
基地局側はまた、第2の信号送信モードに対応する信号送信チャネルで、端末デバイスによって送信された、切り替え先の信号送信モードの設定に成功したことを示す応答メッセージを受信する。
【０１０９】
別の場合には、基地局側および端末デバイス側は、信号送信モードを同時に切り替える時間について合意しない。基地局によって送信された、信号送信モードを設定するために使用される制御命令情報を受信した後、端末デバイス側は、切り替え先の信号送信モードを設定し、設定が成功した後に信号送信モードを切り替える、すなわち、現在の信号送信モードを切り替え先の信号送信モードに切り替える。端末デバイスによって送信された、切り替え先の信号送信モードの設定に成功したことを示すために使用される応答メッセージを受信する前、基地局側は、端末デバイスがいつ信号送信モードを切り替えるか分からない。したがって、基地局側は、現在の信号送信モードおよび第2の信号送信モードを使用してアップリンク送信リソース指示情報を端末デバイスに別々に送信する。
【０１１０】
加えて、基地局は、端末デバイスによって送信された、切り替え先の信号送信モードの設定に成功したことを示す応答メッセージが現在の信号送信モードに対応する第1の信号送信チャネルまたは第2の信号送信モードに対応する第2の信号送信チャネルの一方を介して受信され得ることを保証するために、第1の信号送信チャネルおよび第2の信号送信チャネルを別々に検出する。
【０１１１】
基地局側によって信号送信モードを切り替える時点は以下の通りであり、端末デバイスによって送信された、切り替え先の信号送信モードの設定に成功したことを示す応答メッセージを受信した時点が、開始時点として使用され、現在の信号送信モードは、J番目のサブフレーム信号を受信した時点で切り替え先の信号送信モードに切り替えられ、Jは、1以上の正の整数である。
【０１１２】
本発明の上記の実施形態1において提供される信号送信モード切替方法では、基地局側は、切り替え先の信号送信モードに対応するブロードキャストを複数の方法で端末デバイスに送信し、これにより、端末デバイスは、ブロードキャストに基づいて切り替え先の信号送信モードの設定情報を決定し、設定情報に基づいて切り替え先の信号送信モードを設定し、次に、現在の信号送信モードを切り替え先の信号送信モードに切り替える。加えて、基地局および端末デバイスは、送信モードに関する、基地局と端末デバイスとの間の認識の整合性の問題を回避するために、合意された期間に現在の信号送信モードを切り替え先の信号送信モードに別々に切り替える。
【０１１３】
本発明の実施形態2は、別の信号送信モード切替方法の概略フローチャート300をさらに提供する。この方法は、主に端末デバイスによって実行される。具体的には、図3に示すように、この方法は以下のステップを含む。
【０１１４】
ステップ310：基地局によって送信された、信号送信モードを設定するために使用される制御命令情報を受信する。
【０１１５】
ステップ320：制御命令情報に基づいて現在の信号送信モードを切り替え先の信号送信モードに切り替える。
【０１１６】
具体的には、切り替え先の信号送信モードは、現在の信号送信モード以外の第2の信号送信モードである。制御命令に基づいて切り替え先の信号送信モードを設定する前に、端末デバイスは、切り替え先の信号送信モードに対応する設定情報を最初に取得する必要がある。切り替え先の信号送信モードに対応する設定情報を取得する具体的な方法としては以下が挙げられる。
【０１１７】
第1の方法では、信号送信モードを設定するために使用される制御命令情報を端末デバイスに送信するときに、基地局は、新しいブロードキャスト情報要素を制御命令情報に追加／から削除することができる。端末デバイスは、新しいブロードキャスト情報要素および第1のブロードキャストに基づいて、切り替え先の信号送信モードに対応する設定情報を決定する。第1のブロードキャストは、現在の信号送信モードに対応するブロードキャストである。端末デバイスは、設定情報に基づいて切り替え先の信号送信モードをさらに設定する必要がある。
【０１１８】
現在の信号送信モードに対応するブロードキャストおよび切り替え先の信号送信モードに対応するブロードキャストの両方が、基地局によって周期的に送信されるブロードキャストであることを理解されたい。端末デバイスがブロードキャストの存在を知っていてブロードキャストを受信する必要があるとき、端末デバイスは、定期的にブロードキャストを受信することができる。
【０１１９】
あるいは、第2の方法では、端末デバイスは、基地局によって送信された第2のブロードキャストを受信する。第2のブロードキャストは、実際には、新しいブロードキャスト情報要素が第1のブロードキャストに追加／から削除された後に取得されるブロードキャストであり、第1のブロードキャストは、現在の信号送信モードに対応するブロードキャストである。端末デバイスは、第2のブロードキャストに基づいて、切り替え先の信号送信モードに対応する設定情報を決定し、設定情報に基づいて切り替え先の信号送信モードを設定することができる。
【０１２０】
具体例において、第1のブロードキャストがLTEブロードキャストであり、第2のブロードキャストがeMTCブロードキャストである場合、2つのタイプの新たに新しいブロードキャスト情報要素があり得る。
【０１２１】
1つのタイプはMIBブロードキャストであり、新しいブロードキャスト情報要素はschedulingInfoSIB1−BR−r13である。
【０１２２】
もう1つのタイプはSIBブロードキャストであり、新しいブロードキャストコンテンツは、
「bandwidthReducedAccessRelatedInfo−r13」、「CellSelectionInfoCE−r13」、または「t−ReselectioNCUTRA−CE−r13」などの情報要素である。
【０１２３】
第3の方法では、端末デバイスが、切り替え先の信号送信モードに対応する第2のブロードキャストの存在を明確に知っている場合、端末デバイスは、第2のブロードキャストを直接受信することができる。第2のブロードキャストは、第1のブロードキャストの情報要素と同じ情報要素もしくは第1のブロードキャストの情報要素と同じ特性を有する情報要素および／または第1のブロードキャストに対して新しいブロードキャスト情報要素を含む。第1のブロードキャストは、現在の信号送信モードに対応するブロードキャストである。端末デバイスは、第2のブロードキャストに基づいて切り替え先の信号送信モードの設定情報を決定し、設定情報に基づいて切り替え先の信号送信モードを設定することができる。端末デバイスは、基地局によって送信された、信号送信モードを設定するために使用される制御命令情報を受信した後に、第2のブロードキャストを受信する。具体的には、端末デバイスは、モードを切り替える前またはモードを切り替えた後にブロードキャストを受信してもよい。
【０１２４】
第4の方法では、端末デバイスの現在の信号送信モードがどの信号送信モードであるか判定されなかった場合、端末デバイスは、第1のブロードキャストおよび第2のブロードキャストを別々に取得することができる。次に、端末デバイスは、第1のブロードキャストおよび第2のブロードキャストから、切り替え先の信号送信モードに対応するブロードキャストを決定する。端末デバイスは、切り替え先の信号送信モードに対応するブロードキャストに基づいて、切り替え先の信号送信モードに対応する設定情報を決定し、次に、設定情報に基づいて切り替え先の信号送信モードを設定する。
【０１２５】
もちろん、第2のブロードキャストのみが読み取られてもよい。この場合、第2のブロードキャストは、新しいブロードキャスト情報要素および／または第1のブロードキャストの情報要素とまったく同じ情報要素を含むことができる。したがって、切り替え先の信号送信モードが、第1のブロードキャストに対応する信号送信モードであったとしても、第1のブロードキャストに対応する信号送信モードに対応する設定情報は、新しい情報要素が削除または追加された後にしか取得され得ない。
【０１２６】
上記の説明から、第2のブロードキャストは、新しい情報要素および／または第1のブロードキャストの情報要素とまったく同じ情報要素を含むことができるし、新しい情報要素および／または第1のブロードキャストの情報要素と同じ特性を有する情報要素を含むことができることが分かることに留意されたい。第2のブロードキャストの具体的なコンテンツは、実際の状況に従って決定されてもよく、本明細書では限定されない。
【０１２７】
もちろん、切り替え先の信号送信モードを設定することに成功した後、端末デバイスは、切り替え先の信号送信モードの設定に成功したことを示す応答メッセージを基地局にさらに送信する必要がある。したがって、これの前に、端末デバイスは、最初に、アップリンク送信リソース指示情報を受信し、このアップリンク送信リソース指示情報に基づいてアップリンク送信リソースを決定し、このアップリンク送信リソースを使用して、切り替え先の信号送信モードの設定に成功したことを示す応答メッセージを基地局に送信する必要がある。
【０１２８】
切り替え先の信号送信モードの設定に成功したことを示す応答メッセージを基地局側に送信した後、端末デバイスは、信号送信モードを切り替えることができる。具体的な切替時点としては以下が挙げられ、切り替え先の信号送信モードの設定に成功したことを示す応答メッセージを基地局によって受信した時点が開始時点として使用され、信号送信モードは、X番目のサブフレーム信号が受信された直後の時点で切り替えられ、Xは、1以上の正の整数である。
【０１２９】
あるいは、端末デバイスによって送信された、切り替え先の信号送信モードの設定に成功したことを示す応答メッセージが、第1の所定の期間（第1の期間は、K個のサブフレーム信号を受信する時間に等しいと想定される）内に受信された場合、現在の信号送信モードは、第1の所定の期間の終了時点からN番目のサブフレーム信号を受信した時点で切り替え先の信号送信モードに切り替えられ、Nは、1以上の正の整数であり、第1の期間は、信号送信モードを設定するために使用される制御命令情報を、基地局によって端末デバイスに送信した時点から開始される。具体的には、信号送信モードを設定するために使用される制御命令情報を、基地局によって端末デバイスに送信した時点からK＋N個のサブフレーム信号を受信した時点が、現在の信号送信モードを切り替え先の信号送信モードに切り替える時点として使用される。しかしながら、端末デバイスによって送信された、切り替え先の信号送信モードの設定に成功したことを示す応答メッセージが第1の所定の期間内に受信されなかった場合、現在の信号送信モードが維持される。同様に、端末デバイスも元の状態を維持する必要がある。KとNはどちらも1以上の正の整数である。
【０１３０】
別の場合には、基地局および端末デバイスは、基地局が端末デバイスへの制御命令情報の送信に成功した後に基地局および端末デバイスが現在の信号送信モードを切り替え先の信号送信モードに別々に切り替えることに合意する。
【０１３１】
この場合、端末デバイスは、信号送信モードを切り替えた後に、以下の動作、すなわち、基地局によって送信されたアップリンク送信リソース指示情報を受信する動作、このアップリンク送信リソース指示情報に基づいてアップリンク送信リソースを決定する動作、およびこのアップリンク送信リソースを使用して、切り替え先の信号送信モードの設定に成功したことを示す応答メッセージを基地局に送信する動作を実行する。
【０１３２】
別の場合には、基地局側および端末デバイス側は、信号送信モードを同時に切り替える時間について合意しない。基地局によって送信された、信号送信モードを設定するために使用される制御命令情報を受信した後、端末デバイス側は、切り替え先の信号送信モードを設定し、設定が成功した後に信号送信モードを切り替える、すなわち、現在の信号送信モードを切り替え先の信号送信モードに切り替える。上記の場合と同様に、端末デバイスはまた、信号送信モードを切り替えた後に、以下の動作、すなわち、基地局によって送信されたアップリンク送信リソース指示情報を受信する動作、このアップリンク送信リソース指示情報に基づいてアップリンク送信リソースを決定する動作、およびこのアップリンク送信リソースを使用して、切り替え先の信号送信モードの設定に成功したことを示す応答メッセージを基地局に送信する動作を実行する。
【０１３３】
本発明の実施形態2において提供される別の信号送信モード切替方法では、端末デバイスは、切り替え先の信号送信モードに対応するブロードキャストを複数の方法で取得し、ブロードキャストに基づいて切り替え先の信号送信モードの設定情報を決定し、設定情報に基づいて切り替え先の信号送信モードを設定し、次に、現在の信号送信モードを切り替え先の信号送信モードに切り替える。基地局および端末デバイスは、送信モードに関する、基地局と端末デバイスとの間の認識の整合性の問題を回避するために、合意された期間に現在の信号送信モードを切り替え先の信号送信モードに別々に切り替える。
【０１３４】
上記2つの実施形態に関して、基地局と端末デバイスとの間の、信号送信モードの切り替えの同期または非同期をネゴシエーションによってどのように実施するかが、以下で、例を使用して具体的に説明される。上記の現在の信号送信モードはNCであり、上記の切り替え先の信号送信モードはCEであると想定される。具体的には、NCとCEとの間でモードの切り替えが行われる。基地局によって端末デバイスに送信される、信号送信モードを切り替えるために使用される制御シグナリングはRRCシグナリングであると想定される。
【０１３５】
基地局と端末デバイスとの間の信号送信が異常であることを基地局が検出し、例えば、端末デバイスが、具体的には図1に示したように、「近くの地点」からネットワークにアクセスしているとき、端末デバイスは、端末デバイスがLTEの弱いカバレッジエリアに移動したときに信号を通常通り受信することができるように、NCモードからCEモードに切り替わる必要がある。NCモードは、LTEブロードキャストに対応し、CEモードは、eMTCブロードキャストに対応する。
【０１３６】
基地局は、信号送信モードを切り替える必要があることを端末デバイスに通知するためにRRCシグナリングを端末デバイスに最初に送信する。端末デバイスは、信号送信モードをNCからCEに切り替える。
【０１３７】
制御シグナリングを受信した後、端末デバイスは、切り替え先の信号送信モードを設定する必要がある。具体的な設定パラメータは、eMTCブロードキャストを使用して取得される。
【０１３８】
eMTCブロードキャストは、以下の4つの方法で取得され得る。
【０１３９】
第1の方法では、基地局は、基地局によって端末デバイスに送信される、信号送信モードの切り替えを命令するために使用されるRRCシグナリングを使用して、新しい情報要素を端末デバイスに送信する。あるいは、基地局は、他のRRCシグナリングを使用して、新しい情報要素を端末デバイスに送信してもよい。新しい情報要素は、LTEブロードキャストに対して新たに追加される、eMTCブロードキャストのブロードキャスト情報要素である。具体的な新たに追加されるブロードキャスト情報要素は、実施形態1および実施形態2に関して説明されており、ここでは詳細は再度説明しない。
【０１４０】
第2の方法では、新しい情報要素は、基地局によって送信されるLTEブロードキャストに追加される。このようにして、端末デバイスが「近くの地点」からネットワークにアクセスしたとしても、端末デバイスは、CEモードに対応する設定情報を依然として取得することができる。
【０１４１】
第3の方法では、端末デバイスがRRCシグナリングを受信した後に、端末デバイスは、eMTCブロードキャストを直接読み取る。端末デバイスは、RRCシグナリングに基づいて、NCモードからCEモードへの切り替えをトリガする。もちろん、ブロードキャストを読み取るプロセスは、NCモードがCEモードに切り替えられる前であっても、NCモードがCEモードに切り替えられた後であってもよい。eMTCブロードキャストがCEモードで読み取られる場合、CEモードの接続モードにある端末デバイスは現在のプロトコル（プロトコルLTE R13）の規定に従ってブロードキャストを読み取ることができないため、プロトコル制約を解除する必要があることに留意されたい。
【０１４２】
第4の方法では、端末デバイスがNCモードまたはCEモードのどちらでネットワークにアクセスするかにかかわらず、端末デバイスは、ネットワークにアクセスするときにLTEブロードキャストおよびeMTCブロードキャストの両方を読み取る。あるいは、端末デバイスは、eMTCブロードキャストがLTEブロードキャストに基づいて取得されることから、eMTCブロードキャストのみを読み取る。上記から、eMTCブロードキャストは、新しい情報要素と、LTEブロードキャストのブロードキャスト情報要素と同じコンテンツまたは同じ特性を有するブロードキャスト情報要素とを含むことが分かる。eMTCブロードキャストのみが読み取られる場合、新しい情報要素を除くeMTCブロードキャストのコンテンツがLTEブロードキャストのコンテンツと同じである必要があることが前提となる。
【０１４３】
上記の4つの方法のうちのいずれか1つを使用することによって、NCモードがCEモードに切り替えられるときにeMTCブロードキャストのコンテンツを読み取ることができ、次に、eMTCブロードキャストのコンテンツに基づいてCEモードが設定される。設定が完了した後、設定に成功したことを示す応答メッセージが、基地局側に送信される。
【０１４４】
設定に成功したことを示す応答メッセージが基地局側に送信される前に、基地局側は、端末デバイスに、アップリンク送信リソースを決定してこのアップリンク送信リソースで応答メッセージを基地局に送信するよう命令するために、アップリンク送信リソース指示情報を端末デバイスにさらに送信する必要がある。
【０１４５】
しかしながら、端末デバイスによって行われる、CEモードの設定中、端末デバイスのモード切替期間は、基地局のモード切替期間と整合しない場合がある。その結果、基地局側が、アップリンク送信リソース指示情報を端末デバイス側に送信したときに、端末デバイスは、アップリンク送信リソース指示情報の受信に失敗し、あるいは、基地局側は、設定に成功したことを示す応答メッセージの受信に失敗する。上記の問題を回避するために、基地局側および端末デバイスは、端末デバイスがアップリンク送信リソース指示情報の受信に成功できることまたは基地局側が切り替え先の信号送信モードの設定に成功したことを示す応答メッセージの受信に成功できることを保証するために、信号送信モードを切り替えるための基準を設定することができる。
【０１４６】
具体的には、以下の4つの方法が挙げられる。
【０１４７】
第1の方法では、具体的には、図4に示すように、基地局側は、NCモードでRRCシグナリングおよびアップリンク送信リソース指示情報を端末デバイスに送信する。RRCシグナリングを受信した後、端末デバイスは、最初に、eMTCブロードキャストを取得する上記の4つの方法のうちのいずれか1つでeMTCブロードキャストを取得し、CEモードを設定する。設定を完了した後、端末デバイスは、アップリンク送信リソース指示情報に基づいてアップリンク送信リソースを決定し、次に、このアップリンク送信リソースを使用して、設定に成功したことを示す応答メッセージを送信する。設定に成功したことを示す応答メッセージを基地局によって受信した時点が、開始時点として使用され、端末デバイスおよび基地局は、X番目のサブフレーム信号が受信された直後の時点で同時に信号送信モードをNCモードからCEモードに切り替え、Xは、1以上の正の整数である。
【０１４８】
第2の方法では、具体的には、図5に示すように、基地局側は、NCモードでRRCシグナリングおよびアップリンク送信リソース指示情報を端末デバイスに送信する。RRCシグナリングを受信した後、端末デバイスは、最初に、eMTCブロードキャストを取得する上記の4つの方法のうちのいずれか1つでeMTCブロードキャストを取得し、CEモードを設定する。設定を完了した後、端末デバイスは、アップリンク送信リソース指示情報に基づいてアップリンク送信リソースを決定し、次に、このアップリンク送信リソースを使用して、設定に成功したことを示す応答メッセージを送信する。端末デバイスによって送信された、切り替え先の信号送信モードの設定に成功したことを示す応答メッセージが、信号送信モードを設定するために使用される制御命令情報を、基地局によって端末デバイスに送信した時点からK個のサブフレーム信号を受信する期間内に受信された場合、現在の信号送信モードは、K個のサブフレーム信号が受信されてからN番目のサブフレーム信号を受信した時点で切り替え先の信号送信モードに切り替えられ、Nは、1以上の正の整数である。具体的には、基地局および端末デバイスは、信号送信モードを設定するために使用される制御命令情報を、基地局によって端末デバイスに送信した時点からK＋N個のサブフレーム信号を受信した時点で同時にNCモードからCEモードに切り替わる。しかしながら、端末デバイスによって送信された、設定に成功したことを示す応答メッセージが、K個のサブフレーム信号を受信する期間内に受信されなかった場合、基地局および端末デバイスは、現在のNCモードを維持する。KとNはどちらも1以上の正の整数である。
【０１４９】
第3の方法では、具体的には、図6に示すように、基地局および端末デバイスは、基地局が端末デバイスへのRRCシグナリングの送信に成功した後に信号送信モードをNCモードからCEモードに別々に切り換えることに合意する。具体的には、端末デバイスがRRCシグナリングを受信した後、端末デバイスは、RRCシグナリングの受信に成功したことを示す応答メッセージを送信する。次に、端末デバイスおよび基地局は信号送信モードを切り替える。基地局は、CEモードでアップリンク送信リソース指示情報を端末デバイスに送信する。アップリンク送信リソース指示情報を受信した後、かつCEモードの設定に成功した後に、端末デバイスは、アップリンク送信リソースを使用してCEモードで、設定に成功したことを示す応答メッセージを基地局に送信する。
【０１５０】
第4の方法では、具体的には、図7に示すように、基地局および端末デバイスは、信号送信モードを同時に切り替える時間について合意しない。この場合、基地局によって送信されたRRCシグナリングを受信した後、端末デバイスは、通常の手順およびeMTCブロードキャスト内の設定情報に従ってCEモードを設定し、設定が成功した後にCEモードに直接切り替わる。次に、端末デバイスは、設定に成功したことを示す応答メッセージを基地局に送信する。しかしながら、基地局側は、端末がいつ設定の実行に成功することができ、信号送信モードを切り替えるのか分からない。したがって、基地局は、NCモードおよびCEモードの信号送信チャネルでアップリンク送信リソース指示情報を端末デバイスに別々に送信してもよい。このようにして、端末デバイスは、両方のモードで指示情報を受信し、この指示情報に基づいてアップリンク送信リソースを決定し、次に、このアップリンク送信リソースを使用して、設定に成功したことを示す応答メッセージを送信することができる。基地局側も、NCモードおよびCEモードの信号送信チャネルを使用して、設定に成功したことを示す応答メッセージを別々に受信し、端末デバイスによって送信された、設定に成功したことを示す応答メッセージを受信した時点を開始時点として使用し、J番目のサブフレーム信号を受信した時点で現在の信号送信モードを切り替え先の信号送信モードに切り替え、Jは、1以上の正の整数である。
【０１５１】
したがって、端末デバイスのモード切替期間と基地局のモード切替期間とが整合しないことから、基地局側がアップリンク送信リソース指示情報を端末デバイス側に送信したときに端末デバイスがアップリンク送信リソース指示情報の受信に失敗する、あるいは、基地局側が、設定に成功したことを示す応答メッセージの受信に失敗するという上記の問題を解決することができる。
【０１５２】
上記の説明は特定の実施形態の単なる実施態様であることを理解されたい。信号送信モードがCEモードからNCモードに切り替えられるとき、ブロードキャスト取得プロセスは逆のプロセスとなる。例えば、ブロードキャストを取得する第1の方法では、LTEブロードキャストが取得される。したがって、RRC設定シグナリングも、新しい情報要素を含むが、端末デバイスは、LTEブロードキャストを取得するために、eMTCブロードキャストから新しい情報要素を削除する必要がある。次に、端末デバイスは、NCを設定し、最後にCEモードからNCモードに切り替わる。他の方法はそれぞれ、この方法と同様であり、ここでは詳細は説明しない。もちろん、具体例では、CEモードとNCモードとの間の切替プロセスのみが説明されている。他のモード間を切り替えるための方法の原理は同じまたは同様であり、ここでは詳細は説明しない。
【０１５３】
上記の実施形態1で提供された信号送信モード切替方法に対応して、本発明の実施形態3は、基地局をさらに提供する。具体的には、図8は、本発明の実施形態3による基地局800の概略構成図である。基地局は、検出ユニット801、送信ユニット802、および処理ユニット803を含む。
【０１５４】
検出ユニット801は、基地局と端末デバイスとの間の信号送信が異常であるかどうかを検出するように構成される。
【０１５５】
具体的には、検出ユニット801は、端末デバイスの受信信号強度値が第1の所定の閾値よりも小さいかどうかを検出するか、または端末デバイスがアップリンク信号を送信する速度が第2の所定の閾値よりも小さいかどうかを検出するように特に構成される。
【０１５６】
本発明では、信号送信が異常である2つのケースのみが挙げられているが、これは、2つのケースしか存在しないことを表すものではないことを理解されたい。別の異常なケースでも信号送信モードを切り替える必要があるが、ここでは詳細は説明しない。
【０１５７】
送信ユニット802は、検出ユニット801が、基地局と端末デバイスとの間の信号送信が異常であることを検出したときに、信号送信モードを設定するために使用される制御命令情報を端末デバイスに送信し、制御命令情報が、端末デバイスに、端末デバイス側の現在の信号送信モードを切り替え先の信号送信モードに切り替えるよう命令するために使用される、ように構成される。
【０１５８】
処理ユニット803は、現在の信号送信モードを切り替え先の信号送信モードに切り替え、切り替え先の信号送信モードが、現在の信号送信モード以外の第2の信号送信モードである、ように構成される。
【０１５９】
検出ユニット801が、基地局と端末デバイスとの間の信号送信が異常であることを検出したとき、送信ユニット802は、検出ユニットの検出結果に基づいて、信号送信モードを切り替えるために使用される制御命令情報を端末デバイスに直ちに送信し、これにより、端末デバイスは、端末デバイスと基地局との間の円滑でない信号送信を回避するために信号送信モードを切り替える。基地局側も、端末デバイスと信号送信モードを同期させるために信号送信モードを切り替える必要がある。
【０１６０】
制御命令情報に基づいて端末デバイスの信号送信モードを切り替える前に、端末デバイスは、切り替え先の信号送信モードをさらに設定する必要があり、設定情報は、以下の2つの方法で取得され得る。他の2つの方法については、端末デバイス側に関して詳細に説明することとし、ここでは詳細は説明しない。
【０１６１】
第1の方法では、送信ユニット802が、信号送信モードを設定するために使用される制御命令情報を端末デバイスに送信するとき、新しいブロードキャスト情報要素を、制御命令情報に追加／から削除することができ、これにより、端末デバイスは、新しいブロードキャスト情報要素および第1のブロードキャストに基づいて、切り替え先の信号送信モードに対応する設定情報を決定することができる。第1のブロードキャストは、現在の信号送信モードに対応するブロードキャストである。
【０１６２】
現在の信号送信モードに対応するブロードキャストおよび切り替え先の信号送信モードに対応するブロードキャストの両方が、基地局によって周期的に送信されるブロードキャストであることを理解されたい。端末デバイスがブロードキャストの存在を知っていてブロードキャストを受信する必要があるとき、端末デバイスは、定期的にブロードキャストを受信することができる。
【０１６３】
第2の方法では、処理ユニット803は、新しいブロードキャスト情報要素を、現在の信号送信モードに対応する第1のブロードキャストに追加／から削除し、取得されたブロードキャストを第2のブロードキャストとして使用し、これにより、端末デバイスは、第2のブロードキャストに基づいて、切り替え先の信号送信モードに対応する設定情報を決定する。第1のブロードキャストは、現在の信号送信モードに対応するブロードキャストである。
【０１６４】
送信ユニット802が制御命令情報を端末デバイスに送信した後、基地局は、端末デバイスによって送信される、切り替え先の信号送信モードの設定に成功したことを示す応答メッセージを受信する必要がある。したがって、これの前に、送信ユニット802は、アップリンク送信リソース指示情報を端末デバイスに送信する必要がある。指示情報は、端末デバイスに、アップリンク送信リソースを決定し、アップリンク送信リソースを使用して、切り替え先の信号送信モードの設定に成功したことを示す応答メッセージを基地局に送信するよう命令するために使用される。
【０１６５】
したがって、ある場合、送信ユニット802は、処理ユニットが現在の信号送信モードを切り替え先の信号送信モードに切り替える前に、アップリンク送信リソース指示情報を端末デバイスに送信するようにさらに構成される。
【０１６６】
これに対応して、基地局は、受信ユニット804であって、端末デバイスによって送信された、切り替え先の信号送信モードの設定に成功したことを示す応答メッセージを受信するように構成される受信ユニット804をさらに含む。
【０１６７】
処理ユニット803は、応答メッセージに基づいて現在の信号送信モードを切り替え先の信号送信モードに切り替えるようにさらに構成される。
【０１６８】
具体的には、処理ユニット803によって現在の信号送信モードを切り替え先の信号送信モードに切り替える具体的な時点は以下の通りであり、端末デバイスによって送信された、切り替え先の信号送信モードの設定に成功したことを示す応答メッセージを受信ユニット804によって受信した時点が、開始時点として使用され、処理ユニット803は、X番目のサブフレーム信号を受信した時点で現在の信号送信モードを切り替え先の信号送信モードに切り替え、Xは、1以上の正の整数である。
【０１６９】
あるいは、処理ユニット803によって現在の信号送信モードを切り替え先の信号送信モードに切り替える具体的な時点は以下の通りであってもよい。受信ユニット804が、端末デバイスによって送信された、切り替え先の信号送信モードの設定に成功したことを示す応答メッセージを第1の所定の期間内に受信した場合、処理ユニット803は、第1の所定の期間の終了時点からN番目のサブフレーム信号を受信した時点で現在の信号送信モードを切り替え先の信号送信モードに切り替え、Nは、1以上の正の整数であり、第1の所定の期間は、信号送信モードを設定するために使用される制御命令情報を、送信ユニット802によって端末デバイスに送信した時点から開始される。受信ユニット804が、端末デバイスによって送信される、切り替え先の信号送信モードの設定に成功したことを示す応答メッセージを第1の所定の期間内に受信しなかった場合、処理ユニット803は、現在の信号送信モードを維持する。
【０１７０】
別の場合には、送信ユニット802は、処理ユニットが現在の信号送信モードを切り替え先の信号送信モードに切り替えた後に、アップリンク送信リソース指示情報を端末デバイスに送信するようにさらに構成される。アップリンク送信リソース指示情報は、端末デバイスに、アップリンク送信リソースを決定し、アップリンク送信リソースを使用して、切り替え先の信号送信モードの設定に成功したことを示す応答メッセージを基地局に送信するよう命令するために使用される。
【０１７１】
受信ユニット804は、端末デバイスによって送信された、切り替え先の信号送信モードの設定に成功したことを示す応答メッセージを受信するように構成される。
【０１７２】
別の場合には、送信ユニット802は、信号送信モードを設定するために使用される制御命令情報を端末デバイスに送信した後に、現在の信号送信モードおよび第2の信号送信モードを使用してアップリンク送信リソース指示情報を端末デバイスに別々に送信するようにさらに構成される。2つの異なる信号送信モードを使用してアップリンク送信リソース指示情報を送信した後、基地局は、現在の信号送信モードに対応する第1の受信ユニットまたは第2の信号送信モードに対応する第2の受信ユニットの一方が、端末デバイスによって送信される、切り替え先の信号送信モードの設定に成功したことを示す応答メッセージを受信することができるかを判定するために、第1の受信ユニットおよび第2の受信ユニットを検出するために検出ユニット801をさらに使用する必要がある。処理ユニット803は、端末デバイスによって送信された、切り替え先の信号送信モードの設定に成功したことを示す応答メッセージを受信した時点を開始時点として使用し、J番目のサブフレーム信号を受信した時点で現在の信号送信モードを切り替え先の信号送信モードに切り替え、Jが、1以上の正の整数である、ようにさらに構成される。
【０１７３】
本願の実施形態3で提供される基地局が動作するとき、基地局は、本願の実施形態1で提供される方法を実行する。基地局の動作の詳細については、本願の実施形態1で提供される方法を参照されたい。
【０１７４】
本発明の実施形態3において提供される基地局では、送信ユニットは、切り替え先の信号送信モードに対応するブロードキャストを複数の方法で端末デバイスに送信し、これにより、端末デバイスは、ブロードキャストに基づいて切り替え先の信号送信モードの設定情報を決定し、設定情報に基づいて切り替え先の信号送信モードを設定し、次に、現在の信号送信モードを切り替え先の信号送信モードに切り替える。基地局および端末デバイスは、送信モードに関する、基地局と端末デバイスとの間の認識の整合性の問題を回避するために、合意された期間に現在の信号送信モードを切り替え先の信号送信モードに別々に切り替える。
【０１７５】
実施形態2で提供された別の信号送信モード切替方法に対応して、本発明の実施形態4は、端末デバイスをさらに提供する。具体的には、図9は、本発明の実施形態4による端末デバイスの概略構成図である。端末デバイスは、受信ユニット901および処理ユニット902を含む。
【０１７６】
受信ユニット901は、基地局によって送信された、信号送信モードを設定するために使用される制御命令情報を受信するように構成される。
【０１７７】
処理ユニット902は、制御命令情報に基づいて現在の信号送信モードを切り替え先の信号送信モードに切り替えるように構成される。切り替え先の信号送信モードは、現在の信号送信モード以外の第2の信号送信モードである。
【０１７８】
具体的には、制御命令情報に基づいて切り替え先の信号送信モードを設定する前に、端末デバイスは、切り替え先の信号送信モードに対応する設定情報を最初に取得する必要がある。切り替え先の信号送信モードに対応する設定情報を取得する具体的な方法としては以下が挙げられる。
【０１７９】
第1の方法では、信号送信モードを設定するために使用される制御命令情報を端末デバイスに送信するときに、基地局は、新しいブロードキャスト情報要素を制御命令情報に追加／から削除することができる。
【０１８０】
処理ユニット902は、新しいブロードキャスト情報要素と、現在の信号送信モードに対応するブロードキャストである第1のブロードキャストとに基づいて、切り替え先の信号送信モードに対応する設定情報を決定し、設定情報に基づいて切り替え先の信号送信モードに設定するように構成される。
【０１８１】
第2の方法では、処理ユニット902が制御命令情報に基づいて現在の信号送信モードを切り替え先の信号送信モードに切り替える前に、受信ユニット901は、基地局によって送信された第2のブロードキャストを受信する。第2のブロードキャストは、新しいブロードキャスト情報要素が第1のブロードキャストに追加／から削除された後に取得されるブロードキャストであり、第1のブロードキャストは、現在の信号送信モードに対応するブロードキャストである。
【０１８２】
処理ユニット902は、第2のブロードキャストに基づいて、切り替え先の信号送信モードに対応する設定情報を決定し、設定情報に基づいて切り替え先の信号送信モードを設定するようにさらに構成される。
【０１８３】
第3の方法では、基地局によって送信された、信号送信モードを設定するために使用される制御命令情報を受信した後に、受信ユニット901は、基地局によって送信された第2のブロードキャストを受信する。第2のブロードキャストは、切り替え先の信号送信モードに対応するブロードキャストであり、第2のブロードキャストは、第1のブロードキャストの情報要素と同じ情報要素もしくは第1のブロードキャストの情報要素と同じ特性を有する情報要素および／または第1のブロードキャストに対して新しいブロードキャスト情報要素を含み、第1のブロードキャストは、現在の信号送信モードに対応するブロードキャストである。
【０１８４】
処理ユニット902は、第2のブロードキャストに基づいて切り替え先の信号送信モードの設定情報を決定し、設定情報に基づいて切り替え先の信号送信モードを設定する。
【０１８５】
第4の方法では、処理ユニット902が制御命令情報に基づいて切り替え先の信号送信モードを設定する前に、受信ユニット901は、第1のブロードキャストと第2のブロードキャストとを別々に受信し、第1のブロードキャストおよび第2のブロードキャストから、切り替え先の信号送信モードに対応するブロードキャストを決定する。
【０１８６】
処理ユニット902は、切り替え先の信号送信モードに対応するブロードキャストに基づいて、切り替え先の信号送信モードに対応する設定情報を決定し、設定情報に基づいて切り替え先の信号送信モードを設定する。
【０１８７】
加えて、受信ユニット901は、基地局によって送信されたアップリンク送信リソース指示情報を受信し、このアップリンク送信リソース指示情報に基づいてアップリンク送信リソースを決定し、切り替え先の信号送信モードの設定に成功したことを示す応答メッセージを基地局に送信するようにさらに構成される。したがって、端末デバイスは、送信ユニット903をさらに含む。
【０１８８】
したがって、ある場合、受信ユニット901は、処理ユニット902が現在の信号送信モードを切り替え先の信号送信モードに切り替える前に、基地局によって送信されたアップリンク送信リソース指示情報を受信するようにさらに構成される。処理ユニット902は、アップリンク送信リソース指示情報に基づいてアップリンク送信リソースを決定するようにさらに構成される。送信ユニット903は、切り替え先の信号送信モードの設定に成功したことを示す応答メッセージを、アップリンク送信リソースを使用して基地局に送信するように構成される。
【０１８９】
処理ユニット902によって信号送信モードを切り替える具体的な時点は以下の通りであり、切り替え先の信号送信モードの設定に成功したことを示す応答メッセージを基地局によって受信した時点が開始時点として使用され、信号送信モードは、X番目のサブフレーム信号が受信された直後の時点で切り替えられ、Xは、1以上の正の整数である。
【０１９０】
あるいは、基地局が、切り替え先の信号送信モードの設定に成功したことを示す応答メッセージを第1の所定の期間内に受信した場合、現在の信号送信モードは、第1の所定の期間の終了時点からN番目のサブフレーム信号を受信した時点で切り替え先の信号送信モードに切り替えられ、Nは、1以上の正の整数であり、第1の所定の期間は、信号送信モードを設定するために使用される制御命令情報を基地局によって送信した時点から開始される。
【０１９１】
基地局が、切り替え先の信号送信モードの設定に成功したことを示す応答メッセージを第1の所定の期間内に受信しなかった場合、現在の信号送信モードが維持される。
【０１９２】
別の場合には、受信ユニット901は、処理ユニットが現在の信号送信モードを切り替え先の信号送信モードに切り替えた後に、基地局によって送信されたアップリンク送信リソース指示情報を受信するようにさらに構成される。処理ユニット902は、アップリンク送信リソース指示情報に基づいてアップリンク送信リソースを決定するようにさらに構成される。送信ユニット903は、切り替え先の信号送信モードの設定に成功したことを示す応答メッセージを、アップリンク送信リソースを使用して基地局に送信するように構成される。
【０１９３】
本願の実施形態4で提供される端末が動作するとき、端末は、本願の実施形態2で提供される方法を実行する。端末の動作の詳細については、本願の実施形態2で提供される方法を参照されたい。
【０１９４】
本発明の実施形態4で提供される端末デバイスでは、受信ユニットは、切り替え先の信号送信モードに対応するブロードキャストを複数の方法で取得する。処理ユニットは、ブロードキャストに基づいて切り替え先の信号送信モードの設定情報を決定し、設定情報に基づいて切り替え先の信号送信モードを設定し、次に、現在の信号送信モードを切り替え先の信号送信モードに切り替える。基地局および端末デバイスは、送信モードに関する、基地局と端末デバイスとの間の認識の整合性の問題を回避するために、合意された期間に現在の信号送信モードを切り替え先の信号送信モードに別々に切り替える。
【０１９５】
上記の実施形態1で提供された信号送信モード切替方法に対応して、本発明の実施形態5は、基地局をさらに提供する。具体的には、図10は、本発明の実施形態5による基地局1000の概略構成図である。基地局は、検出器1001、送信機1002、およびプロセッサ1003を含む。
【０１９６】
検出器1001は、基地局と端末デバイスとの間の信号送信が異常であるかどうかを検出するように構成される。
【０１９７】
具体的には、検出器1001は、端末デバイスの受信信号強度値が第1の所定の閾値よりも小さいかどうかを検出するか、または端末デバイスがアップリンク信号を送信する速度が第2の所定の閾値よりも小さいかどうかを検出するように特に構成される。本発明では、信号送信が異常である2つのケースのみが挙げられているが、これは、2つのケースしか存在しないことを表すものではないことを理解されたい。別の異常なケースでも信号送信モードを切り替える必要があるが、ここでは詳細は説明しない。
【０１９８】
送信機1002は、検出器1001が、基地局と端末デバイスとの間の信号送信が異常であることを検出したときに、信号送信モードを設定するために使用される制御命令情報を端末デバイスに送信するように構成される。制御命令情報は、端末デバイスに、端末デバイス側の現在の信号送信モードを切り替え先の信号送信モードに切り替えるよう命令するために使用される。
【０１９９】
プロセッサ1003は、現在の信号送信モードを切り替え先の信号送信モードに切り替えるように構成される。切り替え先の信号送信モードは、現在の信号送信モード以外の第2の信号送信モードである。
【０２００】
検出器1001が、基地局と端末デバイスとの間の信号送信が異常であることを検出したとき、送信機1002は、検出器1001の検出結果に基づいて、信号送信モードを切り替えるために使用される制御命令情報を端末デバイスに直ちに送信し、これにより、端末デバイスは、端末デバイスと基地局との間の円滑でない信号送信を回避するために信号送信モードを切り替える。基地局側も、端末デバイスと信号送信モードを同期させるために信号送信モードを切り替える必要がある。
【０２０１】
制御命令情報に基づいて端末デバイスの信号送信モードを切り替える前に、端末デバイスは、切り替え先の信号送信モードをさらに設定する必要があり、設定情報は、以下の2つの方法で取得され得る。他の2つの方法については、端末デバイス側に関して詳細に説明することとし、ここでは詳細は説明しない。
【０２０２】
第1の方法では、信号送信モードを設定するために使用される制御命令情報を端末デバイスに送信するとき、送信機1002は、新しいブロードキャスト情報要素を制御命令情報に追加する／新しいブロードキャスト情報要素を制御命令情報から削除することができ、これにより、端末デバイスは、新しいブロードキャスト情報要素および第1のブロードキャストに基づいて、切り替え先の信号送信モードに対応する設定情報を決定することができる。第1のブロードキャストは、現在の信号送信モードに対応するブロードキャストである。
【０２０３】
現在の信号送信モードに対応するブロードキャストおよび切り替え先の信号送信モードに対応するブロードキャストの両方が、基地局によって周期的に送信されるブロードキャストであることを理解されたい。端末デバイスがブロードキャストの存在を知っていてブロードキャストを受信する必要があるとき、端末デバイスは、定期的にブロードキャストを受信することができる。
【０２０４】
第2の方法では、プロセッサ1003は、新しいブロードキャスト情報要素を、現在の信号送信モードに対応する第1のブロードキャストに追加／から削除し、取得されたブロードキャストを第2のブロードキャストとして使用し、これにより、端末デバイスは、第2のブロードキャストに基づいて、切り替え先の信号送信モードに対応する設定情報を決定する。第1のブロードキャストは、現在の信号送信モードに対応するブロードキャストである。
【０２０５】
送信機1002が制御命令情報を端末デバイスに送信した後、基地局は、端末デバイスによって送信される、切り替え先の信号送信モードの設定に成功したことを示す応答メッセージを受信する必要がある。したがって、これの前に、送信機1002は、アップリンク送信リソース指示情報を端末デバイスに送信する必要がある。指示情報は、端末デバイスに、アップリンク送信リソースを決定し、アップリンク送信リソースを使用して、切り替え先の信号送信モードの設定に成功したことを示す応答メッセージを基地局に送信するよう命令するために使用される。
【０２０６】
したがって、ある場合、送信機1002は、プロセッサが現在の信号送信モードを切り替え先の信号送信モードに切り替える前に、アップリンク送信リソース指示情報を端末デバイスに送信するようにさらに構成される。
【０２０７】
基地局は、受信機1004であって、端末デバイスによって送信された、切り替え先の信号送信モードの設定に成功したことを示す応答メッセージを受信するように構成される受信機1004をさらに含む。
【０２０８】
プロセッサ1003は、応答メッセージに基づいて現在の信号送信モードを切り替え先の信号送信モードに切り替えるようにさらに構成される。
【０２０９】
具体的には、プロセッサ1003によって現在の信号送信モードを切り替え先の信号送信モードに切り替える具体的な時点は以下の通りであり、端末デバイスによって送信された、切り替え先の信号送信モードの設定に成功したことを示す応答メッセージを受信機1004によって受信した時点が、開始時点として使用され、プロセッサ1003は、X番目のサブフレーム信号を受信した時点で現在の信号送信モードを切り替え先の信号送信モードに切り替え、Xは、1以上の正の整数である。
【０２１０】
あるいは、プロセッサ1003によって現在の信号送信モードを切り替え先の信号送信モードに切り替える具体的な時点は以下の通りであってもよい。受信機1004が、端末デバイスによって送信された、切り替え先の信号送信モードの設定に成功したことを示す応答メッセージを第1の所定の期間内に受信した場合、プロセッサ1003は、第1の所定の期間の終了時点からN番目のサブフレーム信号を受信した時点で現在の信号送信モードを切り替え先の信号送信モードに切り替え、Nは、1以上の正の整数であり、第1の所定の期間は、信号送信モードを設定するために使用される制御命令情報を、送信機1002によって端末デバイスに送信した時点から開始される。受信機1004が、端末デバイスによって送信される、切り替え先の信号送信モードの設定に成功したことを示す応答メッセージを第1の所定の期間内に受信しなかった場合、プロセッサ1003は、現在の信号送信モードを維持する。
【０２１１】
別の場合には、送信機1002は、プロセッサ1003が現在の信号送信モードを切り替え先の信号送信モードに切り替えた後に、アップリンク送信リソース指示情報を端末デバイスに送信するようにさらに構成される。アップリンク送信リソース指示情報は、端末デバイスに、アップリンク送信リソースを決定し、アップリンク送信リソースを使用して、切り替え先の信号送信モードの設定に成功したことを示す応答メッセージを基地局に送信するよう命令するために使用される。
【０２１２】
これに対応して、基地局は、受信機1004であって、端末デバイスによって送信された、切り替え先の信号送信モードの設定に成功したことを示す応答メッセージを受信するように構成される受信機1004をさらに含む。
【０２１３】
別の場合には、送信機1002は、信号送信モードを設定するために使用される制御命令情報を端末デバイスに送信した後に、現在の信号送信モードおよび第2の信号送信モードを使用してアップリンク送信リソース指示情報を端末デバイスに別々に送信するようにさらに構成される。2つの異なる信号送信モードを使用してアップリンク送信リソース指示情報を送信した後、基地局は、端末デバイスによって送信される、切り替え先の信号送信モードの設定に成功したことを示す応答メッセージが現在の信号送信モードに対応する第1の受信機または第2の信号送信モードに対応する第2の受信機の一方によって受信され得るかを判定するために、第1の受信機および第2の受信機を別々に検出するために検出器1001をさらに使用する必要がある。プロセッサ1003は、端末デバイスによって送信された、切り替え先の信号送信モードの設定に成功したことを示す応答メッセージを受信した時点を開始時点として使用し、J番目のサブフレーム信号を受信した時点で現在の信号送信モードを切り替え先の信号送信モードに切り替え、Jが、1以上の正の整数である、ようにさらに構成される。
【０２１４】
本願の実施形態5で提供される基地局が動作するとき、基地局は、本願の実施形態1で提供される方法を実行する。基地局の動作の詳細については、本願の実施形態1で提供される方法を参照されたい。
【０２１５】
本発明の実施形態5において提供される基地局では、送信機は、切り替え先の信号送信モードに対応するブロードキャストを複数の方法で端末デバイスに送信し、これにより、端末デバイスは、ブロードキャストに基づいて切り替え先の信号送信モードの設定情報を決定し、設定情報に基づいて切り替え先の信号送信モードを設定し、次に、現在の信号送信モードを切り替え先の信号送信モードに切り替える。加えて、基地局および端末デバイスは、送信モードに関する、基地局と端末デバイスとの間の認識の整合性の問題を回避するために、合意された期間に現在の信号送信モードを切り替え先の信号送信モードに別々に切り替える。
【０２１６】
上記の実施形態2で提供された別の信号送信モード切替方法に対応して、本発明の実施形態6は、端末デバイスをさらに提供する。具体的には、図11は、本発明の実施形態6による端末デバイス1100の概略構成図である。端末デバイスは、受信機1101およびプロセッサ1102を含む。
【０２１７】
受信機1101は、基地局によって送信された、信号送信モードを設定するために使用される制御命令情報を受信するように構成される。
【０２１８】
プロセッサ1102は、制御命令情報に基づいて現在の信号送信モードを切り替え先の信号送信モードに切り替えるように構成される。切り替え先の信号送信モードは、現在の信号送信モード以外の第2の信号送信モードである。
【０２１９】
具体的には、制御命令に基づいて切り替え先の信号送信モードを設定する前に、端末デバイスは、切り替え先の信号送信モードに対応する設定情報を最初に取得する必要がある。切り替え先の信号送信モードに対応する設定情報を取得する具体的な方法としては以下が挙げられる。
【０２２０】
第1の方法では、基地局が信号送信モードを設定するために使用される制御命令情報を端末デバイスに送信するときに、基地局は、新しいブロードキャスト情報要素を制御命令情報に追加／から削除することができる。
【０２２１】
プロセッサ1102は、新しいされるブロードキャスト情報要素と、現在の信号送信モードに対応するブロードキャストである第1のブロードキャストとに基づいて、切り替え先の信号送信モードに対応する設定情報を決定し、設定情報に基づいて切り替え先の信号送信モードに設定するように構成される。
【０２２２】
第2の方法では、プロセッサが制御命令情報に基づいて現在の信号送信モードを切り替え先の信号送信モードに切り替える前に、受信機1101は、基地局によって送信された第2のブロードキャストを受信する。第2のブロードキャストは、新しいブロードキャスト情報要素が第1のブロードキャストに追加／から削除された後に取得されるブロードキャストであり、第1のブロードキャストは、現在の信号送信モードに対応するブロードキャストである。
【０２２３】
プロセッサ1102は、第2のブロードキャストに基づいて、切り替え先の信号送信モードに対応する設定情報を決定し、設定情報に基づいて切り替え先の信号送信モードを設定するようにさらに構成される。
【０２２４】
第3の方法では、基地局によって送信された、信号送信モードを設定するために使用される制御命令情報を受信した後に、受信機1101は、基地局によって送信された第2のブロードキャストを受信する。第2のブロードキャストは、切り替え先の信号送信モードに対応するブロードキャストであり、第2のブロードキャストは、第1のブロードキャストの情報要素と同じ情報要素もしくは第1のブロードキャストの情報要素と同じ特性を有する情報要素および／または第1のブロードキャストに対して新しいブロードキャスト情報要素を含み、第1のブロードキャストは、現在の信号送信モードに対応するブロードキャストである。
【０２２５】
プロセッサ1102は、第2のブロードキャストに基づいて切り替え先の信号送信モードの設定情報を決定し、設定情報に基づいて切り替え先の信号送信モードを設定する。
【０２２６】
第4の方法では、プロセッサが制御命令情報に基づいて切り替え先の信号送信モードを設定する前に、受信機1101は、第1のブロードキャストと第2のブロードキャストとを別々に受信し、第1のブロードキャストおよび第2のブロードキャストから、切り替え先の信号送信モードに対応するブロードキャストを決定する。
【０２２７】
プロセッサ1102は、切り替え先の信号送信モードに対応するブロードキャストに基づいて、切り替え先の信号送信モードに対応する設定情報を決定し、設定情報に基づいて切り替え先の信号送信モードを設定する。
【０２２８】
加えて、受信機1101は、基地局によって送信されたアップリンク送信リソース指示情報を受信し、このアップリンク送信リソース指示情報に基づいてアップリンク送信リソースを決定し、切り替え先の信号送信モードの設定に成功したことを示す応答メッセージを基地局に送信するようにさらに構成される。したがって、端末デバイスは、送信機1103をさらに含む。
【０２２９】
したがって、ある場合、受信機1101は、プロセッサ1102が現在の信号送信モードを切り替え先の信号送信モードに切り替える前に、基地局によって送信されたアップリンク送信リソース指示情報を受信するようにさらに構成される。プロセッサ1102は、アップリンク送信リソース指示情報に基づいてアップリンク送信リソースを決定するようにさらに構成される。送信機1103は、切り替え先の信号送信モードの設定に成功したことを示す応答メッセージを、アップリンク送信リソースを使用して基地局に送信するように構成される。
【０２３０】
プロセッサ1102によって信号送信モードを切り替える具体的な時点は以下の通りであり、切り替え先の信号送信モードの設定に成功したことを示す応答メッセージを基地局によって受信した時点が開始時点として使用され、信号送信モードは、X番目のサブフレーム信号が受信された直後の時点で切り替えられ、Xは、1以上の正の整数である。
【０２３１】
あるいは、基地局が、切り替え先の信号送信モードの設定に成功したことを示す応答メッセージを第1の所定の期間内に受信した場合、現在の信号送信モードは、第1の所定の期間の終了時点からN番目のサブフレーム信号を受信した時点で切り替え先の信号送信モードに切り替えられ、Nは、1以上の正の整数であり、第1の所定の期間は、信号送信モードを設定するために使用される制御命令情報を基地局によって送信した時点から開始される。
【０２３２】
基地局が、切り替え先の信号送信モードの設定に成功したことを示す応答メッセージを第1の所定の期間内に受信しなかった場合、現在の信号送信モードが維持される。
【０２３３】
別の場合には、受信機1101は、プロセッサが現在の信号送信モードを切り替え先の信号送信モードに切り替えた後に、基地局によって送信されたアップリンク送信リソース指示情報を受信するようにさらに構成される。プロセッサ1102は、アップリンク送信リソース指示情報に基づいてアップリンク送信リソースを決定するようにさらに構成される。送信機1103は、切り替え先の信号送信モードの設定に成功したことを示す応答メッセージを、アップリンク送信リソースを使用して基地局に送信するように構成される。
【０２３４】
本願の実施形態6で提供される端末が動作するとき、端末は、本願の実施形態2で提供される方法を実行する。端末の動作の詳細については、本願の実施形態2で提供される方法を参照されたい。
【０２３５】
本発明の実施形態6で提供される端末デバイスでは、受信機は、切り替え先の信号送信モードに対応するブロードキャストを複数の方法で取得する。プロセッサは、ブロードキャストに基づいて切り替え先の信号送信モードの設定情報を決定し、設定情報に基づいて切り替え先の信号送信モードを設定し、次に、現在の信号送信モードを切り替え先の信号送信モードに切り替える。基地局および端末デバイスは、送信モードに関する、基地局と端末デバイスとの間の認識の整合性の問題を回避するために、合意された期間に現在の信号送信モードを切り替え先の信号送信モードに別々に切り替える。
【０２３６】
当業者であれば、本明細書に開示されている実施形態に記載された例との組み合わせにおいて、ユニットおよびアルゴリズムステップが、電子ハードウェア、コンピュータソフトウェア、またはこれらの組み合わせによって実施され得ることにさらに気づくことができる。ハードウェアとソフトウェアとの互換性を明確に説明するために、上では、機能に基づいて各例の構成およびステップを一般的に説明した。機能がハードウェアとソフトウェアのどちらによって実行されるかは、技術的解決策の特定の用途および設計制約に依存する。当業者であれば、特定の用途ごとに、説明された機能を実施するために異なる方法を使用することができるが、その実施態様は本発明の範囲を超えると考えられるべきではない。
【０２３７】
当業者であれば、上記の実施形態における方法の全部または一部のステップが、プロセッサに命令するプログラムによって完了され得ることを理解することができる。プログラムは、コンピュータ可読記憶媒体に記憶されてもよい。記憶媒体は、非一時的（non−transitory）媒体、例えば、ランダムアクセスメモリ、読み出し専用メモリ、フラッシュメモリ、ハードディスク、ソリッドステートドライブ、磁気テープ（magNCtic tape）、フロッピーディスク（floppy disk）、光ディスク（optical disc）、またはこれらの任意の組み合わせである。
【０２３８】
上記の説明は、本発明の特定の実施態様の単なる例であり、本発明の保護範囲を限定するものではない。本発明で開示された技術的範囲内で当業者に容易に想到される変形例または置換例は、本発明の保護範囲に含まれるものとする。したがって、本発明の保護範囲は、特許請求の範囲の保護範囲に従うものとする。
【符号の説明】
【０２３９】
800  基地局
801  検出ユニット
802  送信ユニット
803  処理ユニット
804  受信ユニット
900  端末デバイス
901  受信ユニット
902  処理ユニット
903  送信ユニット
1000  基地局
1001  検出器
1002  送信機
1003  プロセッサ
1004  受信機
1100  端末デバイス
1101  受信機
1102  プロセッサ
1103  送信機
【国際調査報告】
2019528006.tif 000014
2019528006.tif 000015
2019528006.tif 000016
2019528006.tif 000017